(57)【要約】【課題】底面部と、内側スリーブ状部の側面部の一部が分離部として他の部分と切目線を介して分離可能な内箱部と、外側スリーブ状部と、蓋部とを有し、分離部が設けられた内側側面部に対応した外側側面部に分離部が接着されている外箱部と、を有する包装箱において、商品を梱包する際の作業工程が少なく、また、最上段の内箱部に収納された商品の視認や取り出しを容易とするために余分な作業を必要としない包装箱を提供する。【解決手段】内箱部Ａは、上面部１１０、１３０と、内側側面部１２０、１４０とを有し、内側側面部１２０における分離部が側面部２０に接着され、内側側面部１４０における分離部１４４が側面部３０に接着され、外箱部Ｂの蓋部を回動させることにより上面部１１０、１３０が回動し、２つの分離部１４４等の切目線が破断して、内側側面部１２０、１４０が底面部に接し、上面部１１０、１３０が底面部５０と略平行となる。【選択図】図３
2016074478.tif 000002
【特許請求の範囲】
【請求項１】
包装箱であって、
内箱部（Ａ）と外箱部（Ｂ）とを有し、
内箱部が、
底面部（５０）と、
底面部の各辺から立設し底面部に対して略直角をなす内側スリーブ状部で、内側正面部（１０）と、内側右側面部（２０）と、内側左側面部（３０）と、内側背面部（４０）とからなる内側スリーブ状部（５）と、
内側右側面部の上辺から連設され、内側右側面部の上辺に沿って帯状に形成された第１上面部で、内側右側面部の上辺から上方に向けて形成された第１上面部（１１０）と、
第１上面部の内側右側面部とは反対側の辺部から連設された第１内側側面部で、第１上面部に対して折り返して形成された第１内側側面部（１２０）と、
内側左側面部の上辺から連設され、内側左側面部の上辺に沿って帯状に形成された第２上面部で、内側左側面部の上辺から上方に向けて形成された第２上面部（１３０）と、
第２上面部の内側左側面部とは反対側の辺部から連設された第２内側側面部で、第２上面部に対して折り返して形成された第２内側側面部（１４０）と、を有し、
内側右側面部において、内側右側面部の一部が第１分離部（２４）として第１分離部以外の部分である内側右側面部本体部（２２）と第１切目線（２４ａ）を介して分離可能に形成され、
内側左側面部において、内側左側面部の一部が第２分離部（３４）として第２分離部以外の部分である内側左側面部本体部（３２）と第２切目線（３４ａ）を介して分離可能に形成され、
第１内側側面部において、第１内側側面部の一部が第３分離部（１２４）として第３分離部以外の部分である第１内側側面部本体部（１２２）と第３切目線（１２４ａ、１２４ｂ）を介して分離可能に形成され、第３分離部が内側右側面部の内側の面に接着され、第１内側側面部の下辺が底面部の上面よりも上方に位置し、
第２内側側面部において、第２内側側面部の一部が第４分離部（１４４）として第４分離部以外の部分である第２内側側面部本体部（１４２）と第４切目線（１４４ａ、１４４ｂ）を介して分離可能に形成され、第４分離部が内側左側面部の内側の面に接着され、第２内側側面部の下辺が底面部の上面よりも上方に位置し、
外箱部が、
内箱部の外側の面に沿って設けられた外側スリーブ状部で、内箱部の内側正面部の外側の面に沿って形成された外側正面部（２１０）と、内側右側面部の外側の面に沿って形成された外側右側面部（２２０）と、内側左側面部の外側の面に沿って形成された外側左側面部（２３０）と、内側背面部の外側の面に沿って形成された外側背面部（２４０）とを有する外側スリーブ状部（２０５）と、
外側右側面部の上辺から連設された第１蓋部（２７０）と、
外側左側面部の上辺から連設された第２蓋部（２８０）と、を有し、
外側右側面部に第１分離部が接着され、外側右側面部における第１分離部が接着された領域を含み第５切目線（２２２）を介して形成された第１片部（２２４）が外側右側面部の他の部分に対して回動可能に形成されるとともに、外側左側面部に第２分離部が接着され、外側左側面部における第２分離部が接着された領域を含み第６切目線（２３２）を介して形成された第２片部（２３４）が外側左側面部の他の部分に対して回動可能に形成され、
第１上面部が外側右側面部の上辺よりも上方に突出して形成されるとともに、第２上面部が外側左側面部の上辺よりも上方に突出して形成され、
外側右側面部の上辺から上方に立ち上がった状態の第１蓋部を外側右側面部に対して内側に回動させることにより、第１上面部が第１蓋部により押されて内側右側面部に対して回動し、第１上面部が内側右側面部に対して回動することにより、第１内側側面部が下方に押されて第３切目線が破断し、第１内側側面部本体部が第３分離部と分離して、第１内側側面部本体部の下端が底面部の上面に接し、第１内側側面部本体部の下端が底面部に接した状態で、第１上面部が底面部に対して略平行となり、
外側左側面部の上辺から上方に立ち上がった状態の第２蓋部を外側左側面部に対して内側に回動させることにより、第２上面部が第２蓋部により押されて内側左側面部に対して回動し、第２上面部が内側左側面部に対して回動することにより、第２内側側面部が下方に押されて第４切目線が破断し、第２内側側面部本体部が第４分離部と分離して、第２内側側面部本体部の下端が底面部の上面に接し、第２内側側面部本体部の下端が底面部に接した状態で、第２上面部が底面部に対して略平行となることを特徴とする包装箱。
【請求項２】
第３切目線が第１内側側面部の下辺から上方に一対形成され、第３分離部が、該一対の第３切目線と一対の第３切目線の上端の間に形成された開口部（１２４ｃ）により第１内側側面部本体部と区画され、
第４切目線が第２内側側面部の下辺から上方に一対形成され、第４分離部が、該一対の第４切目線と一対の第４切目線の上端の間に形成された開口部（１４４ｃ）により第２内側側面部本体部と区画されていることを特徴とする請求項１に記載の包装箱。
【請求項３】
一対の第３切目線が、一対の第３切目線間の間隔が上方にいくほど大きくなるようにテーパ状に形成され、一対の第４切目線が、一対の第４切目線間の間隔が上方にいくほど大きくなるようにテーパ状に形成されていることを特徴とする請求項２に記載の包装箱。
【請求項４】
第３分離部が、内側右側面部の内側の面における第１分離部以外の領域に接着され、第４分離部が、内側左側面部の内側の面における第２分離部以外の領域に接着されていることを特徴とする請求項１又は２又は３に記載の包装箱。
【請求項５】
内側右側面部の上辺には第１突状部（２０−１）が形成されるとともに、内側左側面部の上辺には第２突状部（３０−１）が形成され、底面部における内側右側面部側の端部には、包装箱を積み重ねた場合に、下段の包装箱における第１突状部と係合する第１係合穴（２０−２）が形成され、底面部における内側左側面部側の端部には、包装箱を積み重ねた場合に、下段の包装箱における第２突状部と係合する第２係合穴（３０−２）が形成されていることを特徴とする請求項１又は２又は３又は４に記載の包装箱。
【請求項６】
外側正面部の上辺から連設された第１フラップ部（２６０）と、外側背面部の上辺から連設された第２フラップ（２９０）が設けられ、
第１フラップ部の少なくとも先端領域の左右方向の長さ及び第２フラップ部の少なくとも先端領域の左右方向の長さは、第３切目線が破断して第１上面部が底面部に対して略平行であり、かつ、第４切目線が破断して第２上面部が底面部に対して略平行な状態で、第１フラップ部を外側正面部に対して回動して閉じた際に第１上面部及び第２上面部に接触せず、第２フラップ部を外側背面部に対して回動して閉じた際に第１上面部及び第２上面部に接触しないように、外側右側面部と外側左側面部間の長さから第１上面部の外側右側面部と第１内側側面部間の長さと第２上面部の外側左側面部と第２内側側面部間の長さとを減じた長さ以下に形成されていることを特徴とする請求項１又は２又は３又は４又は５に記載の包装箱。
【請求項７】
底面部が、ワンタッチ底により形成され、内側正面部の下辺から連設された底面部第１片部（６０）と、内側右側面部の下辺から連設された底面部第２片部（７０）と、内側左側面部の下辺から連設された底面部第３片部（８０）と、内側背面部の下辺から連設された底面部第４片部（９０）とを有し、
底面部第１片部と底面部第２片部と底面部第３片部と底面部第４片部における隣接する２つの片部である底面部第１片部対の一方における他方の側の部分である第１端部領域が折れ線を介して折曲げ可能であり、該第１端部領域が底面部第１片部対における他方に接着され、
底面部第１片部と底面部第２片部と底面部第３片部と底面部第４片部における底面部第１片部対以外の互いに隣接する２つの片部である底面部第２片部対の一方における他方の側の部分である第２端部領域が折れ線を介して折曲げ可能であり、該第２端部領域が底面部第２片部対における他方に接着されていることを特徴とする請求項１又は２又は３又は４又は５又は６に記載の包装箱。
【請求項８】
包装箱であって、
内箱部（Ａ）と外箱部（Ｂ）とを有し、
内箱部が、
底面部（５０）と、
底面部の各辺から立設し底面部に対して略直角をなす内側スリーブ状部で、内側正面部（１０）と、内側右側面部（２０）と、内側左側面部（３０）と、内側背面部（４０）とからなる内側スリーブ状部（５）と、
内側右側面部の上辺から連設され、内側右側面部の上辺に沿って帯状に形成された第１上面部で、内側右側面部の上辺から上方に向けて形成された第１上面部（１１０）と、
第１上面部の内側右側面部とは反対側の辺部から連設された第１内側側面部で、第１上面部に対して折り返して形成された第１内側側面部（１２０）と、
内側左側面部の上辺から連設され、内側左側面部の上辺に沿って帯状に形成された第２上面部で、内側左側面部の上辺から上方に向けて形成された第２上面部（１３０）と、
第２上面部の内側左側面部とは反対側の辺部から連設された第２内側側面部で、第２上面部に対して折り返して形成された第２内側側面部（１４０）と、を有し、
内側右側面部において、内側右側面部の一部が第１分離部（２４）として第１分離部以外の部分である内側右側面部本体部（２２）と第１切目線（２４ａ）を介して分離可能に形成され、
内側左側面部において、内側左側面部の一部が第２分離部（３４）として第２分離部以外の部分である内側左側面部本体部（３２）と第２切目線（３４ａ）を介して分離可能に形成され、
第１内側側面部において、第１内側側面部の一部が第３分離部（１２４）として第３分離部以外の部分である第１内側側面部本体部（１２２）と第３切目線（１２４ａ、１２４ｂ）を介して分離可能に形成され、第３分離部が内側右側面部の内側の面に接着され、第１内側側面部の下辺が底面部の上面よりも上方に位置し、
第２内側側面部において、第２内側側面部の一部が第４分離部（１４４）として第４分離部以外の部分である第２内側側面部本体部（１４２）と第４切目線（１４４ａ、１４４ｂ）を介して分離可能に形成され、第４分離部が内側左側面部の内側の面に接着され、第２内側側面部の下辺が底面部の上面よりも上方に位置し、
第１内側側面部が、第１内側側面部の上端から下方に形成された第１上側領域（１２０−１）と、第１内側側面部の下端から上方に形成され、第１上側領域の下端位置にまで形成された第１下側領域（１２０−２）とを有し、第１下側領域が、第１ライナー（１０１２）と、第１ライナーの一方の面に接着された中芯で断面略波形形状の中芯（１０１４）とを有する片面段ボールにより形成され、第１上側領域が、該第１ライナーと、該中芯と、該中芯の第１ライナーとは反対側の面に接着された第２ライナー（１０１６）とを有する両面段ボールにより形成され、第１下側領域における中芯は、第２内側側面部側に露出して形成され、
第２内側側面部が、第２内側側面部の上端から下方に形成された第２上側領域（１４０−１）と、第２内側側面部の下端から上方に形成され、第２上側領域の下端位置にまで形成された第２下側領域（１４０−２）とを有し、第２下側領域が、該第１ライナーと、該中芯とを有する片面段ボールにより形成され、第２上側領域が、該第１ライナーと、該中芯と、該第２ライナーとを有する両面段ボールにより形成され、第２下側領域における中芯は、第１内側側面部側に露出して形成され、
外箱部が、
内箱部の外側の面に沿って設けられた外側スリーブ状部で、内箱部の内側正面部の外側の面に沿って形成された外側正面部（２１０）と、内側右側面部の外側の面に沿って形成された外側右側面部（２２０）と、内側左側面部の外側の面に沿って形成された外側左側面部（２３０）と、内側背面部の外側の面に沿って形成された外側背面部（２４０）とを有する外側スリーブ状部（２０５）と、
外側右側面部の上辺から連設された第１蓋部（２７０）と、
外側左側面部の上辺から連設された第２蓋部（２８０）と、を有し、
外側右側面部に第１分離部が接着され、外側右側面部における第１分離部が接着された領域を含み第５切目線（２２２）を介して形成された第１片部（２２４）が外側右側面部の他の部分に対して回動可能に形成されるとともに、外側左側面部に第２分離部が接着され、外側左側面部における第２分離部が接着された領域を含み第６切目線（２３２）を介して形成された第２片部（２３４）が外側左側面部の他の部分に対して回動可能に形成され、
第１上面部が外側右側面部の上辺よりも上方に突出して形成されるとともに、第２上面部が外側左側面部の上辺よりも上方に突出して形成され、
外側右側面部の上辺から上方に立ち上がった状態の第１蓋部を外側右側面部に対して内側に回動させることにより、第１上面部が第１蓋部により押されて内側右側面部に対して回動し、第１上面部が内側右側面部に対して回動することにより、第１内側側面部が下方に押されて第３切目線が破断し、第１内側側面部本体部が第３分離部と分離して、第１内側側面部本体部の下端が底面部の上面に接し、第１内側側面部本体部の下端が底面部に接した状態で、第１上面部が底面部に対して略平行となり、
外側左側面部の上辺から上方に立ち上がった状態の第２蓋部を外側左側面部に対して内側に回動させることにより、第２上面部が第２蓋部により押されて内側左側面部に対して回動し、第２上面部が内側左側面部に対して回動することにより、第２内側側面部が下方に押されて第４切目線が破断し、第２内側側面部本体部が第４分離部と分離して、第２内側側面部本体部の下端が底面部の上面に接し、第２内側側面部本体部の下端が底面部に接した状態で、第２上面部が底面部に対して略平行となることを特徴とする包装箱。
【請求項９】
第３切目線が第１内側側面部の下辺から上方に一対形成され、第３分離部が、該一対の第３切目線と一対の第３切目線の上端の間に形成された第１開口部（１２４ｃ）により第１内側側面部本体部と区画され、第３分離部と第１開口部は、第１内側側面部における第１下側領域に形成され、
第４切目線が第２内側側面部の下辺から上方に一対形成され、第４分離部が、該一対の第４切目線と一対の第４切目線の上端の間に形成された第２開口部（１４４ｃ）により第２内側側面部本体部と区画され、第４分離部と第２開口部は、第２内側側面部における第２下側領域に形成されていることを特徴とする請求項８に記載の包装箱。
【請求項１０】
包装箱であって、
内箱部（Ａ）と外箱部（Ｂ）とを有し、
内箱部が、
底面部（５０）と、
底面部の各辺から立設し底面部に対して略直角をなす内側スリーブ状部で、内側正面部（１０）と、内側右側面部（２０）と、内側左側面部（３０）と、内側背面部（４０）とからなる内側スリーブ状部（５）と、
内側右側面部の上辺から連設され、内側右側面部の上辺に沿って帯状に形成された第１上面部で、内側右側面部の上辺から上方に向けて形成された第１上面部（１１０）と、
第１上面部の内側右側面部とは反対側の辺部から連設された第１内側側面部で、第１上面部に対して折り返して形成された第１内側側面部（１２０）と、
内側左側面部の上辺から連設され、内側左側面部の上辺に沿って帯状に形成された第２上面部で、内側左側面部の上辺から上方に向けて形成された第２上面部（１３０）と、
第２上面部の内側左側面部とは反対側の辺部から連設された第２内側側面部で、第２上面部に対して折り返して形成された第２内側側面部（１４０）と、を有し、
内側右側面部において、内側右側面部の一部が第１分離部（２４）として第１分離部以外の部分である内側右側面部本体部（２２）と第１切目線（２４ａ）を介して分離可能に形成され、
内側左側面部において、内側左側面部の一部が第２分離部（３４）として第２分離部以外の部分である内側左側面部本体部（３２）と第２切目線（３４ａ）を介して分離可能に形成され、
第１内側側面部において、第１内側側面部の一部が第３分離部（１２４）として第３分離部以外の部分である第１内側側面部本体部（１２２）と第３切目線（１２４ａ、１２４ｂ）を介して分離可能に形成され、第３分離部が内側右側面部の内側の面に接着され、第１内側側面部の下辺が底面部の上面よりも上方に位置し、
第２内側側面部において、第２内側側面部の一部が第４分離部（１４４）として第４分離部以外の部分である第２内側側面部本体部（１４２）と第４切目線（１４４ａ、１４４ｂ）を介して分離可能に形成され、第４分離部が内側左側面部の内側の面に接着され、第２内側側面部の下辺が底面部の上面よりも上方に位置し、
第１内側側面部が、第１ライナーと、第１ライナーの一方の面に接着された中芯で断面略波形形状の中芯とを有する片面段ボールにより形成され、第１内側側面部における該中芯は、第２内側側面部側に露出して形成され、
第２内側側面部が、該第１ライナーと、該中芯とを有する片面段ボールにより形成され、第２内側側面部における該中芯は、第１内側側面部側に露出して形成され、
外箱部が、
内箱部の外側の面に沿って設けられた外側スリーブ状部で、内箱部の内側正面部の外側の面に沿って形成された外側正面部（２１０）と、内側右側面部の外側の面に沿って形成された外側右側面部（２２０）と、内側左側面部の外側の面に沿って形成された外側左側面部（２３０）と、内側背面部の外側の面に沿って形成された外側背面部（２４０）とを有する外側スリーブ状部（２０５）と、
外側右側面部の上辺から連設された第１蓋部（２７０）と、
外側左側面部の上辺から連設された第２蓋部（２８０）と、を有し、
外側右側面部に第１分離部が接着され、外側右側面部における第１分離部が接着された領域を含み第５切目線（２２２）を介して形成された第１片部（２２４）が外側右側面部の他の部分に対して回動可能に形成されるとともに、外側左側面部に第２分離部が接着され、外側左側面部における第２分離部が接着された領域を含み第６切目線（２３２）を介して形成された第２片部（２３４）が外側左側面部の他の部分に対して回動可能に形成され、
第１上面部が外側右側面部の上辺よりも上方に突出して形成されるとともに、第２上面部が外側左側面部の上辺よりも上方に突出して形成され、
外側右側面部の上辺から上方に立ち上がった状態の第１蓋部を外側右側面部に対して内側に回動させることにより、第１上面部が第１蓋部により押されて内側右側面部に対して回動し、第１上面部が内側右側面部に対して回動することにより、第１内側側面部が下方に押されて第３切目線が破断し、第１内側側面部本体部が第３分離部と分離して、第１内側側面部本体部の下端が底面部の上面に接し、第１内側側面部本体部の下端が底面部に接した状態で、第１上面部が底面部に対して略平行となり、
外側左側面部の上辺から上方に立ち上がった状態の第２蓋部を外側左側面部に対して内側に回動させることにより、第２上面部が第２蓋部により押されて内側左側面部に対して回動し、第２上面部が内側左側面部に対して回動することにより、第２内側側面部が下方に押されて第４切目線が破断し、第２内側側面部本体部が第４分離部と分離して、第２内側側面部本体部の下端が底面部の上面に接し、第２内側側面部本体部の下端が底面部に接した状態で、第２上面部が底面部に対して略平行となることを特徴とする包装箱。
【請求項１１】
第３切目線が第１内側側面部の下辺から上方に一対形成され、第３分離部が、該一対の第３切目線と一対の第３切目線の上端の間に形成された開口部（１２４ｃ）により第１内側側面部本体部と区画され、
第４切目線が第２内側側面部の下辺から上方に一対形成され、第４分離部が、該一対の第４切目線と一対の第４切目線の上端の間に形成された開口部（１４４ｃ）により第２内側側面部本体部と区画されていることを特徴とする請求項１０に記載の包装箱。
【請求項１２】
一対の第３切目線が、一対の第３切目線間の間隔が上方にいくほど大きくなるようにテーパ状に形成され、一対の第４切目線が、一対の第４切目線間の間隔が上方にいくほど大きくなるようにテーパ状に形成されていることを特徴とする請求項９又は１１に記載の包装箱。
【請求項１３】
包装箱であって、
内箱部（Ａ）と外箱部（Ｂ）とを有し、
内箱部が、
底面部（５０）と、
底面部の各辺から立設し底面部に対して略直角をなす内側スリーブ状部で、内側正面部（１０）と、内側右側面部（２０）と、内側左側面部（３０）と、内側背面部（４０）とからなる内側スリーブ状部（５）と、
内側右側面部の上辺から連設され、内側右側面部の上辺に沿って帯状に形成された第１上面部で、内側右側面部の上辺から上方に向けて形成された第１上面部（１１０）と、
第１上面部の内側右側面部とは反対側の辺部から連設された第１内側側面部で、第１上面部に対して折り返して形成された第１内側側面部（１２０）と、
内側左側面部の上辺から連設され、内側左側面部の上辺に沿って帯状に形成された第２上面部で、内側左側面部の上辺から上方に向けて形成された第２上面部（１３０）と、
第２上面部の内側左側面部とは反対側の辺部から連設された第２内側側面部で、第２上面部に対して折り返して形成された第２内側側面部（１４０）と、
第１内側側面部の下端の辺部から折れ線を介して連設された第１内側底面部（１５０）と、
第２内側側面部の下端の辺部から折れ線を介して連設された第２内側底面部（１６０）と、を有し、
内側右側面部において、内側右側面部の一部が第１分離部（２４）として第１分離部以外の部分である内側右側面部本体部（２２）と第１切目線（２４ａ）を介して分離可能に形成され、
内側左側面部において、内側左側面部の一部が第２分離部（３４）として第２分離部以外の部分である内側左側面部本体部（３２）と第２切目線（３４ａ）を介して分離可能に形成され、
第１内側側面部において、第１内側側面部の一部が第３分離部（１２４）として第３分離部以外の部分である第１内側側面部本体部（１２２）と第３切目線（１２４ａ、１２４ｂ）を介して分離可能に形成され、第３分離部が内側右側面部の内側の面に接着され、第１内側側面部の下辺が底面部の上面よりも上方に位置し、
第２内側側面部において、第２内側側面部の一部が第４分離部（１４４）として第４分離部以外の部分である第２内側側面部本体部（１４２）と第４切目線（１４４ａ、１４４ｂ）を介して分離可能に形成され、第４分離部が内側左側面部の内側の面に接着され、第２内側側面部の下辺が底面部の上面よりも上方に位置し、
第１内側側面部が、第１内側側面部の上端から下方に形成された第１上側領域（１２０−１）と、第１内側側面部の下端から上方に形成され、第１上側領域の下端位置にまで形成された第１下側領域（１２０−２）とを有し、第１下側領域が、第１ライナー（１０１２）と、第１ライナーの一方の面に接着された中芯で断面略波形形状の中芯（１０１４）とを有する片面段ボールにより形成され、第１上側領域が、該第１ライナーと、該中芯と、該中芯の第１ライナーとは反対側の面に接着された第２ライナー（１０１６）とを有する両面段ボールにより形成され、第１下側領域における中芯は、第２内側側面部側に露出して形成され、
第２内側側面部が、第２内側側面部の上端から下方に形成された第２上側領域（１４０−１）と、第２内側側面部の下端から上方に形成され、第２上側領域の下端位置にまで形成された第２下側領域（１４０−２）とを有し、第２下側領域が、該第１ライナーと、該中芯とを有する片面段ボールにより形成され、第２上側領域が、該第１ライナーと、該中芯と、該第２ライナーとを有する両面段ボールにより形成され、第２下側領域における中芯は、第１内側側面部側に露出して形成され、
第１内側底面部は、第１内側側面部における第１ライナーから連設されたライナーである第１連設ライナーと、第１内側側面部における中芯から連設され、該第１連設ライナーに接着された中芯とを有する片面段ボールにより形成され、
第２内側底面部は、第２内側側面部における第１ライナーから連設されたライナーである第２連設ライナーと、第２内側側面部における中芯から連設され、該第２連設ライナーに接着された中芯とを有する片面段ボールにより形成され、
外箱部が、
内箱部の外側の面に沿って設けられた外側スリーブ状部で、内箱部の内側正面部の外側の面に沿って形成された外側正面部（２１０）と、内側右側面部の外側の面に沿って形成された外側右側面部（２２０）と、内側左側面部の外側の面に沿って形成された外側左側面部（２３０）と、内側背面部の外側の面に沿って形成された外側背面部（２４０）とを有する外側スリーブ状部（２０５）と、
外側右側面部の上辺から連設された第１蓋部（２７０）と、
外側左側面部の上辺から連設された第２蓋部（２８０）と、を有し、
外側右側面部に第１分離部が接着され、外側右側面部における第１分離部が接着された領域を含み第５切目線（２２２）を介して形成された第１片部（２２４）が外側右側面部の他の部分に対して回動可能に形成されるとともに、外側左側面部に第２分離部が接着され、外側左側面部における第２分離部が接着された領域を含み第６切目線（２３２）を介して形成された第２片部（２３４）が外側左側面部の他の部分に対して回動可能に形成され、
第１上面部が外側右側面部の上辺よりも上方に突出して形成されるとともに、第２上面部が外側左側面部の上辺よりも上方に突出して形成され、
外側右側面部の上辺から上方に立ち上がった状態の第１蓋部を外側右側面部に対して内側に回動させることにより、第１上面部が第１蓋部により押されて内側右側面部に対して回動し、第１上面部が内側右側面部に対して回動することにより、第１内側側面部が下方に押されて第３切目線が破断し、第１内側側面部本体部が第３分離部と分離して、第１内側側面部本体部の下端が底面部の上面に接し、第１内側側面部本体部の下端が底面部に接した状態で、第１上面部が底面部に対して略平行となり、
外側左側面部の上辺から上方に立ち上がった状態の第２蓋部を外側左側面部に対して内側に回動させることにより、第２上面部が第２蓋部により押されて内側左側面部に対して回動し、第２上面部が内側左側面部に対して回動することにより、第２内側側面部が下方に押されて第４切目線が破断し、第２内側側面部本体部が第４分離部と分離して、第２内側側面部本体部の下端が底面部の上面に接し、第２内側側面部本体部の下端が底面部に接した状態で、第２上面部が底面部に対して略平行となり、
第１上面部が底面部に対して略平行になった状態では、第１内側底面部が第１上面部と略平行な状態で底面部に接し、第１内側底面部における中芯が第１連設ライナーの上側に位置し、第２上面部が底面部に対して略平行になった状態では、第２内側底面部が第２上面部と略平行な状態で底面部に接し、第２内側底面部における中芯が第２連設ライナーの上側に位置することを特徴とする包装箱。
【請求項１４】
第３切目線が第１内側側面部の下辺から上方に一対形成され、第３分離部が、該一対の第３切目線と一対の第３切目線の上端の間に形成された第１開口部（１２４ｃ）により第１内側側面部本体部と区画されるとともに、第３分離部が、第１内側側面部と第１内側底面部間の折れ線に沿って形成された切目線を介して第１内側底面部と区画され、第３分離部と第１開口部は、第１内側側面部における第１下側領域に形成され、
第４切目線が第２内側側面部の下辺から上方に一対形成され、第４分離部が、該一対の第４切目線と一対の第４切目線の上端の間に形成された第２開口部（１４４ｃ）により第２内側側面部本体部と区画されるとともに、第４分離部が、第２内側側面部と第２内側底面部間の折れ線に沿って形成された切目線を介して第２内側底面部と区画され、第４分離部と第２開口部は、第２内側側面部における第２下側領域に形成されていることを特徴とする請求項１３に記載の包装箱。
【請求項１５】
包装箱であって、
内箱部（Ａ）と外箱部（Ｂ）とを有し、
内箱部が、
底面部（５０）と、
底面部の各辺から立設し底面部に対して略直角をなす内側スリーブ状部で、内側正面部（１０）と、内側右側面部（２０）と、内側左側面部（３０）と、内側背面部（４０）とからなる内側スリーブ状部（５）と、
内側右側面部の上辺から連設され、内側右側面部の上辺に沿って帯状に形成された第１上面部で、内側右側面部の上辺から上方に向けて形成された第１上面部（１１０）と、
第１上面部の内側右側面部とは反対側の辺部から連設された第１内側側面部で、第１上面部に対して折り返して形成された第１内側側面部（１２０）と、
内側左側面部の上辺から連設され、内側左側面部の上辺に沿って帯状に形成された第２上面部で、内側左側面部の上辺から上方に向けて形成された第２上面部（１３０）と、
第２上面部の内側左側面部とは反対側の辺部から連設された第２内側側面部で、第２上面部に対して折り返して形成された第２内側側面部（１４０）と、
第１内側側面部の下端の辺部から折れ線を介して連設された第１内側底面部（１５０）と、
第２内側側面部の下端の辺部から折れ線を介して連設された第２内側底面部（１６０）と、を有し、
内側右側面部において、内側右側面部の一部が第１分離部（２４）として第１分離部以外の部分である内側右側面部本体部（２２）と第１切目線（２４ａ）を介して分離可能に形成され、
内側左側面部において、内側左側面部の一部が第２分離部（３４）として第２分離部以外の部分である内側左側面部本体部（３２）と第２切目線（３４ａ）を介して分離可能に形成され、
第１内側側面部において、第１内側側面部の一部が第３分離部（１２４）として第３分離部以外の部分である第１内側側面部本体部（１２２）と第３切目線（１２４ａ、１２４ｂ）を介して分離可能に形成され、第３分離部が内側右側面部の内側の面に接着され、第１内側側面部の下辺が底面部の上面よりも上方に位置し、
第２内側側面部において、第２内側側面部の一部が第４分離部（１４４）として第４分離部以外の部分である第２内側側面部本体部（１４２）と第４切目線（１４４ａ、１４４ｂ）を介して分離可能に形成され、第４分離部が内側左側面部の内側の面に接着され、第２内側側面部の下辺が底面部の上面よりも上方に位置し、
第１内側側面部が、第１ライナーと、第１ライナーの一方の面に接着された中芯で断面略波形形状の中芯とを有する片面段ボールにより形成され、第１内側側面部における該中芯は、第２内側側面部側に露出して形成され、
第２内側側面部が、該第１ライナーと、該中芯とを有する片面段ボールにより形成され、第２内側側面部における該中芯は、第１内側側面部側に露出して形成され、
第１内側底面部は、第１内側側面部における第１ライナーから連設されたライナーである第１連設ライナーと、第１内側側面部における中芯から連設され、該第１連設ライナーに接着された中芯とを有する片面段ボールにより形成され、
第２内側底面部は、第２内側側面部における第１ライナーから連設されたライナーである第２連設ライナーと、第２内側側面部における中芯から連設され、該第２連設ライナーに接着された中芯とを有する片面段ボールにより形成され、
外箱部が、
内箱部の外側の面に沿って設けられた外側スリーブ状部で、内箱部の内側正面部の外側の面に沿って形成された外側正面部（２１０）と、内側右側面部の外側の面に沿って形成された外側右側面部（２２０）と、内側左側面部の外側の面に沿って形成された外側左側面部（２３０）と、内側背面部の外側の面に沿って形成された外側背面部（２４０）とを有する外側スリーブ状部（２０５）と、
外側右側面部の上辺から連設された第１蓋部（２７０）と、
外側左側面部の上辺から連設された第２蓋部（２８０）と、を有し、
外側右側面部に第１分離部が接着され、外側右側面部における第１分離部が接着された領域を含み第５切目線（２２２）を介して形成された第１片部（２２４）が外側右側面部の他の部分に対して回動可能に形成されるとともに、外側左側面部に第２分離部が接着され、外側左側面部における第２分離部が接着された領域を含み第６切目線（２３２）を介して形成された第２片部（２３４）が外側左側面部の他の部分に対して回動可能に形成され、
第１上面部が外側右側面部の上辺よりも上方に突出して形成されるとともに、第２上面部が外側左側面部の上辺よりも上方に突出して形成され、
外側右側面部の上辺から上方に立ち上がった状態の第１蓋部を外側右側面部に対して内側に回動させることにより、第１上面部が第１蓋部により押されて内側右側面部に対して回動し、第１上面部が内側右側面部に対して回動することにより、第１内側側面部が下方に押されて第３切目線が破断し、第１内側側面部本体部が第３分離部と分離して、第１内側側面部本体部の下端が底面部の上面に接し、第１内側側面部本体部の下端が底面部に接した状態で、第１上面部が底面部に対して略平行となり、
外側左側面部の上辺から上方に立ち上がった状態の第２蓋部を外側左側面部に対して内側に回動させることにより、第２上面部が第２蓋部により押されて内側左側面部に対して回動し、第２上面部が内側左側面部に対して回動することにより、第２内側側面部が下方に押されて第４切目線が破断し、第２内側側面部本体部が第４分離部と分離して、第２内側側面部本体部の下端が底面部の上面に接し、第２内側側面部本体部の下端が底面部に接した状態で、第２上面部が底面部に対して略平行となることを特徴とする包装箱。
【請求項１６】
第３切目線が第１内側側面部の下辺から上方に一対形成され、第３分離部が、該一対の第３切目線と一対の第３切目線の上端の間に形成された開口部（１２４ｃ）により第１内側側面部本体部と区画されるとともに、第３分離部が、第１内側側面部と第１内側底面部間の折れ線に沿って形成された切目線を介して第１内側底面部と区画され、
第４切目線が第２内側側面部の下辺から上方に一対形成され、第４分離部が、該一対の第４切目線と一対の第４切目線の上端の間に形成された開口部（１４４ｃ）により第２内側側面部本体部と区画されるとともに、第４分離部が、第２内側側面部と第２内側底面部間の折れ線に沿って形成された切目線を介して第２内側底面部と区画されていることを特徴とする請求項１５に記載の包装箱。
【請求項１７】
一対の第３切目線が、一対の第３切目線間の間隔が上方にいくほど大きくなるようにテーパ状に形成され、一対の第４切目線が、一対の第４切目線間の間隔が上方にいくほど大きくなるようにテーパ状に形成されていることを特徴とする請求項１４又は１６に記載の包装箱。
【請求項１８】
底面部が、ワンタッチ底により形成され、内側正面部の下辺から連設された底面部第１片部（６０）と、内側右側面部の下辺から連設された底面部第２片部（７０）と、内側左側面部の下辺から連設された底面部第３片部（８０）と、内側背面部の下辺から連設された底面部第４片部（９０）とを有し、
底面部第１片部と底面部第２片部と底面部第３片部と底面部第４片部における隣接する２つの片部である底面部第１片部対の一方における他方の側の部分である第１端部領域が折れ線を介して折曲げ可能であり、該第１端部領域が底面部第１片部対における他方に接着され、
底面部第１片部と底面部第２片部と底面部第３片部と底面部第４片部における底面部第１片部対以外の互いに隣接する２つの片部である底面部第２片部対の一方における他方の側の部分である第２端部領域が折れ線を介して折曲げ可能であり、該第２端部領域が底面部第２片部対における他方に接着されていることを特徴とする請求項８又は９又は１０又は１１又は１２又は１３又は１４又は１５又は１６又は１７に記載の包装箱。
【請求項１９】
底面部が、ワンタッチ底により形成され、内側正面部の下辺から連設された底面部第１片部（６０）と、内側右側面部の下辺から連設された底面部第２片部（７０）と、内側左側面部の下辺から連設された底面部第３片部（８０）と、内側背面部の下辺から連設された底面部第４片部（９０）とを有し、
底面部第１片部と底面部第２片部と底面部第３片部と底面部第４片部における隣接する２つの片部である底面部第１片部対の一方である底面部第２片部（７０）における底面部第１片部対の他方（９０）の側の部分である第１端部領域（７４）が、底面部第２片部における第１端部領域以外の領域である第１本体部（７２）に対して折れ線を介して折曲げ可能であり、該第１端部領域が底面部第１片部対における他方に接着され、
底面部第１片部と底面部第２片部と底面部第３片部と底面部第４片部における底面部第１片部対以外の互いに隣接する２つの片部である底面部第２片部対の一方である底面部第３片部（８０）における底面部第２片部対の他方（６０）の側の部分である第２端部領域（８４）が、底面部第３片部における第２端部領域以外の領域である第２本体部（８２）に対して折れ線を介して折曲げ可能であり、該第２端部領域が底面部第２片部対における他方に接着され、
内側スリーブ状部を四角筒状に組み立てた状態では、第１内側底面部の一部は、第１本体部（７２）と底面部第１片部対における他方との間に挟まれた状態となり、第２内側底面部の一部は、第２本体部（８２）と底面部第２片部対における他方との間に挟まれた状態となることを特徴とする請求項１３又は１４又は１５又は１６又は１７に記載の包装箱。
【請求項２０】
第１内側底面部における第１内側側面部側とは反対側の端部における底面部第１片部対の他方側の端部には、第１内側側面部側とは反対側に突出する第３突状部（１５４）が形成され、
第２内側底面部における第２内側側面部側とは反対側の端部における底面部第２片部対の他方側の端部には、第２内側側面部側とは反対側に突出する第４突状部（１６４）が形成され、
内側スリーブ状部を四角筒状に組み立てた状態では、第３突状部が、第１本体部（７２）と底面部第１片部対における他方との間に挟まれた状態となり、第４突状部が、第２本体部（８２）と底面部第２片部対における他方との間に挟まれた状態となることを特徴とする請求項１９に記載の包装箱。
【請求項２１】
中芯の断面略波形形状における段の方向が、第１内側側面部及び第２内側側面部において、縦方向に形成されていることを特徴とする請求項８又は９又は１０又は１１又は１２又は１３又は１４又は１５又は１６又は１７又は１８又は１９又は２０に記載の包装箱。
【請求項２２】
第３分離部が、内側右側面部の内側の面における第１分離部以外の領域に接着され、第４分離部が、内側左側面部の内側の面における第２分離部以外の領域に接着されていることを特徴とする請求項８又は９又は１０又は１１又は１２又は１３又は１４又は１５又は１６又は１７又は１８又は１９又は２０又は２１に記載の包装箱。
【請求項２３】
内側右側面部の上辺には第１突状部（２０−１）が形成されるとともに、内側左側面部の上辺には第２突状部（３０−１）が形成され、底面部における内側右側面部側の端部には、包装箱を積み重ねた場合に、下段の包装箱における第１突状部と係合する第１係合穴（２０−２）が形成され、底面部における内側左側面部側の端部には、包装箱を積み重ねた場合に、下段の包装箱における第２突状部と係合する第２係合穴（３０−２）が形成されていることを特徴とする請求項８又は９又は１０又は１１又は１２又は１３又は１４又は１５又は１６又は１７又は１８又は１９又は２０又は２１又は２２に記載の包装箱。
【請求項２４】
外側正面部の上辺から連設された第１フラップ部（２６０）と、外側背面部の上辺から連設された第２フラップ（２９０）が設けられ、
第１フラップ部の少なくとも先端領域の左右方向の長さ及び第２フラップ部の少なくとも先端領域の左右方向の長さは、第３切目線が破断して第１上面部が底面部に対して略平行であり、かつ、第４切目線が破断して第２上面部が底面部に対して略平行な状態で、第１フラップ部を外側正面部に対して回動して閉じた際に第１上面部及び第２上面部に接触せず、第２フラップ部を外側背面部に対して回動して閉じた際に第１上面部及び第２上面部に接触しないように、外側右側面部と外側左側面部間の長さから第１上面部の外側右側面部と第１内側側面部間の長さと第２上面部の外側左側面部と第２内側側面部間の長さとを減じた長さ以下に形成されていることを特徴とする請求項８又は９又は１０又は１１又は１２又は１３又は１４又は１５又は１６又は１７又は１８又は１９又は２０又は２１又は２２又は２３に記載の包装箱。
【発明の詳細な説明】
【技術分野】
【０００１】
本考案は、包装箱に関するものであり、複数の商品を集合して包装するとともに、包装箱の一部を分離させて商品を店頭等に陳列する包装箱に関するものである。
【背景技術】
【０００２】
出願人は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有し、外箱部の片部を外側に回動することにより分離部が片部に接着した状態のまま内箱部から分離し、その後、外箱部を上方に引き上げることにより、内箱部に収納された状態の商品を陳列することができる包装箱であって、積み重ねを行なうことができるものとして、特許文献１に示す先行技術文献についての出願を行っている。
【先行技術文献】
【特許文献】
【０００３】
【特許文献１】実用新案登録第３１５１３５５号公報
【発明の概要】
【発明が解決しようとする課題】
【０００４】
しかし、特許文献１の包装箱においては、商品を内箱部Ａ１に収納して梱包する際に、上面部１６０〜１９０を閉状態にする前に、内箱部Ａ１の上面部１５を正面部１０（特に、上部正面部１３ａ、１３ｂ）に対して折り曲げるとともに、差込みフラップ部１９を上面部１５に対して折り曲げて、差込みフラップ部１９を背面部４０の内側に差し込む作業が必要になり、また、商品Ｇが収納された内箱部Ａ１を複数積み重ねた場合に、最上段にある内箱部Ａ１に収納された商品を視認しやすくするとともに取り出しやすくするには、上面部１５から切取り片部１７を上面部１５から切り取って、商品を上方から視認するとともに商品を上方から取り出すことができるようにする必要がある。
【０００５】
そこで、本発明が解決しようとする問題点は、底面部と、内側スリーブ状部を有する内箱部で、内側スリーブ状部の側面部の一部が分離部として他の部分と切目線を介して分離可能な内箱部と、内箱部を覆う外箱部で、外側スリーブ状部と、蓋部とを有し、分離部が設けられた内側側面部に対応した外側側面部に分離部が接着されている外箱部と、を有する包装箱において、商品を梱包する際の作業工程が少なく、また、最上段の内箱部に収納された商品の視認や取り出しを容易とするために余分な作業を必要としない包装箱を提供することを目的とするものである。
【課題を解決するための手段】
【０００６】
本発明は上記問題点を解決するために創作されたものであって、第１には、包装箱であって、内箱部（Ａ）と外箱部（Ｂ）とを有し、内箱部が、底面部（５０）と、底面部の各辺から立設し底面部に対して略直角をなす内側スリーブ状部で、内側正面部（１０）と、内側右側面部（２０）と、内側左側面部（３０）と、内側背面部（４０）とからなる内側スリーブ状部（５）と、内側右側面部の上辺から連設され、内側右側面部の上辺に沿って帯状に形成された第１上面部で、内側右側面部の上辺から上方に向けて形成された第１上面部（１１０）と、第１上面部の内側右側面部とは反対側の辺部から連設された第１内側側面部で、第１上面部に対して折り返して形成された第１内側側面部（１２０）と、内側左側面部の上辺から連設され、内側左側面部の上辺に沿って帯状に形成された第２上面部で、内側左側面部の上辺から上方に向けて形成された第２上面部（１３０）と、第２上面部の内側左側面部とは反対側の辺部から連設された第２内側側面部で、第２上面部に対して折り返して形成された第２内側側面部（１４０）と、を有し、内側右側面部において、内側右側面部の一部が第１分離部（２４）として第１分離部以外の部分である内側右側面部本体部（２２）と第１切目線（２４ａ）を介して分離可能に形成され、内側左側面部において、内側左側面部の一部が第２分離部（３４）として第２分離部以外の部分である内側左側面部本体部（３２）と第２切目線（３４ａ）を介して分離可能に形成され、第１内側側面部において、第１内側側面部の一部が第３分離部（１２４）として第３分離部以外の部分である第１内側側面部本体部（１２２）と第３切目線（１２４ａ、１２４ｂ）を介して分離可能に形成され、第３分離部が内側右側面部の内側の面に接着され、第１内側側面部の下辺が底面部の上面よりも上方に位置し、第２内側側面部において、第２内側側面部の一部が第４分離部（１４４）として第４分離部以外の部分である第２内側側面部本体部（１４２）と第４切目線（１４４ａ、１４４ｂ）を介して分離可能に形成され、第４分離部が内側左側面部の内側の面に接着され、第２内側側面部の下辺が底面部の上面よりも上方に位置し、外箱部が、内箱部の外側の面に沿って設けられた外側スリーブ状部で、内箱部の内側正面部の外側の面に沿って形成された外側正面部（２１０）と、内側右側面部の外側の面に沿って形成された外側右側面部（２２０）と、内側左側面部の外側の面に沿って形成された外側左側面部（２３０）と、内側背面部の外側の面に沿って形成された外側背面部（２４０）とを有する外側スリーブ状部（２０５）と、外側右側面部の上辺から連設された第１蓋部（２７０）と、外側左側面部の上辺から連設された第２蓋部（２８０）と、を有し、外側右側面部に第１分離部が接着され、外側右側面部における第１分離部が接着された領域を含み第５切目線（２２２）を介して形成された第１片部（２２４）が外側右側面部の他の部分に対して回動可能に形成されるとともに、外側左側面部に第２分離部が接着され、外側左側面部における第２分離部が接着された領域を含み第６切目線（２３２）を介して形成された第２片部（２３４）が外側左側面部の他の部分に対して回動可能に形成され、第１上面部が外側右側面部の上辺よりも上方に突出して形成されるとともに、第２上面部が外側左側面部の上辺よりも上方に突出して形成され、外側右側面部の上辺から上方に立ち上がった状態の第１蓋部を外側右側面部に対して内側に回動させることにより、第１上面部が第１蓋部により押されて内側右側面部に対して回動し、第１上面部が内側右側面部に対して回動することにより、第１内側側面部が下方に押されて第３切目線が破断し、第１内側側面部本体部が第３分離部と分離して、第１内側側面部本体部の下端が底面部の上面に接し、第１内側側面部本体部の下端が底面部に接した状態で、第１上面部が底面部に対して略平行となり、外側左側面部の上辺から上方に立ち上がった状態の第２蓋部を外側左側面部に対して内側に回動させることにより、第２上面部が第２蓋部により押されて内側左側面部に対して回動し、第２上面部が内側左側面部に対して回動することにより、第２内側側面部が下方に押されて第４切目線が破断し、第２内側側面部本体部が第４分離部と分離して、第２内側側面部本体部の下端が底面部の上面に接し、第２内側側面部本体部の下端が底面部に接した状態で、第２上面部が底面部に対して略平行となることを特徴とする。
【０００７】
上記第１の構成の包装箱においては、第１蓋部を外側右側面部に対して内側に回動させることにより、第１上面部が内側右側面部に対して回動し、第１上面部が内側右側面部に対して回動することにより、第１内側側面部が下方に押されて第３切目線が破断し、第１内側側面部本体部が第３分離部と分離して、第１内側側面部本体部の下端が底面部の上面に接し、第１内側側面部本体部の下端が底面部に接した状態で、第１上面部が底面部に対して略平行となり、第２蓋部を外側左側面部に対して内側に回動させることにより、第２上面部が内側左側面部に対して回動し、第２上面部が内側左側面部に対して回動することにより、第２内側側面部が下方に押されて第４切目線が破断し、第２内側側面部本体部が第４分離部と分離して、第２内側側面部本体部の下端が底面部の上面に接し、第２内側側面部本体部の下端が底面部に接した状態で、第２上面部が底面部に対して略平行となるので、内箱部に被収納物を収納した後に、第１蓋部と第２蓋部とを回動させて、第１上面部と第２上面部とを底面部と略平行にすることにより、下段の包装箱における第１上面部と第２上面部の上に上段の包装箱における底面部を載せることができ、包装箱を積み重ねることができる。
【０００８】
また、被収納物を梱包する際に、被収納物を収納した後に第１蓋部と第２蓋部を回動させることにより、第１上面部と第２上面部が回動して底面部と略平行（つまり、略水平）になるので、別途内箱部を積み重ねるための構成の組立て作業を行なう必要がなく、被収納物を梱包する際の作業工程が少なくことができる。
【０００９】
また、積み重ねた状態の内箱部において、最上段の内箱部も左右両側に第１上面部と第２上面部が設けられているのみで被収納物の上方が開口された状態であるので、被収納物商品の視認や取出しに支障はなく、最上段の内箱部に収納された被収納物の視認や取り出しを容易とするために余分な作業が必要ない。
【００１０】
なお、上記第１の構成において、第１片部を外側に回動させることにより第１切目線が破断し、第２片部を外側に回動させることにより第２切目線が破断するものとしてもよい。
【００１１】
また、第２には、上記第１の構成において、第３切目線が第１内側側面部の下辺から上方に一対形成され、第３分離部が、該一対の第３切目線と一対の第３切目線の上端の間に形成された開口部（１２４ｃ）により第１内側側面部本体部と区画され、第４切目線が第２内側側面部の下辺から上方に一対形成され、第４分離部が、該一対の第４切目線と一対の第４切目線の上端の間に形成された開口部（１４４ｃ）により第２内側側面部本体部と区画されていることを特徴とする。
【００１２】
よって、第３分離部の上側と第４分離部の上側に開口部が設けられているので、第１内側側面部と第２内側側面部を内側に押すことにより、第３切目線と第４切目線とを容易に破断することができる。
【００１３】
また、第３には、上記第２の構成において、一対の第３切目線が、一対の第３切目線間の間隔が上方にいくほど大きくなるようにテーパ状に形成され、一対の第４切目線が、一対の第４切目線間の間隔が上方にいくほど大きくなるようにテーパ状に形成されていることを特徴とする。よって、第１内側側面部が下方に押された際の第３切目線の破断と第２内側側面部が下方に押された際の第４切目線の破断が容易となる。
【００１４】
また、第４には、上記第１から第３までのいずれかの構成において、第３分離部が、内側右側面部の内側の面における第１分離部以外の領域に接着され、第４分離部が、内側左側面部の内側の面における第２分離部以外の領域に接着されていることを特徴とする。これにより、第３分離部が第１分離部の領域に接着され、第４分離部が第２分離部に接着されている場合には、第３切目線や第４切目線の破断の際に第１切目線や第２切目線が破断するおそれがあるが、そのようなおそれがない。
【００１５】
また、第５には、上記第１から第４までのいずれかの構成において、内側右側面部の上辺には第１突状部（２０−１）が形成されるとともに、内側左側面部の上辺には第２突状部（３０−１）が形成され、底面部における内側右側面部側の端部には、包装箱を積み重ねた場合に、下段の包装箱における第１突状部と係合する第１係合穴（２０−２）が形成され、底面部における内側左側面部側の端部には、包装箱を積み重ねた場合に、下段の包装箱における第２突状部と係合する第２係合穴（３０−２）が形成されていることを特徴とする。よって、包装箱を積み重ねた状態を固定することができ、上側の内箱部が下側の内箱部からずり落ちることがない。
【００１６】
なお、上記第５において、「第１突状部は、内側右側面部と第１上面部間の境界に切込みを形成することにより形成され、第２突状部は、内側左側面部と第２上面部間の境界に切込みを形成することにより形成されていることを特徴とする。」とするのが好ましい。
【００１７】
また、第６には、上記第１から第５までのいずれかの構成において、外側正面部の上辺から連設された第１フラップ部（２６０）と、外側背面部の上辺から連設された第２フラップ（２９０）が設けられ、第１フラップ部の少なくとも先端領域の左右方向の長さ及び第２フラップ部の少なくとも先端領域の左右方向の長さは、第３切目線が破断して第１上面部が底面部に対して略平行であり、かつ、第４切目線が破断して第２上面部が底面部に対して略平行な状態で、第１フラップ部を外側正面部に対して回動して閉じた際に第１上面部及び第２上面部に接触せず、第２フラップ部を外側背面部に対して回動して閉じた際に第１上面部及び第２上面部に接触しないように、外側右側面部と外側左側面部間の長さから第１上面部の外側右側面部と第１内側側面部間の長さと第２上面部の外側左側面部と第２内側側面部間の長さとを減じた長さ以下に形成されていることを特徴とする。
【００１８】
よって、第１フラップ部及び第２フラップ部が、第１上面部及び第２上面部と干渉することがなく、外箱部の第１蓋部と第２蓋部を閉じた状態とする際に支障となることがない。
【００１９】
また、第７には、上記第１から第６までのいずれかの構成において、底面部が、ワンタッチ底により形成され、内側正面部の下辺から連設された底面部第１片部（６０）と、内側右側面部の下辺から連設された底面部第２片部（７０）と、内側左側面部の下辺から連設された底面部第３片部（８０）と、内側背面部の下辺から連設された底面部第４片部（９０）とを有し、底面部第１片部と底面部第２片部と底面部第３片部と底面部第４片部における隣接する２つの片部である底面部第１片部対の一方における他方の側の部分である第１端部領域が（底面部第１片部対の一方における第１端部領域以外の領域である第１本体部に対して）折れ線を介して折曲げ可能であり、該第１端部領域が底面部第１片部対における他方に接着され、底面部第１片部と底面部第２片部と底面部第３片部と底面部第４片部における底面部第１片部対以外の互いに隣接する２つの片部である底面部第２片部対の一方における他方の側の部分である第２端部領域が（底面部第２片部対の一方における第２端部領域以外の領域である第２本体部に対して）折れ線を介して折曲げ可能であり、該第２端部領域が底面部第２片部対における他方に接着されていることを特徴とする。
【００２０】
また、第８には、包装箱であって、内箱部（Ａ）と外箱部（Ｂ）とを有し、内箱部が、底面部（５０）と、底面部の各辺から立設し底面部に対して略直角をなす内側スリーブ状部で、内側正面部（１０）と、内側右側面部（２０）と、内側左側面部（３０）と、内側背面部（４０）とからなる内側スリーブ状部（５）と、内側右側面部の上辺から連設され、内側右側面部の上辺に沿って帯状に形成された第１上面部で、内側右側面部の上辺から上方に向けて形成された第１上面部（１１０）と、第１上面部の内側右側面部とは反対側の辺部から連設された第１内側側面部で、第１上面部に対して折り返して形成された第１内側側面部（１２０）と、内側左側面部の上辺から連設され、内側左側面部の上辺に沿って帯状に形成された第２上面部で、内側左側面部の上辺から上方に向けて形成された第２上面部（１３０）と、第２上面部の内側左側面部とは反対側の辺部から連設された第２内側側面部で、第２上面部に対して折り返して形成された第２内側側面部（１４０）と、を有し、内側右側面部において、内側右側面部の一部が第１分離部（２４）として第１分離部以外の部分である内側右側面部本体部（２２）と第１切目線（２４ａ）を介して分離可能に形成され、内側左側面部において、内側左側面部の一部が第２分離部（３４）として第２分離部以外の部分である内側左側面部本体部（３２）と第２切目線（３４ａ）を介して分離可能に形成され、第１内側側面部において、第１内側側面部の一部が第３分離部（１２４）として第３分離部以外の部分である第１内側側面部本体部（１２２）と第３切目線（１２４ａ、１２４ｂ）を介して分離可能に形成され、第３分離部が内側右側面部の内側の面に接着され、第１内側側面部の下辺が底面部の上面よりも上方に位置し、第２内側側面部において、第２内側側面部の一部が第４分離部（１４４）として第４分離部以外の部分である第２内側側面部本体部（１４２）と第４切目線（１４４ａ、１４４ｂ）を介して分離可能に形成され、第４分離部が内側左側面部の内側の面に接着され、第２内側側面部の下辺が底面部の上面よりも上方に位置し、第１内側側面部が、第１内側側面部の上端から下方に形成された第１上側領域（１２０−１）と、第１内側側面部の下端から上方に形成され、第１上側領域の下端位置にまで形成された第１下側領域（１２０−２）とを有し、第１下側領域が、第１ライナー（１０１２）と、第１ライナーの一方の面に接着された中芯で断面略波形形状の中芯（１０１４）とを有する片面段ボールにより形成され、第１上側領域が、該第１ライナーと、該中芯と、該中芯の第１ライナーとは反対側の面に接着された第２ライナー（１０１６）とを有する両面段ボールにより形成され、第１下側領域における中芯は、第２内側側面部側に露出して形成され、第２内側側面部が、第２内側側面部の上端から下方に形成された第２上側領域（１４０−１）と、第２内側側面部の下端から上方に形成され、第２上側領域の下端位置にまで形成された第２下側領域（１４０−２）とを有し、第２下側領域が、該第１ライナーと、該中芯とを有する片面段ボールにより形成され、第２上側領域が、該第１ライナーと、該中芯と、該第２ライナーとを有する両面段ボールにより形成され、第２下側領域における中芯は、第１内側側面部側に露出して形成され、外箱部が、内箱部の外側の面に沿って設けられた外側スリーブ状部で、内箱部の内側正面部の外側の面に沿って形成された外側正面部（２１０）と、内側右側面部の外側の面に沿って形成された外側右側面部（２２０）と、内側左側面部の外側の面に沿って形成された外側左側面部（２３０）と、内側背面部の外側の面に沿って形成された外側背面部（２４０）とを有する外側スリーブ状部（２０５）と、外側右側面部の上辺から連設された第１蓋部（２７０）と、外側左側面部の上辺から連設された第２蓋部（２８０）と、を有し、外側右側面部に第１分離部が接着され、外側右側面部における第１分離部が接着された領域を含み第５切目線（２２２）を介して形成された第１片部（２２４）が外側右側面部の他の部分に対して回動可能に形成されるとともに、外側左側面部に第２分離部が接着され、外側左側面部における第２分離部が接着された領域を含み第６切目線（２３２）を介して形成された第２片部（２３４）が外側左側面部の他の部分に対して回動可能に形成され、第１上面部が外側右側面部の上辺よりも上方に突出して形成されるとともに、第２上面部が外側左側面部の上辺よりも上方に突出して形成され、外側右側面部の上辺から上方に立ち上がった状態の第１蓋部を外側右側面部に対して内側に回動させることにより、第１上面部が第１蓋部により押されて内側右側面部に対して回動し、第１上面部が内側右側面部に対して回動することにより、第１内側側面部が下方に押されて第３切目線が破断し、第１内側側面部本体部が第３分離部と分離して、第１内側側面部本体部の下端が底面部の上面に接し、第１内側側面部本体部の下端が底面部に接した状態で、第１上面部が底面部に対して略平行となり、外側左側面部の上辺から上方に立ち上がった状態の第２蓋部を外側左側面部に対して内側に回動させることにより、第２上面部が第２蓋部により押されて内側左側面部に対して回動し、第２上面部が内側左側面部に対して回動することにより、第２内側側面部が下方に押されて第４切目線が破断し、第２内側側面部本体部が第４分離部と分離して、第２内側側面部本体部の下端が底面部の上面に接し、第２内側側面部本体部の下端が底面部に接した状態で、第２上面部が底面部に対して略平行となることを特徴とする。
【００２１】
上記第８の構成の包装箱においては、第１蓋部を外側右側面部に対して内側に回動させることにより、第１上面部が内側右側面部に対して回動し、第１上面部が内側右側面部に対して回動することにより、第１内側側面部が下方に押されて第３切目線が破断し、第１内側側面部本体部が第３分離部と分離して、第１内側側面部本体部の下端が底面部の上面に接し、第１内側側面部本体部の下端が底面部に接した状態で、第１上面部が底面部に対して略平行となり、第２蓋部を外側左側面部に対して内側に回動させることにより、第２上面部が内側左側面部に対して回動し、第２上面部が内側左側面部に対して回動することにより、第２内側側面部が下方に押されて第４切目線が破断し、第２内側側面部本体部が第４分離部と分離して、第２内側側面部本体部の下端が底面部の上面に接し、第２内側側面部本体部の下端が底面部に接した状態で、第２上面部が底面部に対して略平行となるので、内箱部に被収納物を収納した後に、第１蓋部と第２蓋部とを回動させて、第１上面部と第２上面部とを底面部と略平行にすることにより、下段の包装箱における第１上面部と第２上面部の上に上段の包装箱における底面部を載せることができ、包装箱を積み重ねることができる。
【００２２】
また、被収納物を梱包する際に、被収納物を収納した後に第１蓋部と第２蓋部を回動させることにより、第１上面部と第２上面部が回動して底面部と略平行（つまり、略水平）になるので、別途内箱部を積み重ねるための構成の組立て作業を行なう必要がなく、被収納物を梱包する際の作業工程が少なくことができる。
【００２３】
また、積み重ねた状態の内箱部において、最上段の内箱部も左右両側に第１上面部と第２上面部が設けられているのみで被収納物の上方が開口された状態であるので、被収納物商品の視認や取出しに支障はなく、最上段の内箱部に収納された被収納物の視認や取り出しを容易とするために余分な作業が必要ない。
【００２４】
また、第１内側側面部の第１下側領域における中芯は、第２内側側面部側に露出して形成され、第２内側側面部の第２下側領域における中芯は、第１内側側面部側に露出して形成されているので、中芯を被収納物の滑り止めとして機能させることができる。
【００２５】
なお、上記第８の構成において、第１片部を外側に回動させることにより第１切目線が破断し、第２片部を外側に回動させることにより第２切目線が破断するものとしてもよい。
【００２６】
また、第９には、上記第８の構成において、第３切目線が第１内側側面部の下辺から上方に一対形成され、第３分離部が、該一対の第３切目線と一対の第３切目線の上端の間に形成された第１開口部（１２４ｃ）により第１内側側面部本体部と区画され、第３分離部と第１開口部は、第１内側側面部における第１下側領域に形成され、第４切目線が第２内側側面部の下辺から上方に一対形成され、第４分離部が、該一対の第４切目線と一対の第４切目線の上端の間に形成された第２開口部（１４４ｃ）により第２内側側面部本体部と区画され、第４分離部と第２開口部は、第２内側側面部における第２下側領域に形成されていることを特徴とする。
【００２７】
よって、第３分離部の上側と第４分離部の上側に開口部が設けられているので、第１内側側面部と第２内側側面部を内側に押すことにより、第３切目線と第４切目線とを容易に破断することができる。
【００２８】
また、第１０には、包装箱であって、内箱部（Ａ）と外箱部（Ｂ）とを有し、内箱部が、底面部（５０）と、底面部の各辺から立設し底面部に対して略直角をなす内側スリーブ状部で、内側正面部（１０）と、内側右側面部（２０）と、内側左側面部（３０）と、内側背面部（４０）とからなる内側スリーブ状部（５）と、内側右側面部の上辺から連設され、内側右側面部の上辺に沿って帯状に形成された第１上面部で、内側右側面部の上辺から上方に向けて形成された第１上面部（１１０）と、第１上面部の内側右側面部とは反対側の辺部から連設された第１内側側面部で、第１上面部に対して折り返して形成された第１内側側面部（１２０）と、内側左側面部の上辺から連設され、内側左側面部の上辺に沿って帯状に形成された第２上面部で、内側左側面部の上辺から上方に向けて形成された第２上面部（１３０）と、第２上面部の内側左側面部とは反対側の辺部から連設された第２内側側面部で、第２上面部に対して折り返して形成された第２内側側面部（１４０）と、を有し、内側右側面部において、内側右側面部の一部が第１分離部（２４）として第１分離部以外の部分である内側右側面部本体部（２２）と第１切目線（２４ａ）を介して分離可能に形成され、内側左側面部において、内側左側面部の一部が第２分離部（３４）として第２分離部以外の部分である内側左側面部本体部（３２）と第２切目線（３４ａ）を介して分離可能に形成され、第１内側側面部において、第１内側側面部の一部が第３分離部（１２４）として第３分離部以外の部分である第１内側側面部本体部（１２２）と第３切目線（１２４ａ、１２４ｂ）を介して分離可能に形成され、第３分離部が内側右側面部の内側の面に接着され、第１内側側面部の下辺が底面部の上面よりも上方に位置し、第２内側側面部において、第２内側側面部の一部が第４分離部（１４４）として第４分離部以外の部分である第２内側側面部本体部（１４２）と第４切目線（１４４ａ、１４４ｂ）を介して分離可能に形成され、第４分離部が内側左側面部の内側の面に接着され、第２内側側面部の下辺が底面部の上面よりも上方に位置し、第１内側側面部が、第１ライナーと、第１ライナーの一方の面に接着された中芯で断面略波形形状の中芯とを有する片面段ボールにより形成され、第１内側側面部における該中芯は、第２内側側面部側に露出して形成され、第２内側側面部が、該第１ライナーと、該中芯とを有する片面段ボールにより形成され、第２内側側面部における該中芯は、第１内側側面部側に露出して形成され、外箱部が、内箱部の外側の面に沿って設けられた外側スリーブ状部で、内箱部の内側正面部の外側の面に沿って形成された外側正面部（２１０）と、内側右側面部の外側の面に沿って形成された外側右側面部（２２０）と、内側左側面部の外側の面に沿って形成された外側左側面部（２３０）と、内側背面部の外側の面に沿って形成された外側背面部（２４０）とを有する外側スリーブ状部（２０５）と、外側右側面部の上辺から連設された第１蓋部（２７０）と、外側左側面部の上辺から連設された第２蓋部（２８０）と、を有し、外側右側面部に第１分離部が接着され、外側右側面部における第１分離部が接着された領域を含み第５切目線（２２２）を介して形成された第１片部（２２４）が外側右側面部の他の部分に対して回動可能に形成されるとともに、外側左側面部に第２分離部が接着され、外側左側面部における第２分離部が接着された領域を含み第６切目線（２３２）を介して形成された第２片部（２３４）が外側左側面部の他の部分に対して回動可能に形成され、第１上面部が外側右側面部の上辺よりも上方に突出して形成されるとともに、第２上面部が外側左側面部の上辺よりも上方に突出して形成され、外側右側面部の上辺から上方に立ち上がった状態の第１蓋部を外側右側面部に対して内側に回動させることにより、第１上面部が第１蓋部により押されて内側右側面部に対して回動し、第１上面部が内側右側面部に対して回動することにより、第１内側側面部が下方に押されて第３切目線が破断し、第１内側側面部本体部が第３分離部と分離して、第１内側側面部本体部の下端が底面部の上面に接し、第１内側側面部本体部の下端が底面部に接した状態で、第１上面部が底面部に対して略平行となり、外側左側面部の上辺から上方に立ち上がった状態の第２蓋部を外側左側面部に対して内側に回動させることにより、第２上面部が第２蓋部により押されて内側左側面部に対して回動し、第２上面部が内側左側面部に対して回動することにより、第２内側側面部が下方に押されて第４切目線が破断し、第２内側側面部本体部が第４分離部と分離して、第２内側側面部本体部の下端が底面部の上面に接し、第２内側側面部本体部の下端が底面部に接した状態で、第２上面部が底面部に対して略平行となることを特徴とする。
【００２９】
上記第１０の構成の包装箱においては、第１蓋部を外側右側面部に対して内側に回動させることにより、第１上面部が内側右側面部に対して回動し、第１上面部が内側右側面部に対して回動することにより、第１内側側面部が下方に押されて第３切目線が破断し、第１内側側面部本体部が第３分離部と分離して、第１内側側面部本体部の下端が底面部の上面に接し、第１内側側面部本体部の下端が底面部に接した状態で、第１上面部が底面部に対して略平行となり、第２蓋部を外側左側面部に対して内側に回動させることにより、第２上面部が内側左側面部に対して回動し、第２上面部が内側左側面部に対して回動することにより、第２内側側面部が下方に押されて第４切目線が破断し、第２内側側面部本体部が第４分離部と分離して、第２内側側面部本体部の下端が底面部の上面に接し、第２内側側面部本体部の下端が底面部に接した状態で、第２上面部が底面部に対して略平行となるので、内箱部に被収納物を収納した後に、第１蓋部と第２蓋部とを回動させて、第１上面部と第２上面部とを底面部と略平行にすることにより、下段の包装箱における第１上面部と第２上面部の上に上段の包装箱における底面部を載せることができ、包装箱を積み重ねることができる。
【００３０】
また、被収納物を梱包する際に、被収納物を収納した後に第１蓋部と第２蓋部を回動させることにより、第１上面部と第２上面部が回動して底面部と略平行（つまり、略水平）になるので、別途内箱部を積み重ねるための構成の組立て作業を行なう必要がなく、被収納物を梱包する際の作業工程が少なくことができる。
【００３１】
また、積み重ねた状態の内箱部において、最上段の内箱部も左右両側に第１上面部と第２上面部が設けられているのみで被収納物の上方が開口された状態であるので、被収納物商品の視認や取出しに支障はなく、最上段の内箱部に収納された被収納物の視認や取り出しを容易とするために余分な作業が必要ない。
【００３２】
また、第１内側側面部の第１下側領域における中芯は、第２内側側面部側に露出して形成され、第２内側側面部の第２下側領域における中芯は、第１内側側面部側に露出して形成されているので、中芯を被収納物の滑り止めとして機能させることができる。
【００３３】
なお、上記第１０の構成において、第１片部を外側に回動させることにより第１切目線が破断し、第２片部を外側に回動させることにより第２切目線が破断するものとしてもよい。
【００３４】
また、第１１には、上記第１０の構成において、第３切目線が第１内側側面部の下辺から上方に一対形成され、第３分離部が、該一対の第３切目線と一対の第３切目線の上端の間に形成された開口部（１２４ｃ）により第１内側側面部本体部と区画され、
第４切目線が第２内側側面部の下辺から上方に一対形成され、第４分離部が、該一対の第４切目線と一対の第４切目線の上端の間に形成された開口部（１４４ｃ）により第２内側側面部本体部と区画されていることを特徴とする。
【００３５】
よって、第３分離部の上側と第４分離部の上側に開口部が設けられているので、第１内側側面部と第２内側側面部を内側に押すことにより、第３切目線と第４切目線とを容易に破断することができる。
【００３６】
また、第１２には、上記第９又は第１１の構成において、一対の第３切目線が、一対の第３切目線間の間隔が上方にいくほど大きくなるようにテーパ状に形成され、一対の第４切目線が、一対の第４切目線間の間隔が上方にいくほど大きくなるようにテーパ状に形成されていることを特徴とする。よって、第１内側側面部が下方に押された際の第３切目線の破断と第２内側側面部が下方に押された際の第４切目線の破断が容易となる。
【００３７】
また、第１３には、包装箱であって、内箱部（Ａ）と外箱部（Ｂ）とを有し、内箱部が、底面部（５０）と、底面部の各辺から立設し底面部に対して略直角をなす内側スリーブ状部で、内側正面部（１０）と、内側右側面部（２０）と、内側左側面部（３０）と、内側背面部（４０）とからなる内側スリーブ状部（５）と、内側右側面部の上辺から連設され、内側右側面部の上辺に沿って帯状に形成された第１上面部で、内側右側面部の上辺から上方に向けて形成された第１上面部（１１０）と、第１上面部の内側右側面部とは反対側の辺部から連設された第１内側側面部で、第１上面部に対して折り返して形成された第１内側側面部（１２０）と、内側左側面部の上辺から連設され、内側左側面部の上辺に沿って帯状に形成された第２上面部で、内側左側面部の上辺から上方に向けて形成された第２上面部（１３０）と、第２上面部の内側左側面部とは反対側の辺部から連設された第２内側側面部で、第２上面部に対して折り返して形成された第２内側側面部（１４０）と、第１内側側面部の下端の辺部から折れ線を介して連設された第１内側底面部（１５０）と、第２内側側面部の下端の辺部から折れ線を介して連設された第２内側底面部（１６０）と、を有し、内側右側面部において、内側右側面部の一部が第１分離部（２４）として第１分離部以外の部分である内側右側面部本体部（２２）と第１切目線（２４ａ）を介して分離可能に形成され、内側左側面部において、内側左側面部の一部が第２分離部（３４）として第２分離部以外の部分である内側左側面部本体部（３２）と第２切目線（３４ａ）を介して分離可能に形成され、第１内側側面部において、第１内側側面部の一部が第３分離部（１２４）として第３分離部以外の部分である第１内側側面部本体部（１２２）と第３切目線（１２４ａ、１２４ｂ）を介して分離可能に形成され、第３分離部が内側右側面部の内側の面に接着され、第１内側側面部の下辺が底面部の上面よりも上方に位置し、第２内側側面部において、第２内側側面部の一部が第４分離部（１４４）として第４分離部以外の部分である第２内側側面部本体部（１４２）と第４切目線（１４４ａ、１４４ｂ）を介して分離可能に形成され、第４分離部が内側左側面部の内側の面に接着され、第２内側側面部の下辺が底面部の上面よりも上方に位置し、第１内側側面部が、第１内側側面部の上端から下方に形成された第１上側領域（１２０−１）と、第１内側側面部の下端から上方に形成され、第１上側領域の下端位置にまで形成された第１下側領域（１２０−２）とを有し、第１下側領域が、第１ライナー（１０１２）と、第１ライナーの一方の面に接着された中芯で断面略波形形状の中芯（１０１４）とを有する片面段ボールにより形成され、第１上側領域が、該第１ライナーと、該中芯と、該中芯の第１ライナーとは反対側の面に接着された第２ライナー（１０１６）とを有する両面段ボールにより形成され、第１下側領域における中芯は、第２内側側面部側に露出して形成され、第２内側側面部が、第２内側側面部の上端から下方に形成された第２上側領域（１４０−１）と、第２内側側面部の下端から上方に形成され、第２上側領域の下端位置にまで形成された第２下側領域（１４０−２）とを有し、第２下側領域が、該第１ライナーと、該中芯とを有する片面段ボールにより形成され、第２上側領域が、該第１ライナーと、該中芯と、該第２ライナーとを有する両面段ボールにより形成され、第２下側領域における中芯は、第１内側側面部側に露出して形成され、第１内側底面部は、第１内側側面部における第１ライナーから連設されたライナーである第１連設ライナーと、第１内側側面部における中芯から連設され、該第１連設ライナーに接着された中芯とを有する片面段ボールにより形成され、第２内側底面部は、第２内側側面部における第１ライナーから連設されたライナーである第２連設ライナーと、第２内側側面部における中芯から連設され、該第２連設ライナーに接着された中芯とを有する片面段ボールにより形成され、外箱部が、内箱部の外側の面に沿って設けられた外側スリーブ状部で、内箱部の内側正面部の外側の面に沿って形成された外側正面部（２１０）と、内側右側面部の外側の面に沿って形成された外側右側面部（２２０）と、内側左側面部の外側の面に沿って形成された外側左側面部（２３０）と、内側背面部の外側の面に沿って形成された外側背面部（２４０）とを有する外側スリーブ状部（２０５）と、外側右側面部の上辺から連設された第１蓋部（２７０）と、外側左側面部の上辺から連設された第２蓋部（２８０）と、を有し、外側右側面部に第１分離部が接着され、外側右側面部における第１分離部が接着された領域を含み第５切目線（２２２）を介して形成された第１片部（２２４）が外側右側面部の他の部分に対して回動可能に形成されるとともに、外側左側面部に第２分離部が接着され、外側左側面部における第２分離部が接着された領域を含み第６切目線（２３２）を介して形成された第２片部（２３４）が外側左側面部の他の部分に対して回動可能に形成され、第１上面部が外側右側面部の上辺よりも上方に突出して形成されるとともに、第２上面部が外側左側面部の上辺よりも上方に突出して形成され、外側右側面部の上辺から上方に立ち上がった状態の第１蓋部を外側右側面部に対して内側に回動させることにより、第１上面部が第１蓋部により押されて内側右側面部に対して回動し、第１上面部が内側右側面部に対して回動することにより、第１内側側面部が下方に押されて第３切目線が破断し、第１内側側面部本体部が第３分離部と分離して、第１内側側面部本体部の下端が底面部の上面に接し、第１内側側面部本体部の下端が底面部に接した状態で、第１上面部が底面部に対して略平行となり、外側左側面部の上辺から上方に立ち上がった状態の第２蓋部を外側左側面部に対して内側に回動させることにより、第２上面部が第２蓋部により押されて内側左側面部に対して回動し、第２上面部が内側左側面部に対して回動することにより、第２内側側面部が下方に押されて第４切目線が破断し、第２内側側面部本体部が第４分離部と分離して、第２内側側面部本体部の下端が底面部の上面に接し、第２内側側面部本体部の下端が底面部に接した状態で、第２上面部が底面部に対して略平行となり、第１上面部が底面部に対して略平行になった状態では、第１内側底面部が第１上面部と略平行な状態で底面部に接し、第１内側底面部における中芯が第１連設ライナーの上側に位置し、第２上面部が底面部に対して略平行になった状態では、第２内側底面部が第２上面部と略平行な状態で底面部に接し、第２内側底面部における中芯が第２連設ライナーの上側に位置することを特徴とする。
【００３８】
上記第１３の構成の包装箱においては、第１蓋部を外側右側面部に対して内側に回動させることにより、第１上面部が内側右側面部に対して回動し、第１上面部が内側右側面部に対して回動することにより、第１内側側面部が下方に押されて第３切目線が破断し、第１内側側面部本体部が第３分離部と分離して、第１内側側面部本体部の下端が底面部の上面に接し、第１内側側面部本体部の下端が底面部に接した状態で、第１上面部が底面部に対して略平行となり、第２蓋部を外側左側面部に対して内側に回動させることにより、第２上面部が内側左側面部に対して回動し、第２上面部が内側左側面部に対して回動することにより、第２内側側面部が下方に押されて第４切目線が破断し、第２内側側面部本体部が第４分離部と分離して、第２内側側面部本体部の下端が底面部の上面に接し、第２内側側面部本体部の下端が底面部に接した状態で、第２上面部が底面部に対して略平行となるので、内箱部に被収納物を収納した後に、第１蓋部と第２蓋部とを回動させて、第１上面部と第２上面部とを底面部と略平行にすることにより、下段の包装箱における第１上面部と第２上面部の上に上段の包装箱における底面部を載せることができ、包装箱を積み重ねることができる。
【００３９】
また、被収納物を梱包する際に、被収納物を収納した後に第１蓋部と第２蓋部を回動させることにより、第１上面部と第２上面部が回動して底面部と略平行（つまり、略水平）になるので、別途内箱部を積み重ねるための構成の組立て作業を行なう必要がなく、被収納物を梱包する際の作業工程が少なくことができる。
【００４０】
また、積み重ねた状態の内箱部において、最上段の内箱部も左右両側に第１上面部と第２上面部が設けられているのみで被収納物の上方が開口された状態であるので、被収納物商品の視認や取出しに支障はなく、最上段の内箱部に収納された被収納物の視認や取り出しを容易とするために余分な作業が必要ない。
【００４１】
また、第１内側側面部の第１下側領域における中芯は、第２内側側面部側に露出して形成され、第２内側側面部の第２下側領域における中芯は、第１内側側面部側に露出して形成されているので、中芯を被収納物の滑り止めとして機能させることができる。
【００４２】
また、第１内側底面部や第２内側底面部の中芯を被収納物の滑り止めとして機能させることができる。
【００４３】
なお、上記第１３の構成において、第１片部を外側に回動させることにより第１切目線が破断し、第２片部を外側に回動させることにより第２切目線が破断するものとしてもよい。
【００４４】
また、第１４には、上記第１３の構成において、第３切目線が第１内側側面部の下辺から上方に一対形成され、第３分離部が、該一対の第３切目線と一対の第３切目線の上端の間に形成された第１開口部（１２４ｃ）により第１内側側面部本体部と区画されるとともに、第３分離部が、第１内側側面部と第１内側底面部間の折れ線に沿って形成された切目線を介して第１内側底面部と区画され、第３分離部と第１開口部は、第１内側側面部における第１下側領域に形成され、
第４切目線が第２内側側面部の下辺から上方に一対形成され、第４分離部が、該一対の第４切目線と一対の第４切目線の上端の間に形成された第２開口部（１４４ｃ）により第２内側側面部本体部と区画されるとともに、第４分離部が、第２内側側面部と第２内側底面部間の折れ線に沿って形成された切目線を介して第２内側底面部と区画され、第４分離部と第２開口部は、第２内側側面部における第２下側領域に形成されていることを特徴とする。
【００４５】
よって、第３分離部の上側と第４分離部の上側に開口部が設けられているので、第１内側側面部と第２内側側面部を内側に押すことにより、第３切目線と第４切目線とを容易に破断することができる。
【００４６】
また、第１５には、（請求項１０）包装箱であって、内箱部（Ａ）と外箱部（Ｂ）とを有し、内箱部が、底面部（５０）と、底面部の各辺から立設し底面部に対して略直角をなす内側スリーブ状部で、内側正面部（１０）と、内側右側面部（２０）と、内側左側面部（３０）と、内側背面部（４０）とからなる内側スリーブ状部（５）と、内側右側面部の上辺から連設され、内側右側面部の上辺に沿って帯状に形成された第１上面部で、内側右側面部の上辺から上方に向けて形成された第１上面部（１１０）と、第１上面部の内側右側面部とは反対側の辺部から連設された第１内側側面部で、第１上面部に対して折り返して形成された第１内側側面部（１２０）と、内側左側面部の上辺から連設され、内側左側面部の上辺に沿って帯状に形成された第２上面部で、内側左側面部の上辺から上方に向けて形成された第２上面部（１３０）と、第２上面部の内側左側面部とは反対側の辺部から連設された第２内側側面部で、第２上面部に対して折り返して形成された第２内側側面部（１４０）と、第１内側側面部の下端の辺部から折れ線を介して連設された第１内側底面部（１５０）と、第２内側側面部の下端の辺部から折れ線を介して連設された第２内側底面部（１６０）と、を有し、内側右側面部において、内側右側面部の一部が第１分離部（２４）として第１分離部以外の部分である内側右側面部本体部（２２）と第１切目線（２４ａ）を介して分離可能に形成され、内側左側面部において、内側左側面部の一部が第２分離部（３４）として第２分離部以外の部分である内側左側面部本体部（３２）と第２切目線（３４ａ）を介して分離可能に形成され、第１内側側面部において、第１内側側面部の一部が第３分離部（１２４）として第３分離部以外の部分である第１内側側面部本体部（１２２）と第３切目線（１２４ａ、１２４ｂ）を介して分離可能に形成され、第３分離部が内側右側面部の内側の面に接着され、第１内側側面部の下辺が底面部の上面よりも上方に位置し、第２内側側面部において、第２内側側面部の一部が第４分離部（１４４）として第４分離部以外の部分である第２内側側面部本体部（１４２）と第４切目線（１４４ａ、１４４ｂ）を介して分離可能に形成され、第４分離部が内側左側面部の内側の面に接着され、第２内側側面部の下辺が底面部の上面よりも上方に位置し、第１内側側面部が、第１ライナーと、第１ライナーの一方の面に接着された中芯で断面略波形形状の中芯とを有する片面段ボールにより形成され、第１内側側面部における該中芯は、第２内側側面部側に露出して形成され、第２内側側面部が、該第１ライナーと、該中芯とを有する片面段ボールにより形成され、第２内側側面部における該中芯は、第１内側側面部側に露出して形成され、第１内側底面部は、第１内側側面部における第１ライナーから連設されたライナーである第１連設ライナーと、第１内側側面部における中芯から連設され、該第１連設ライナーに接着された中芯とを有する片面段ボールにより形成され、第２内側底面部は、第２内側側面部における第１ライナーから連設されたライナーである第２連設ライナーと、第２内側側面部における中芯から連設され、該第２連設ライナーに接着された中芯とを有する片面段ボールにより形成され、外箱部が、内箱部の外側の面に沿って設けられた外側スリーブ状部で、内箱部の内側正面部の外側の面に沿って形成された外側正面部（２１０）と、内側右側面部の外側の面に沿って形成された外側右側面部（２２０）と、内側左側面部の外側の面に沿って形成された外側左側面部（２３０）と、内側背面部の外側の面に沿って形成された外側背面部（２４０）とを有する外側スリーブ状部（２０５）と、外側右側面部の上辺から連設された第１蓋部（２７０）と、外側左側面部の上辺から連設された第２蓋部（２８０）と、を有し、外側右側面部に第１分離部が接着され、外側右側面部における第１分離部が接着された領域を含み第５切目線（２２２）を介して形成された第１片部（２２４）が外側右側面部の他の部分に対して回動可能に形成されるとともに、外側左側面部に第２分離部が接着され、外側左側面部における第２分離部が接着された領域を含み第６切目線（２３２）を介して形成された第２片部（２３４）が外側左側面部の他の部分に対して回動可能に形成され、第１上面部が外側右側面部の上辺よりも上方に突出して形成されるとともに、第２上面部が外側左側面部の上辺よりも上方に突出して形成され、外側右側面部の上辺から上方に立ち上がった状態の第１蓋部を外側右側面部に対して内側に回動させることにより、第１上面部が第１蓋部により押されて内側右側面部に対して回動し、第１上面部が内側右側面部に対して回動することにより、第１内側側面部が下方に押されて第３切目線が破断し、第１内側側面部本体部が第３分離部と分離して、第１内側側面部本体部の下端が底面部の上面に接し、第１内側側面部本体部の下端が底面部に接した状態で、第１上面部が底面部に対して略平行となり、外側左側面部の上辺から上方に立ち上がった状態の第２蓋部を外側左側面部に対して内側に回動させることにより、第２上面部が第２蓋部により押されて内側左側面部に対して回動し、第２上面部が内側左側面部に対して回動することにより、第２内側側面部が下方に押されて第４切目線が破断し、第２内側側面部本体部が第４分離部と分離して、第２内側側面部本体部の下端が底面部の上面に接し、第２内側側面部本体部の下端が底面部に接した状態で、第２上面部が底面部に対して略平行となることを特徴とする。
【００４７】
上記第１５の構成の包装箱においては、第１蓋部を外側右側面部に対して内側に回動させることにより、第１上面部が内側右側面部に対して回動し、第１上面部が内側右側面部に対して回動することにより、第１内側側面部が下方に押されて第３切目線が破断し、第１内側側面部本体部が第３分離部と分離して、第１内側側面部本体部の下端が底面部の上面に接し、第１内側側面部本体部の下端が底面部に接した状態で、第１上面部が底面部に対して略平行となり、第２蓋部を外側左側面部に対して内側に回動させることにより、第２上面部が内側左側面部に対して回動し、第２上面部が内側左側面部に対して回動することにより、第２内側側面部が下方に押されて第４切目線が破断し、第２内側側面部本体部が第４分離部と分離して、第２内側側面部本体部の下端が底面部の上面に接し、第２内側側面部本体部の下端が底面部に接した状態で、第２上面部が底面部に対して略平行となるので、内箱部に被収納物を収納した後に、第１蓋部と第２蓋部とを回動させて、第１上面部と第２上面部とを底面部と略平行にすることにより、下段の包装箱における第１上面部と第２上面部の上に上段の包装箱における底面部を載せることができ、包装箱を積み重ねることができる。
【００４８】
また、被収納物を梱包する際に、被収納物を収納した後に第１蓋部と第２蓋部を回動させることにより、第１上面部と第２上面部が回動して底面部と略平行（つまり、略水平）になるので、別途内箱部を積み重ねるための構成の組立て作業を行なう必要がなく、被収納物を梱包する際の作業工程が少なくことができる。
【００４９】
また、積み重ねた状態の内箱部において、最上段の内箱部も左右両側に第１上面部と第２上面部が設けられているのみで被収納物の上方が開口された状態であるので、被収納物商品の視認や取出しに支障はなく、最上段の内箱部に収納された被収納物の視認や取り出しを容易とするために余分な作業が必要ない。
【００５０】
また、第１内側側面部の第１下側領域における中芯は、第２内側側面部側に露出して形成され、第２内側側面部の第２下側領域における中芯は、第１内側側面部側に露出して形成されているので、中芯を被収納物の滑り止めとして機能させることができる。
【００５１】
また、第１内側底面部や第２内側底面部の中芯を被収納物の滑り止めとして機能させることができる。
【００５２】
なお、上記第１５の構成において、第１片部を外側に回動させることにより第１切目線が破断し、第２片部を外側に回動させることにより第２切目線が破断するものとしてもよい。
【００５３】
また、第１６には、上記第１５の構成において、第３切目線が第１内側側面部の下辺から上方に一対形成され、第３分離部が、該一対の第３切目線と一対の第３切目線の上端の間に形成された開口部（１２４ｃ）により第１内側側面部本体部と区画されるとともに、第３分離部が、第１内側側面部と第１内側底面部間の折れ線に沿って形成された切目線を介して第１内側底面部と区画され、第４切目線が第２内側側面部の下辺から上方に一対形成され、第４分離部が、該一対の第４切目線と一対の第４切目線の上端の間に形成された開口部（１４４ｃ）により第２内側側面部本体部と区画されるとともに、第４分離部が、第２内側側面部と第２内側底面部間の折れ線に沿って形成された切目線を介して第２内側底面部と区画されていることを特徴とする。
【００５４】
よって、第３分離部の上側と第４分離部の上側に開口部が設けられているので、第１内側側面部と第２内側側面部を内側に押すことにより、第３切目線と第４切目線とを容易に破断することができる。
【００５５】
また、第１７には、上記第１４又は第１６の構成において、一対の第３切目線が、一対の第３切目線間の間隔が上方にいくほど大きくなるようにテーパ状に形成され、一対の第４切目線が、一対の第４切目線間の間隔が上方にいくほど大きくなるようにテーパ状に形成されていることを特徴とする。よって、第１内側側面部が下方に押された際の第３切目線の破断と第２内側側面部が下方に押された際の第４切目線の破断が容易となる。
また、第１８には、上記第８から第１７までのいずれかの構成において、底面部が、ワンタッチ底により形成され、内側正面部の下辺から連設された底面部第１片部（６０）と、内側右側面部の下辺から連設された底面部第２片部（７０）と、内側左側面部の下辺から連設された底面部第３片部（８０）と、内側背面部の下辺から連設された底面部第４片部（９０）とを有し、
底面部第１片部と底面部第２片部と底面部第３片部と底面部第４片部における隣接する２つの片部である底面部第１片部対の一方における他方の側の部分である第１端部領域が（底面部第１片部対の一方における第１端部領域以外の領域である第１本体部に対して）折れ線を介して折曲げ可能であり、該第１端部領域が底面部第１片部対における他方に接着され、
底面部第１片部と底面部第２片部と底面部第３片部と底面部第４片部における底面部第１片部対以外の互いに隣接する２つの片部である底面部第２片部対の一方における他方の側の部分である第２端部領域が（底面部第２片部対の一方における第２端部領域以外の領域である第２本体部に対して）折れ線を介して折曲げ可能であり、該第２端部領域が底面部第２片部対における他方に接着されていることを特徴とする。
【００５６】
また、第１９には、上記第１３から第１７までのいずれかの構成において、底面部が、ワンタッチ底により形成され、内側正面部の下辺から連設された底面部第１片部（６０）と、内側右側面部の下辺から連設された底面部第２片部（７０）と、内側左側面部の下辺から連設された底面部第３片部（８０）と、内側背面部の下辺から連設された底面部第４片部（９０）とを有し、底面部第１片部と底面部第２片部と底面部第３片部と底面部第４片部における隣接する２つの片部である底面部第１片部対の一方である底面部第２片部（７０）における底面部第１片部対の他方（９０）の側の部分である第１端部領域（７４）が、底面部第２片部における第１端部領域以外の領域である第１本体部（７２）に対して折れ線を介して折曲げ可能であり、該第１端部領域が底面部第１片部対における他方に接着され、底面部第１片部と底面部第２片部と底面部第３片部と底面部第４片部における底面部第１片部対以外の互いに隣接する２つの片部である底面部第２片部対の一方である底面部第３片部（８０）における底面部第２片部対の他方（６０）の側の部分である第２端部領域（８４）が、底面部第３片部における第２端部領域以外の領域である第２本体部（８２）に対して折れ線を介して折曲げ可能であり、該第２端部領域が底面部第２片部対における他方に接着され、内側スリーブ状部を四角筒状に組み立てた状態では、第１内側底面部の一部は、第１本体部（７２）と底面部第１片部対における他方との間に挟まれた状態となり、第２内側底面部の一部は、第２本体部（８２）と底面部第２片部対における他方との間に挟まれた状態となることを特徴とする。
【００５７】
よって、第１内側底面部、第２内側底面部が底面部と略平行に保たれ、第１内側底面部、第２内側底面部の先端が上方に向いた状態とはならないため、被収納物を収納する際に、被収納物を収納しやすく、また、被収納物を第１内側底面部及び第２内側底面部の上側に配置することができる。
【００５８】
また、第２０には、上記第１９の構成において、第１内側底面部における第１内側側面部側とは反対側の端部における底面部第１片部対の他方側の端部には、第１内側側面部側とは反対側に突出する第３突状部（１５４）が形成され、第２内側底面部における第２内側側面部側とは反対側の端部における底面部第２片部対の他方側の端部には、第２内側側面部側とは反対側に突出する第４突状部（１６４）が形成され、内側スリーブ状部を四角筒状に組み立てた状態では、第３突状部が、第１本体部（７２）と底面部第１片部対における他方との間に挟まれた状態となり、第４突状部が、第２本体部（８２）と底面部第２片部対における他方との間に挟まれた状態となることを特徴とする。
【００５９】
よって、第３突状部が設けられているので、第１内側底面部を第１本体部と底面部第１片部対における他方との間に容易に挟むことができ、また、第４突状部が設けられているので、第２本体部と底面部第２片部対における他方との間に容易に挟むことができる。
【００６０】
また、第２１には、上記第８から第２０までのいずれかの構成において、中芯の断面略波形形状における段の方向が、第１内側側面部及び第２内側側面部において、縦方向に形成されていることを特徴とする。よって、被収納物が正面側又は背面側に倒れるのを防止することができる。
【００６１】
また、第２２には、上記第８から第２１までのいずれかの構成において、第３分離部が、内側右側面部の内側の面における第１分離部以外の領域に接着され、第４分離部が、内側左側面部の内側の面における第２分離部以外の領域に接着されていることを特徴とする。これにより、第３分離部が第１分離部の領域に接着され、第４分離部が第２分離部に接着されている場合には、第３切目線や第４切目線の破断の際に第１切目線や第２切目線が破断するおそれがあるが、そのようなおそれがない。
【００６２】
また、第２３には、上記第８から第２２までのいずれかの構成において、内側右側面部の上辺には第１突状部（２０−１）が形成されるとともに、内側左側面部の上辺には第２突状部（３０−１）が形成され、底面部における内側右側面部側の端部には、包装箱を積み重ねた場合に、下段の包装箱における第１突状部と係合する第１係合穴（２０−２）が形成され、底面部における内側左側面部側の端部には、包装箱を積み重ねた場合に、下段の包装箱における第２突状部と係合する第２係合穴（３０−２）が形成されていることを特徴とする。よって、包装箱を積み重ねた状態を固定することができ、上側の内箱部が下側の内箱部からずり落ちることがない。
【００６３】
なお、上記第２３において、「第１突状部は、内側右側面部と第１上面部間の境界に切込みを形成することにより形成され、第２突状部は、内側左側面部と第２上面部間の境界に切込みを形成することにより形成されていることを特徴とする。」とするのが好ましい。
【００６４】
また、第２４には、上記第８から第２２までのいずれかの構成において、外側正面部の上辺から連設された第１フラップ部（２６０）と、外側背面部の上辺から連設された第２フラップ（２９０）が設けられ、第１フラップ部の少なくとも先端領域の左右方向の長さ及び第２フラップ部の少なくとも先端領域の左右方向の長さは、第３切目線が破断して第１上面部が底面部に対して略平行であり、かつ、第４切目線が破断して第２上面部が底面部に対して略平行な状態で、第１フラップ部を外側正面部に対して回動して閉じた際に第１上面部及び第２上面部に接触せず、第２フラップ部を外側背面部に対して回動して閉じた際に第１上面部及び第２上面部に接触しないように、外側右側面部と外側左側面部間の長さから第１上面部の外側右側面部と第１内側側面部間の長さと第２上面部の外側左側面部と第２内側側面部間の長さとを減じた長さ以下に形成されていることを特徴とする。
【００６５】
よって、第１フラップ部及び第２フラップ部が、第１上面部及び第２上面部と干渉することがなく、外箱部の第１蓋部と第２蓋部を閉じた状態とする際に支障となることがない。
【発明の効果】
【００６６】
本発明に基づく包装箱によれば、第１蓋部を外側右側面部に対して内側に回動させることにより、第１上面部が内側右側面部に対して回動し、第１上面部が内側右側面部に対して回動することにより、第１内側側面部が下方に押されて第３切目線が破断し、第１内側側面部本体部が第３分離部と分離して、第１内側側面部本体部の下端が底面部の上面に接し、第１内側側面部本体部の下端が底面部に接した状態で、第１上面部が底面部に対して略平行となり、第２蓋部を外側左側面部に対して内側に回動させることにより、第２上面部が内側左側面部に対して回動し、第２上面部が内側左側面部に対して回動することにより、第２内側側面部が下方に押されて第４切目線が破断し、第２内側側面部本体部が第４分離部と分離して、第２内側側面部本体部の下端が底面部の上面に接し、第２内側側面部本体部の下端が底面部に接した状態で、第２上面部が底面部に対して略平行となるので、内箱部に被収納物を収納した後に、第１蓋部と第２蓋部とを回動させて、第１上面部と第２上面部とを底面部と略平行にすることにより、下段の包装箱における第１上面部と第２上面部の上に上段の包装箱における底面部を載せることができ、包装箱を積み重ねることができる。
【００６７】
また、被収納物を梱包する際に、被収納物を収納した後に第１蓋部と第２蓋部を回動させることにより、第１上面部と第２上面部が回動して底面部と略平行（つまり、略水平）になるので、別途内箱部を積み重ねるための構成の組立て作業を行なう必要がなく、被収納物を梱包する際の作業工程が少なくことができる。
【００６８】
また、積み重ねた状態の内箱部において、最上段の内箱部も左右両側に第１上面部と第２上面部が設けられているのみで被収納物の上方が開口された状態であるので、被収納物商品の視認や取出しに支障はなく、最上段の内箱部に収納された被収納物の視認や取り出しを容易とするために余分な作業が必要ない。
【００６９】
また、第１内側側面部において、中芯が第２内側側面部側に露出して形成され、第２内側側面部において、中芯が第１内側側面部側に露出して形成されている場合や、さらに、第１内側底面部と第２内側底面部が設けられている場合には、中芯を被収納物の滑り止めとして機能させることができる。
【図面の簡単な説明】
【００７０】
【図１】本発明の実施例１に基づく包装箱の前方斜視図である。
【図２】本発明の実施例１に基づく包装箱の後方斜視図である。
【図３】本発明の実施例１に基づく包装箱の分解斜視図である。
【図４】本発明の実施例１に基づく包装箱の右側面図である。
【図５】本発明の実施例１及び実施例２に基づく包装箱の底面図である。
【図６】内箱部の展開図である。
【図７】外箱部の展開図である。
【図８】包装箱を折り畳んだ状態を示す平面図である。
【図９】包装箱を折り畳んだ際の内箱部の折り畳み状態を示す平面図である。
【図１０】包装箱の使用状態を示す斜視図である。
【図１１】包装箱の使用状態を示す説明図であり、前後方向における中央位置の端面により説明する説明図である。
【図１２】包装箱の使用状態を示す斜視図である。
【図１３】包装箱の使用状態を示す斜視図である。
【図１４】包装箱の使用状態を示す斜視図である。
【図１５】包装箱の使用状態を示す斜視図である。
【図１６】本発明の実施例２に基づく包装箱の前方斜視図である。
【図１７】本発明の実施例２に基づく包装箱の後方斜視図である。
【図１８】本発明の実施例２に基づく包装箱の分解斜視図である。
【図１９】本発明の実施例２に基づく包装箱の分解斜視図である。
【図２０】本発明の実施例２に基づく包装箱の右側面図である。
【図２１】内箱部の展開図である。
【図２２】内箱部の展開図で、図２１の反対側の面の展開図である。
【図２３】段ボールシートを示す図であり、（ａ）は平面図であり、（ｂ）はＡ−Ａ断面図であり、（ｃ）はＢ−Ｂ断面図であり、（ｄ）は左側面図であり、（ｅ）は右側面図である。
【図２４】外箱部の展開図である。
【図２５】包装箱を折り畳んだ状態を示す平面図である。
【図２６】包装箱を折り畳んだ際の内箱部の折り畳み状態を示す平面図である。
【図２７】包装箱の使用状態を示す斜視図である。
【図２８】包装箱の使用状態を示す説明図であり、前後方向における中央位置の端面により説明する説明図である。
【図２９】包装箱の使用状態を示す斜視図である。
【図３０】包装箱の使用状態を示す斜視図である。
【図３１】包装箱の使用状態を示す斜視図である。
【図３２】包装箱の使用状態を示す斜視図である。
【発明を実施するための形態】
【００７１】
本発明においては、底面部と、内側スリーブ状部を有する内箱部で、内側スリーブ状部の側面部の一部が分離部として他の部分と切目線を介して分離可能な内箱部と、内箱部を覆う外箱部で、外側スリーブ状部と、蓋部とを有し、分離部が設けられた内側側面部に対応した外側側面部に分離部が接着されている外箱部と、を有する包装箱において、商品を梱包する際の作業工程が少なく、また、最上段の内箱部に収納された商品の視認や取り出しを容易とするために余分な作業を必要としない包装箱を提供するという目的を以下のようにして実現した。
【実施例１】
【００７２】
本発明に基づく実施例１の包装箱Ｐは、図１〜図７等に示すように構成され、内箱部Ａと、外箱部Ｂとを有していて、内箱部Ａと外箱部Ｂのそれぞれが１枚のシート状のブランク（具体的には段ボール（特に、両面段ボール）であり、厚紙等でもよい）により形成されている。なお、両面段ボールにおける中芯の段の方向は、図６、図７に示す円内に示す方向である。
【００７３】
内箱部Ａは、全体に上部が開口した容器状を呈し、図３、図６等に示すように、スリーブ状部（内側スリーブ状部）５と、底面部５０と、上面部１１０、１３０と、内側側面部１２０、１４０とを有している。スリーブ状部５は、組立て状態では、底面部５０の周囲から立設して形成され、正面部（内側正面部）１０と、側面部（内側右側面部）２０と、側面部（内側左側面部）３０と、背面部（内側背面部）４０と、糊代部４９とを有していて、その展開状態は、図６に示すように形成されている。
【００７４】
ここで、正面部１０は、方形状を呈し、具体的には、横長長方形状を呈している。
【００７５】
また、側面部２０は、正面部１０の正面視における右側面側の端部から折れ線Ｃ３を介して連設され、方形状における正面上側の一部を切り欠いた形状を呈し、側面部２０の上辺は、正面部１０の上辺１０ａから連続して水平方向に形成された直線状の辺部２０ａと、辺部２０ａの背面側の端部から連設され、背面側に上方に傾斜して形成された直線状の辺部２０ｂと、辺部２０ｂの上端から背面側に向けて水平に形成された（側面部２０の下辺と平行に形成された）辺部２０ｃとを有している。この辺部２０ｃは、背面部４０の上端の縁部の高さと同じに形成されている。なお、辺部２０ｃには、上面部１１０との境界位置に形成された略コ字状の切込みにより横長長方形状の突状部２０−１が形成されている。つまり、辺部２０ｃは、突状部２０−１を挟んで正面側と背面側が直線状に形成されている。突状部２０−１は、側面部２０の前後方向における略中央位置に設けられていて、上方に突出して形成されている。この側面部２０は、本体部（内側右側面部本体部）２２と、分離部（第１分離部）２４とを有している。
【００７６】
また、分離部２４は、側面部２０に形成された切目線（第１切目線）２４ａと開口部２４ｂにより区画された領域であり、切目線２４ａは、横方向に間隔を介して設けられた円弧状の切目線２４ａ−１、２４ａ−２（切目線２４ａ−１と切目線２４ａ−２とは互いに左右対称に形成されている）と、切目線２４ａ−１の下端と２４ａ−２の下端を結ぶ横方向（側面部２０の下辺と平行な方向）の直線状の切目線２４ａ−３とを有し、開口部２４ｂは、横長の長方形状を呈し、開口部２４ｂにおける一対の角部のうちの正面側の角部と切目線２４ａ−２が接続し、開口部２４ｂにおける一対の角部のうちの背面側の角部と切目線２４ａ−１が接続している。切目線２４ａと開口部２４ｂにより囲まれた領域が分離部２４となる。本体部２２は、側面部２０において分離部２４を除いた領域である。分離部２４は、側面部２０における横方向の略中央で上下方向における中央やや上側の位置に形成されている。切目線２４ａ−１、２４ｂ−１、２４ｃ−１は、ミシン目状の切目線である。ここで、ミシン目状の切目線とは、間隔をおきながら連続して形成された複数の切込みをいう（他においても同じ）。つまり、切目線２４ａ−１、２４ｂ−１、２４ｃ−１は、切断予定線である。
【００７７】
この分離部２４の形成位置は、外箱部Ｂの片部２２４の裏側の領域であり、分離部２４は片部２２４の裏側に接着され、片部２２４の上端を外側かつ下方に回動させることにより、分離部２４も片部２２４の裏側に接着したまま切目線２４ａが破断されて、分離部２４が本体部２２から分離するように形成されている。分離部２４は、図４に示すように、片部２２４よりも小さく形成されていて、側面視において、分離部２４の外形が片部２２４の外形よりもはみ出すことがない。
【００７８】
また、開口部２４ｂは、外箱部Ｂにおける片部２２６を押し込むことができるための空間として形成されていて、片部２２６を押し込む際の支障とならないように、開口部２４ｂは、片部２２６よりも大きく形成され、側面視において、片部２２６が開口部２４ｂよりはみ出すことがない。
【００７９】
また、側面部３０は、正面部１０の正面視における左側の端部から折れ線Ｃ２を介して連設され、方形状における正面上側の一部を切り欠いた形状を呈し、背面側の端部においては、背面部４０の上端の縁部の高さと同じに形成されている。この側面部３０は、本体部（内側左側面部本体部）３２と、分離部（第２分離部）３４とを有している。
【００８０】
この側面部３０の構成は、内箱部Ａの組立て状態では、側面部２０と前後方向に垂直な仮想的な平面である中心面を介して対称に形成されている。
【００８１】
すなわち、分離部３４は、切目線（第２切目線）３４ａと開口部３４ｂとにより区画された領域であり、切目線３４ａは、横方向に間隔を介して設けられた円弧状の切目線３４ａ−１、３４ａ−２と、切目線３４ａ−１の下端と３４ａ−２の下端を結ぶ横方向（側面部３０の下辺と平行な方向）の直線状の切目線３４ａ−３とを有し、開口部３４ｂは、横長の長方形状を呈し、開口部３４ｂにおける一対の角部のうちの正面側の角部と切目線３４ａ−２が接続し、開口部３４ｂにおける一対の角部のうちの背面側の角部と切目線３４ａ−１が接続している。切目線３４ａと開口部３４ｂにより囲まれた領域が分離部３４となる。本体部３２は、側面部３０において分離部３４を除いた領域である。分離部３４は、側面部３０における横方向の略中央で上下方向における中央やや上側の位置に形成されている。切目線３４ａ−１、３４ｂ−１、３４ｃ−１は、ミシン目状の切目線であり、切断予定線である。
【００８２】
この分離部３４の形成位置は、外箱部Ｂの片部２３４の裏側の領域であり、分離部３４は片部２３４の裏側に接着され、片部２３４の上端を外側かつ下方に回動させることにより、分離部３４も片部２３４の裏側に接着したまま切目線３４ａが破断されて、分離部３４が本体部３２から分離するように形成されている。分離部３４は、片部２３４よりも小さく形成されていて、側面視において、分離部３４の外形が片部２３４の外形よりもはみ出すことがない。
【００８３】
また、開口部３４ｂは、外箱部Ｂにおける片部２３６を押し込むことができるための空間として形成されていて、片部２３６を押し込む際の支障とならないように、開口部３４ｂは、片部２３６よりも大きく形成され、側面視において、片部２３６が開口部３４ｂよりはみ出すことがない。
【００８４】
また、側面部３０の上端には、側面部３０と上面部１３０の境界位置に形成された略コ字状の切込みにより横長長方形状の突状部３０−１が形成されている。
【００８５】
また、背面部４０は、側面部２０の右側面視における右端から折れ線Ｃ４を介して連設され、全体には方形状を呈している。この背面部４０の横幅は、正面部１０の横幅と同一に形成され、背面部４０の縦幅（最大縦幅）は、側面部２０、３０の縦幅（最大縦幅）と同一に形成されている。
【００８６】
また、糊代部４９は、側面部３０の左側面視における左端から折れ線Ｃ１を介して連設され、縦方向に細長の帯状台形形状を呈している。この糊代部４９は、その外側の面が背面部４０の内側の面に接着されている。
【００８７】
また、底面部５０は、いわゆるワンタッチ底であり、第１片部（底面部第１片部）６０と、第２片部（底面部第２片部）７０と、第３片部（底面部第３片部）８０と、第４片部（底面部第４片部）９０とを有し、包装箱Ｐの組立て状態においては、図５に示すように、略方形状の外形を呈している。
【００８８】
ここで、第１片部６０は、正面部１０の下端から折れ線を介して連設され、先端側にいくほど幅狭となる略台形形状に形成され、その上面の一部が内箱部Ａの内底面の一部を形成している。この第１片部６０は、底面部５０の組立て状態においては、第４片部９０と点対称に形成されている。
【００８９】
また、第２片部７０は、側面部２０の下端から折れ線を介して連設され、略長方形状に形成され、第２片部７０の上面の一部が内箱部Ａの内底面の一部を形成している。また、第２片部７０の角部（側面部２０と背面部４０の境界位置の下端）からは第２片部７０の正面部１０との境界をなす辺部に対して斜めに所定間隔で切込みが形成された（つまり、折曲しやすいように切込みが形成されている）折れ線７０−１（この折れ線７０−１は、上面側が山折れ線となっている）が形成され、内箱部Ａを折り畳む際に、容易に折り畳むことができるようになっている。第２片部７０は、折れ線７０−１を介して本体部７２と先端部７４とに区画される。本体部７２の先端の先端部７４側には、他方の本体部８２と互いに係止するように切欠部７２ａが形成されている。先端部７４の上面は、第４片部９０の下面に接着されている。
【００９０】
また、第２片部７０と側面部２０の境界位置には、係合穴２０−２が設けられている。つまり、係合穴２０−２は、第２片部７０と側面部２０間の境界線に沿って帯状（横長長方形状）に形成され、係合穴２０−２の両側から側面部２０と第２片部７０間の折れ線が伸びた構成となっている。この係合穴２０−２は、前後方向においては、突状部２０−１と同じ位置に設けられ、複数の内箱部Ａを積み重ねた際に、下側の内箱部Ａの突状部２０−１が上側の内箱部Ａの係合穴２０−２に係合する。
【００９１】
また、第３片部８０は、側面部３０の下端から折れ線を介して連設され、底面部５０の組立て状態においては、第２片部７０と点対称に形成されている。すなわち、第３片部８０は、背面部４０の下端から折れ線を介して連設され、略長方形状に形成され、第３片部８０の上面の一部が内箱部Ａの内底面の一部を形成している。また、第３片部８０の角部（正面部１０と側面部３０の境界位置の下端）からは第３片部８０の側面部３０との境界をなす辺部に対して斜めに所定間隔で切込みが形成された（つまり、折曲しやすいように切込みが形成されている）折れ線８０−１（この折れ線８０−１は、上面側が山折れ線となっている）が形成され、内箱部Ａを折り畳む際に、容易に折り畳むことができるようになっている。第３片部８０は、折れ線８０−１を介して本体部８２と先端部８４とに区画される。本体部８２の先端の先端部８４側には、他方の本体部７２と互いに係止するように切欠部８２ａが形成されている。先端部８４の上面は、第１片部６０の下面に接着されている。
【００９２】
また、第３片部８０と側面部３０の境界位置には、係合穴３０−２が設けられている。つまり、係合穴３０−２は、第３片部８０と側面部３０間の境界線に沿って帯状（横長長方形状）に形成され、係合穴３０−２の両側から側面部３０と第３片部８０間の折れ線が伸びた構成となっている。この係合穴３０−２は、前後方向においては、突状部３０−１と同じ位置に設けられ、複数の内箱部Ａを積み重ねた際に、下側の内箱部Ａの突状部３０−１が上側の内箱部Ａの係合穴３０−２に係合する。
【００９３】
また、第４片部９０は、背面部４０の下端から折れ線を介して連設され、先端側にいくほど幅狭となる略台形形状に形成され、その上面の一部が内箱部Ａの内底面の一部を形成している。
【００９４】
以上のように、底面部５０において、隣接する２つの片部（第１片部６０と第３片部８０）である底面部第１片部対の一方における他方の側の部分である先端部（第１端部領域）８４が折れ線を介して折曲げ可能であり、該先端部８４が第１片部６０に接着され、他の隣接する２つの片部（第２片部７０と第４片部９０）である底面部第２片部対の一方における他方の側の部分である先端部（第２端部領域）７４が折れ線を介して折曲げ可能であり、該先端部７４が第４片部９０に接着されている。
【００９５】
また、上面部（第１上面部）１１０は、側面部２０の上辺（突状部２０−１の領域を除く上辺）から折れ線を介して連設され、側面部２０の上辺に沿って帯状を呈している。つまり、上面部１１０は、正面側から背面側に向けて同一幅に形成されている。上面部１１０の幅（側面部２０の上辺と内側側面部１２０の上辺との間の長さ）は、上面部１１０及び上面部１３０が水平方向に配置された際に、上面部１１０、１３０の上面に内箱部Ａを積み重ねることができる長さに形成されている。なお、上面部１１０は、略長方形状（具体的には、台形形状）に形成され、その背面側の辺部は、側面部２０の上辺に対して鋭角に傾斜している。なお、上面部１１０の背面側の辺部が、側面部２０の上辺に対して鋭角に傾斜しているのは、外箱部Ｂを閉蓋状態とした際に、フラップ部２６０に接触しないようにするためである。
【００９６】
また、内側側面部（第１内側側面部）１２０は、上面部１１０の側面部２０とは反対側の辺部から折れ線を介して連設され、略方形状を呈し、方形状における先端側（上面部１１０とは反対側）の両側の角部が面取りされた外形を有している。つまり、内側側面部１２０の上辺（上面部１１０との境界線）と下辺とは平行に形成されている。内側側面部１２０の上下方向の長さ（つまり、内側側面部１２０の上辺と下辺の間の長さ）は、上面部１１０を側面部２０に対して直角に折り曲げて、上面部１１０が水平になった際に、本体部１２２の下辺が底面部５０に接する長さとなっている。
【００９７】
この内側側面部１２０は、本体部（第１内側側面部本体部）１２２と、分離部（第３分離部）１２４とを有している。分離部１２４は、内側側面部１２０の下端領域に形成された切目線（第３切目線）１２４ａ、１２４ｂと開口部１２４ｃにより区画された領域であり、切目線１２４ａは、内側側面部１２０の下辺から略上方に向けて直線状に形成され、上方にいくほど背面側となるように内側側面部１２０の下辺に対して傾斜して形成され、切目線１２４ｂは、内側側面部１２０の下辺から略上方に向けて直線状に形成され、上方にいくほど正面側となるように内側側面部１２０の下辺に対して傾斜して形成されている。つまり、分離部１２４は、台形形状を呈し、具体的には、線対称（前後線対称）（つまり、等脚台形形状）に形成されている。本体部１２２は、内側側面部１２０において分離部１２４を除いた領域である。切目線１２４ａ、１２４ｂは、ミシン目状の切目線であり、切断予定線である。
【００９８】
なお、分離部１２４は、側面部２０（具体的には、本体部２２）の内側の面（具体的には、側面部２０の内側の面における分離部２４以外の領域）に接着され、分離部１２４が側面部２０に接着され、切目線１２４ａ、１２４ｂを破断する前の状態では、上面部１１０は側面部２０の上方に立設して形成され（つまり、側面部２０と上面部１１０とは全体に平板状を呈している）、内側側面部１２０は、上面部１１０に対して折り返されて、上面部１１０の内側の面及び側面部２０の内側の面と重なった状態となっている。また、分離部１２４が側面部２０に接着され、切目線１２４ａ、１２４ｂを破断する前の状態では、内側側面部１２０の下辺が底面部５０の上面よりも上方に位置している。
【００９９】
なお、分離部１２４は、側面部２０の内側の面における分離部２４以外の領域に接着されているので、切目線１２４ａ、１２４ｂの破断に際して支障がない。すなわち、分離部１２４が分離部２４の領域に接着されている場合には、内側側面部１２０を下方に押し込んで切目線１２４ａ、１２４ｂを破断した際に、分離部２４の切目線２４ａも破断してしまうおそれがあるが、そのような支障はない。
【０１００】
なお、分離部２４を側面部２０の下端領域に設け、分離部２４の領域に分離部１２４を接着する構成としてもよい。
【０１０１】
また、開口部１２４ｃは、切目線１２４ａの延長線上に形成された背面側の辺部と、切目線１２４ｂの延長線上に形成された正面側の辺部と、分離部１２４の上辺と一致する下側辺部と、分離部１２４の上辺と平行な上側辺部とに囲まれて形成されている。開口部１２４ｃにおける上側辺部と下側辺部間の長さは、上面部１１０を側面部２０に対して直角に折り曲げた際に、切目線１２４ａ、１２４ｂが破断して本体部１２２が分離部１２４に対して分離する際に、本体部１２２の分離部１２４からの分離に支障がない長さに形成されている。つまり、上面部１１０を側面部２０に対して直角に折り曲げることにより、本体部１２２が分離部１２４に対して下方に移動しようとすることにより切目線１２４ａ、１２４ｂが破断するが、開口部１２４ｃが設けられていないと、本体部１２２が分離部１２４に対して下方への相対移動が困難であるので、開口部１２４ｃを設けることにより切目線１２４ａ、１２４ｂの破断を容易にしている。なお、分離部１２４と分離した本体部１２２は、側面部２０に対して内側に斜めに傾斜するので（つまり、本体部１２２は分離部１２４の内側に傾斜する）、開口部１２４ｃにおける上側辺部と下側辺部間の長さは、本体部１２２の分離部１２４からの分離に支障がない長さであればよく、上面部１１０の幅よりも小さくてもよい。
【０１０２】
また、切目線１２４ａ、１２４ｂは、下方に向けて幅狭となるテーパ状に形成されているので、本体部１２２を分離部１２４に対して下方に相対移動させた際に切目線１２４ａ、１２４ｂの破断が容易となっている。なお、切目線１２４ａ、１２４ｂは、テーパでなくてもよい（例えば、切目線１２４ａ、１２４ｂが互いに平行で、内側側面部１２０の下辺に対して直角方向に形成したものであってもよい）。
【０１０３】
なお、切目線１２４ａ、１２４ｂを破断する前の状態では、上面部１１０は側面部２０の上方に立設して形成され（つまり、側面部２０と上面部１１０とは全体に平板状を呈している）、内側側面部１２０は、上面部１１０に対して折り返されて、上面部１１０の内側の面及び側面部２０の内側の面と重なった状態となっている。
【０１０４】
また、上面部（第２上面部）１３０は、側面部３０の上辺（突状部３０−１の領域を除く上辺）から折れ線を介して連設され、側面部３０の上辺に沿って帯状を呈している。つまり、上面部１３０は、正面側から背面側に向けて同一幅に形成されている。上面部１３０は、上面部１１０と左右対称に形成されている以外は同様の構成であるので、詳しい説明を省略する。
【０１０５】
また、内側側面部（第２内側側面部）１４０は、上面部１３０の側面部３０とは反対側の辺部から折れ線を介して連設され、略方形状を呈し、方形状における先端側（上面部１３０とは反対側）の両側の角部が面取りされた外形を有している。つまり、内側側面部１４０の上辺（上面部１３０との境界線）と下辺とは平行に形成されている。
【０１０６】
内側側面部１４０は、内側側面部１２０と左右対称に形成されている以外は、内側側面部１２０と同一に形成されている。つまり、内側側面部１４０の上下方向の長さ（つまり、内側側面部１４０の上辺と下辺の間の長さ）は、上面部１３０を側面部３０に対して直角に折り曲げて、上面部１３０が水平になった際に、本体部１４２の下辺が底面部５０に接する長さとなっている。
【０１０７】
この内側側面部１４０は、本体部（第２内側側面部本体部）１４２と、分離部（第４分離部）１４４とを有している。分離部１４４は、内側側面部１４０の下端領域に形成された切目線（第４切目線）１４４ａ、１４４ｂと開口部１４４ｃにより区画された領域であり、切目線１４４ａは、内側側面部１４０の下辺から略上方に向けて直線状に形成され、上方にいくほど背面側となるように内側側面部１４０の下辺に対して傾斜して形成され、切目線１４４ｂは、内側側面部１４０の下辺から略上方に向けて直線状に形成され、上方にいくほど正面側となるように内側側面部１４０の下辺に対して傾斜して形成されている。つまり、分離部１４４は、台形形状を呈している。本体部１４２は、内側側面部１４０において分離部１４４を除いた領域である。切目線１４４ａ、１４４ｂは、ミシン目状に形成された切断予定線である。
【０１０８】
なお、分離部１４４は、側面部３０（具体的には、本体部３２）の内側の面に接着され、分離部１４４が側面部３０に接着され、切目線１４４ａ、１４４ｂを破断する前の状態では、上面部１３０は側面部３０の上方に立設して形成され（つまり、側面部３０と上面部１３０とは全体に平板状を呈している）、内側側面部１４０は、上面部１３０に対して折り返されて、上面部１３０の内側の面及び側面部３０の内側の面と重なった状態となっている。また、分離部１４４が側面部３０に接着され、切目線１４４ａ、１４４ｂを破断する前の状態では、内側側面部１４０の下辺が底面部５０の上面よりも上方に位置している。
【０１０９】
なお、分離部１４４は、側面部３０の内側の面における分離部３４以外の領域に接着されているので、切目線１４４ａ、１４４ｂの破断に際して支障がない。すなわち、分離部１４４が分離部３４の領域に接着されている場合には、内側側面部１４０を下方に押し込んで切目線１４４ａ、１４４ｂを破断した際に、分離部３４の切目線３４ａも破断してしまうおそれがあるが、そのような支障はない。
【０１１０】
なお、分離部３４を側面部３０の下端領域に設け、分離部３４の領域に分離部１４４を接着する構成としてもよい。
【０１１１】
また、開口部１４４ｃは、切目線１４４ａの延長線上に形成された背面側の辺部と、切目線１４４ｂの延長線上に形成された正面側の辺部と、分離部１４４の上辺と一致する下側辺部と、分離部１４４の上辺と平行な上側辺部とに囲まれて形成されている。開口部１４４ｃの構成は、開口部１２４ｃの構成と同様であるので、詳しい説明を省略する。つまり、開口部１４４ｃにおける上側辺部と下側辺部間の長さは、上面部１３０を側面部３０に対して直角に折り曲げた際に、切目線１４４ａ、１４４ｂが破断して本体部１４２が分離部１４４に対して分離する際に、本体部１４２の分離部１４４からの分離に支障がない長さに形成されている。また、切目線１４４ａ、１４４ｂは、下方に向けて幅狭となるテーパ状に形成されているので、本体部１４２を分離部１４４に対して下方に相対移動させた際に切目線１４４ａ、１４４ｂの破断が容易となっている。なお、切目線１４４ａ、１４４ｂは、テーパでなくてもよい（例えば、切目線１４４ａ、１４４ｂが互いに平行で、内側側面部１４０の下辺に対して直角方向に形成したものであってもよい）。
【０１１２】
内箱部Ａを箱状に組み立てた状態では、正面部１０と背面部４０とが互いに平行になり、側面部２０と側面部３０とが互いに平行になり、底面部５０を構成する各部材は、正面部１０、側面部２０、３０、背面部４０に対して略直角（直角でもよい）となる。つまり、スリーブ状部５は、底面部５０に対して略直角（直角でもよい）となる。また、スリーブ状部５を構成する各部材（正面部１０、側面部２０、３０、背面部４０）における隣接する部材は互いに直角となっている。
【０１１３】
また、内箱部Ａは、平板状に折り畳むことができ（図９参照）、内箱部Ａにおいては、正面部１０と側面部３０との角度を小さくし（つまり、直角より小さくする）、背面部４０と側面部２０との角度を小さくさせる（つまり、直角より小さくする）ことにより、四角筒状のスリーブ状部５が扁平になるとともに、底面部５０を構成する各部がスリーブ状部５内に回動して、内箱部Ａが全体に平板状に折り畳むことができる。内箱部Ａを折り畳んだ状態では、底面部５０を構成する各部は、スリーブ状部５内にスリーブ状部５を構成する正面部１０、側面部２０、３０、背面部４０に対して略平行な状態となる。
【０１１４】
次に、外箱部Ｂは、内箱部Ａを覆う箱体であり、図１〜図４、図７等に示すように、スリーブ状部（外側スリーブ状部）２０５と、フラップ部２６０、２９０と、蓋部２７０、２８０とを有していて、その展開状態は、図７に示すように形成されている。
【０１１５】
ここで、スリーブ状部２０５は、組み立てた状態では、四角形状の筒状を呈し、正面部（外側正面部）２１０と、側面部（外側右側面部）２２０と、側面部（外側左側面部）２３０と、背面部（外側背面部）２４０と、糊代部２４２とを有している。
【０１１６】
ここで、正面部２１０は、方形状（長方形状）の板状を呈している。この正面部２１０の横幅は、内箱部Ａを収納することができるように、内箱部Ａの左右方向の幅よりも若干大きく形成されている。
【０１１７】
また、側面部２２０は、正面部２１０の正面視における右側の端部から折れ線Ｃ２２を介して連設され、方形状を呈し、切目線２２２と切目線２２４ａ、２２４ｂが形成されている。
【０１１８】
ここで、切目線２２２は、ミシン目状の切込み（間隔をおきながら形成された切込み）（切断予定線）により形成され、横方向に間隔を介して設けられた円弧状の切目線２２２ａ、２２２ｃと、切目線２２２ａの上端と２２２ｃの上端を結ぶ横方向（側面部２２０の下辺と平行な方向）の直線状の切目線２２２ｂとを有し、全体に下向きの略コ字状を呈している。切目線（第５切目線）２２２と、切目線２２２ａ及び切目線２２２ｃの切目線２２２ｂ側とは反対側の端部間を結ぶ折れ線Ｃ２２４により囲まれた領域が、片部（第１片部）２２４となる。
【０１１９】
また、切目線２２２ｂの一方の端部から他方の端部までに途中位置には、切目線２２２ａや切目線２２２ｃが設けられている側とは反対側に、縦方向（切目線２２２ｂと直角方向）に互いに平行な切目線２２４ａ、２２４ｂが形成されている。つまり、切目線２２４ａと切目線２２４ｂは、互いに平行に形成され、連続した切込みにより形成されている。また、切目線２２４ａは、切目線２２２ａよりも内側（横方向の内側）に形成され、切目線２２４ｂは、切目線２２２ｃよりも内側（横方向の内側）に形成されている。以上のように、切目線２２４ａと、切目線２２４ｂと、切目線２２２ｂと、切目線２２４ａ及び切目線２２４ｂの切目線２２２ｂ側とは反対側の端部間を結ぶ直線状の折れ線Ｃ２２６により囲まれた領域が、片部２２６となる。この側面部２２０の横幅は、内箱部Ａを外箱部Ｂ内に収納することができるように、側面部２０の横幅よりも若干大きく形成されている。
【０１２０】
また、側面部２３０は、正面部２１０の正面視における左側の端部から折れ線Ｃ２１を介して連設され、方形状を呈し、切目線（第６切目線）２３２と切目線２３４ａ、２３４ｂが形成されている。
【０１２１】
この側面部２３０の構成は、側面部２２０と前後方向に垂直な仮想的な平面である中心面を介して対称に形成されていて、切目線２３２は、切目線２２２と対称に形成され、横方向に間隔を介して設けられた円弧状の切目線２３２ａ、２３２ｃと、切目線２３２ａの上端と２３２ｃの上端を結ぶ横方向（側面部２３０の下辺と平行な方向）の直線状の切目線２３２ｂとを有し、全体に下向きの略コ字状を呈している。切目線２３２と、切目線２３２ａ及び切目線２３２ｃの切目線２３２ｂ側とは反対側の端部間を結ぶ折れ線Ｃ２３４により囲まれた領域が、片部（第２片部）２３４となる。
【０１２２】
また、切目線２３２ｂの一方の端部から他方の端部までに途中位置には、切目線２３２ａや切目線２３２ｃが設けられている側とは反対側に、縦方向（切目線２３２ｂと直角方向）に互いに平行な切目線２３４ａ、２３４ｂが形成されている。つまり、切目線２３４ａと切目線２３４ｂは、互いに平行に形成され、連続した切込みにより形成されている。また、切目線２３４ａは、切目線２３２ａよりも内側（横方向の内側）に形成され、切目線２３４ｂは、切目線２３２ｃよりも内側（横方向の内側）に形成されている。以上のように、切目線２３４ａと、切目線２３４ｂと、切目線２３２ｂと、切目線２３４ａ及び切目線２３４ｂの切目線２３２ｂ側とは反対側の端部間を結ぶ直線状の折れ線Ｃ２３６により囲まれた領域が、片部２３６となる。この側面部２３０の横幅は、内箱部Ａを外箱部Ｂ内に収納することができるように、側面部３０の横幅よりも若干大きく形成されていて、側面部２２０の横幅と同一に形成されている。
【０１２３】
また、背面部２４０は、側面部２２０の右側面視における右端から折れ線Ｃ２３を介して連設され、方形状を呈している。この背面部２４０の横幅は、正面部２１０の横幅と同一に形成され、内箱部Ａを外箱部Ｂ内に収納することができるように、内箱部Ａの左右方向の幅よりも若干大きく形成されている。
【０１２４】
また、糊代部２４２は、背面部２４０の背面視における右端から折れ線Ｃ２４を介して連設され、縦方向に細長の帯状台形形状を呈している。この糊代部２４２は、図２に示すように、その内側の面が側面部２２０の外側の面に接着されている。
【０１２５】
また、正面部２１０と側面部２２０、２３０と背面部２４０の縦幅は同一に形成されていて、内箱部Ａの縦幅と同一（略同一としてもよい）に形成されている。すなわち、外箱部Ｂのスリーブ状部２０５の縦方向の長さは、内箱部Ａのスリーブ状部５の縦方向の長さ（最大長さ）と同一（略同一としてもよい）に形成されている。
【０１２６】
また、フラップ部（第１フラップ部）２６０は、正面部２１０の上端から折れ線を介して連設され、略方形状を呈し、基端側よりも先端側が幅狭となっている。すなわち、フラップ部２６０は、基端部２６２と、基端部２６２の先端側から連設された先端部２６４とを有し、基端部２６２は、正面部２１０の上辺から折れ線を介して連設され、先端部２６４側に向けて幅狭となる台形形状を呈している。つまり、基端部２６２の基端の幅は、正面部２１０の幅と同一であるが、左右両側の辺部が先端に向けて内側に傾斜することにより、先端に向けて幅狭となっている。先端部２６４は、略長方形状を呈し、長方形状の先端の両側の角部を面取りした形状を呈している。なお、フラップ部２６０の先端部２６４が幅狭に形成されているのは、外箱部Ｂを閉蓋状態にした際に、フラップ部２６０が上面部１１０、１３０に接触しないようにするためである。
【０１２７】
つまり、フラップ部２６０の先端部２６４の左右方向の長さ２６０ａは、切目線１２４ａ、１２４ｂが破断して上面部１１０が底面部５０に対して略平行であり、かつ、切目線１４４ａ、１４４ｂが破断して上面部１３０が底面部５０に対して略平行な状態で、フラップ部２６０を正面部２１０に対して回動して閉じた際に上面部１１０、１３０に接触しないように、側面部２２０と側面部２３０間の長さ（「折れ線Ｃ２１と折れ線Ｃ２２間の長さ」、「折れ線Ｃ２３と折れ線Ｃ２４間の長さ」としてもよい）から上面部１１０の幅（側面部２０と内側側面部１２０間の長さ）と上面部１３０の幅（側面部３０と内側側面部１４０間の長さ）とを減じた長さ以下に形成されている。
【０１２８】
これにより、蓋部２７０、２８０を閉じた状態とする際に、支障となることがない。つまり、包装箱Ｐの組立て状態において、蓋部２７０、２８０を閉じて、上面部１１０、１３０が側面部２０、３０に対して折曲する（回動するとしてもよい）際に、内側側面部１２０、１４０がフラップ部２６０に接触することがなく、上面部１１０、１３０が側面部２０、３０に対して折曲する際に支障となることがない。また、上面部１１０、１３０がフラップ部２６０に接触すると、フラップ部２６０が上面部１１０、１３０に乗り上げてしまうおそれがあり、フラップ部２６０が上面部１１０、１３０と接触して上面部１１０、１３０に乗り上げてしまうと、蓋部２７０、２８０を閉じた状態にすることができないおそれがあるが、上記のように、フラップ部２６０が上面部１１０、１３０と干渉しないので、そのようなおそれがない。
【０１２９】
また、蓋部２７０は、側面部２２０の上端から折れ線を介して連設され、方形状（長方形状）を呈している。
【０１３０】
また、蓋部２８０は、側面部２３０の上端から折れ線を介して連設され、方形状（長方形状）を呈している。
【０１３１】
また、フラップ部（第２フラップ部）２９０は、背面部２４０の上端から折れ線を介して連設され、略方形状を呈し、基端側よりも先端側が幅狭となっている。すなわち、フラップ部２９０は、基端部２９２と、基端部２９２の先端側から連設された先端部２９４とを有し、基端部２９２は、背面部２４０の上辺から折れ線を介して連設され、先端部２９４側に向けて幅狭となる台形形状を呈している。つまり、基端部２９２の基端の幅は、背面部２４０の幅と同一であるが、左右両側の辺部が先端に向けて内側に傾斜することにより、先端に向けて幅狭となっている。先端部２９４は、略長方形状を呈し、長方形状の先端の両側の角部を面取りした形状を呈している。なお、フラップ部２９０の先端部２９４が幅狭に形成されているのは、外箱部Ｂを閉蓋状態にした際に、フラップ部２９０が上面部１１０、１３０に接触しないようにするためである。
【０１３２】
つまり、フラップ部２９０の先端部２９４の左右方向の長さ２９０ａは、切目線１２４ａ、１２４ｂが破断して上面部１１０が底面部５０に対して略平行であり、かつ、切目線１４４ａ、１４４ｂが破断して上面部１３０が底面部５０に対して略平行な状態で、フラップ部２９０を背面部２４０に対して回動して閉じた際に上面部１１０、１３０に接触しないように、側面部２２０と側面部２３０間の長さ（「折れ線Ｃ２１と折れ線Ｃ２２間の長さ」、「折れ線Ｃ２３と折れ線Ｃ２４間の長さ」としてもよい）から上面部１１０の幅（側面部２０と内側側面部１２０の長さ）と上面部１３０の幅（側面部３０と内側側面部１４０間の長さ）とを減じた長さ以下に形成されている。
【０１３３】
これにより、蓋部２７０、２８０を閉じた状態とする際に、支障となることがない。つまり、包装箱Ｐの組立て状態において、蓋部２７０、２８０を閉じて、上面部１１０、１３０が側面部２０、３０に対して折曲する（回動するとしてもよい）際に、内側側面部１２０、１４０がフラップ部２９０に接触することがなく、上面部１１０、１３０が側面部２０、３０に対して折曲する際に支障となることがない。また、上面部１１０、１３０がフラップ部２９０に接触すると、フラップ部２６０が上面部１１０、１３０に乗り上げてしまうおそれがあり、フラップ部２９０が上面部１１０、１３０と接触して上面部１１０、１３０に乗り上げてしまうと、蓋部２７０、２８０を閉じた状態にすることができないおそれがあるが、上記のように、フラップ部２９０が上面部１１０、１３０と干渉しないので、そのようなおそれがない。以上のように、フラップ部２９０は、フラップ部２６０と同一の構成となっている。
【０１３４】
また、正面部２１０と側面部２２０の境界位置の下側には縦長帯状の開口部Ｋ２２０が形成され、また、正面部２１０と側面部２３０の境界位置の下側には縦長帯状の切欠部Ｋ２３０が形成され、内箱部Ａと外箱部Ｂとを接着した状態では、開口部Ｋ２２０の上端が正面部１０と側面部２０間の境界位置の上端と略一致し、切欠部Ｋ２３０の上端が正面部１０と側面部３０間の境界位置の上端と略一致し、特に、切欠部Ｋ２３０の上端が正面部１０と側面部３０間の境界位置の上端と係合している。
【０１３５】
これら蓋部２７０、２８０及びフラップ部２６０、２９０は、外箱部Ｂの上面を開閉するものであり、特に、蓋部２７０、２８０を閉状態とすることにより外箱部Ｂの上面が塞がれる。なお、蓋部２７０、２８０及びフラップ部２６０、２９０は、予め上方に立ち上がった（「立設した」としてもよい）状態になっていて（つまり、フラップ部２６０は正面部２１０の上辺から立ち上がり、蓋部２７０は側面部２２０の上辺から立ち上がり、蓋部２８０は側面部２３０の上辺から立ち上がり、フラップ部２９０は背面部２４０の上辺から立ち上がった状態となっている）、外箱部Ｂの上方が開口した状態になっている。
【０１３６】
外箱部Ｂを箱状に組み立てた状態では、正面部２１０と背面部２４０とが互いに平行になり、側面部２２０と側面部２３０とが互いに平行になる。また、スリーブ状部２０５を構成する各部材（正面部２１０、側面部２２０、２３０、背面部２４０）における隣接する部材は互いに直角となっている。
【０１３７】
次に、内箱部Ａと外箱部Ｂとは、分離部２４、３４の箇所で互いに接着されている。つまり、分離部２４の外側の面と側面部２２０（特に、片部２２４）の内側の面とが接着剤その他の接着手段により接着されるとともに、分離部３４の外側の面と側面部２３０（特に、片部２３４）の内側の面とが接着剤その他の接着手段により接着されることにより、包装箱Ｐが全体に一体に形成される。つまり、分離部２４の外側の面の全部又は一部の領域と側面部２２０の内側の面の間には接着剤層（図示せず）が設けられていて、同様に、分離部３４の外側の面の全部又は一部の領域と側面部２３０の内側の面の間には接着剤層（図示せず）が設けられている。これにより、外箱部Ｂのスリーブ状部２０５は、内箱部Ａにおけるスリーブ状部５の外側の面に沿って設けられ、例えば、正面部１０の外側の面に沿って正面部２１０が設けられ、側面部２０の外側の面に沿って側面部２２０が設けられ、側面部３０の外側の面に沿って側面部２３０が設けられ、背面部４０の外側の面に沿って背面部２４０が設けられている。該接着剤層の接着力は、外箱部Ｂの片部２２４を外側に回動させた際に、同時に分離部２４の周囲の切目線２４ａが破れて、分離部２４が内箱部Ａから分離し、回動させた片部２２４に接着した状態で片部２２４に従動するように設定されていて、同様に、外箱部Ｂの片部２３４を外側に回動させた際に、同時に分離部３４の周囲の切目線３４ａが破れて、分離部３４が内箱部Ａから分離し、回動させた片部２３４に接着した状態で片部２３４に従動するように設定されている。
【０１３８】
また、内箱部Ａと外箱部Ｂとが接着した状態では、側面部２０の上辺の高さと側面部２２０の上辺の高さとが一致（略一致としてもよい）し、これにより、上面部１１０は、側面部２２０の上辺よりも上方に突出した状態となっている。同様に、内箱部Ａと外箱部Ｂとが接着した状態では、側面部３０の上辺の高さと側面部２３０の上辺の高さとが一致（略一致としてもよい）し、これにより、上面部１３０は、側面部２３０の上辺よりも上方に突出した状態となっている。
【０１３９】
また、内箱部Ａと外箱部Ｂとが接着された状態では、内箱部Ａの下端と外箱部Ｂの下端とが同じ高さになるように形成されている。なお、内箱部Ａと外箱部Ｂとは、分離部２４、３４の箇所以外は互いに接着されていない。
【０１４０】
以上のように、内箱部Ａは外箱部Ｂの内側に収納した状態となっていて、内箱部Ａの底面部５０以外は外箱部Ｂに被覆された状態となっている。つまり、外箱部Ｂの下端の高さ方向の位置は、内箱部Ａの下端の高さ方向の位置と略同一であり、フラップ部２６０〜２９０を封止した状態では内箱部Ａにおいては底面部５０のみが露出している。
【０１４１】
なお、上記構成の包装箱Ｐは、内箱部Ａが上記のように折り畳むことができ、また、外箱部Ｂがスリーブ状部２０５を有し、全体に略スリーブ状を呈しているので、包装箱Ｐの状態においても平板状に折り畳むことができ、正面部２１０を側面部２３０に対して略平行になるようにし、かつ、側面部２２０を背面部２４０に対して略平行になるようにすることにより、図８に示すように平板状に折り畳むことができる。
【０１４２】
なお、上記内箱部Ａ及び外箱部Ｂにおいて、各折れ線の箇所には、予め罫線が形成されている。
【０１４３】
上記構成の包装箱Ｐの使用状態について説明する。包装箱Ｐを使用しない状況では、上記のように包装箱Ｐは平板状に折り畳むことができるので、折り畳んで保管しておく。
【０１４４】
そして、包装箱Ｐを使用する際に、包装箱Ｐを組み立てる。すなわち、外箱部Ｂにおける正面部２１０と背面部２４０とが互いに平行になり、側面部２２０と側面部２３０とが互いに平行になるようにするとともに、内箱部Ａにおける正面部１０と背面部４０とが互いに平行になり、側面部２０と側面部３０とが互いに平行になるようにし、底面部５０がスリーブ状部５、２０５に対して直角になるようにすることにより包装箱Ｐが立体状に組み立てられる。
【０１４５】
なお、この段階では、上面部１１０は側面部２０の上方に立設して形成され、内側側面部１２０は、上面部１１０に対して折り返されて、上面部１１０の内側の面及び側面部２０の内側の面と重なり、上面部１１０は、側面部２２０の上端から突出した状態となっており、上面部１３０は側面部３０の上方に立設して形成され、内側側面部１４０は、上面部１３０に対して折り返されて、上面部１３０の内側の面及び側面部３０の内側の面と重なり、上面部１３０は、側面部２３０の上端から突出した状態となっている。
【０１４６】
そして、図１０に示すように、包装箱Ｐの上方から複数の被収納物としての商品Ｇを内箱部Ａ内に収納する。外箱部Ｂにおいて、蓋部２７０、２８０及びフラップ部２６０、２９０は予め上方に立設した状態になっていて、外箱部Ｂの上方が開口した状態になっており、また、内箱部Ａにおいて、内側側面部１２０は、上面部１１０に対して折り返されて、上面部１１０の内側の面及び側面部２０の内側の面と重なり、また、内側側面部１４０は、上面部１３０に対して折り返されて、上面部１３０の内側の面及び側面部３０の内側の面と重なっているので、商品Ｇの収納には支障とならず、商品Ｇはそのまま包装箱Ｐの上方から収納すればよい。
【０１４７】
次に、蓋部２７０、２８０及びフラップ部２６０、２９０を閉状態にする。すなわち、フラップ部２６０を正面部２１０に対して内側に折り曲げるとともに、フラップ部２９０を背面部２４０に対して内側に折り曲げ、その後、蓋部２７０を側面部２２０に対して内側に折り曲げるとともに、蓋部２８０を側面部２３０に対して内側に折り曲げる。
【０１４８】
すると、蓋部２７０を側面部２２０に対して回動させて折り曲げる際に、上面部１１０が蓋部２７０により押されて、側面部２０に対して折曲し（図１１（ａ）に示す状態から図１１（ｂ）に示す状態となる）、上面部１１０が側面部２０に対して折曲することにより、内側側面部１２０が下方に押されるので、これにより、切目線１２４ａ、１２４ｂが破断し、本体部１２２が分離部１２４と分離する。そして、本体部１２２が、本体部１２２の上端側が内側となるように傾斜しながら下方に移動して、本体部１２２の下端が底面部５０に接する。本体部１２２の下端が底面部５０に接した状態では、本体部１２２の下端は、底面部５０と側面部２０の角部又はその近傍に位置し、側面部２０と上面部１１０と本体部１２２とで直角三角形又は直角三角形に近似した形状を呈することになる（図１１（ｃ）参照）。つまり、図１１（ａ）の状態から蓋部２７０を折り曲げることにより、図１１（ｂ）に示す状態を経て図１１（ｃ）に示す状態となる。本体部１２２の下端が底面部５０に接した状態では、上面部１１０は水平（略水平としてもよい）となる（つまり、底面部５０に対して平行（略平行としてもよい）になる）（図１１（ｃ）参照）。
【０１４９】
つまり、側面部２２０の上辺から上方に立ち上がった状態の蓋部２７０を側面部２２０に対して内側に回動させることにより、上面部１１０が蓋部２７０により押されて側面部２０に対して回動し、上面部１１０が側面部２０に対して回動することにより、内側側面部１２０が下方に押されて切目線１２４ａ、１２４ｂが破断し、本体部１２２が分離部１２４と分離して、本体部１２２の下端が底面部５０の上面に接し、本体部１２２の下端が底面部５０に接した状態で、上面部１１０が底面部５０に対して略平行となる。
【０１５０】
同様に、蓋部２８０を側面部２３０に対して回動させて折り曲げる際に、上面部１３０が蓋部２８０により押されて、側面部３０に対して折曲し（図１１（ａ）に示す状態から図１１（ｂ）に示す状態となる）、上面部１３０が側面部３０に対して折曲することにより、内側側面部１４０が下方に押されるので、これにより、切目線１４４ａ、１４４ｂが破断し、本体部１４２が分離部１４４と分離する。そして、本体部１４２が、本体部１４２の上端側が内側となるように傾斜しながら下方に移動して、本体部１４２の下端が底面部５０に接する。本体部１４２の下端が底面部５０に接した状態では、本体部１４２の下端は、底面部５０と側面部３０の角部又はその近傍に位置し、側面部３０と上面部１３０と本体部１４２とで直角三角形又は直角三角形に近似した形状を呈することになる（図１１（ｃ）参照）。つまり、図１１（ａ）の状態から蓋部２８０を折り曲げることにより、図１１（ｂ）に示す状態を経て図１１（ｃ）に示す状態となる。本体部１４２の下端が底面部５０に接した状態では、上面部１３０は水平（略水平としてもよい）となる（つまり、底面部５０に対して平行（略平行としてもよい）になる）。
【０１５１】
なお、図１１は、前後方向における中央位置の端面を示すものであり、本体部１２２、１４２における該端面位置の下端には、分離部１２２、１２４による切欠部が形成されているため、図１１（ｃ）においては、本体部１２２、１４２が底面部５０に接するようには表現されない。
【０１５２】
つまり、側面部２３０の上辺から上方に立ち上がった状態の蓋部２８０を側面部２３０に対して内側に回動させることにより、上面部１３０が蓋部２８０により押されて側面部３０に対して回動し、上面部１３０が側面部３０に対して回動することにより、内側側面部１４０が下方に押されて切目線１４４ａ、１４４ｂが破断し、本体部１４２が分離部１４４と分離して、本体部１４２の下端が底面部５０の上面に接し、本体部１４２の下端が底面部５０に接した状態で、上面部１３０が底面部５０に対して略平行となる。
【０１５３】
以上のようにして、内箱部Ａの左右両側の上端には、上面部１１０、１３０による縁部が形成される。
【０１５４】
蓋部２７０を側面部２２０に対して直角に折り曲げ、蓋部２８０を側面部２３０に対して直角に折り曲げた状態では、蓋部２７０の先端と蓋部２８０の先端が当接して、外箱部Ｂの上面が蓋部２７０、２８０により覆われるので、接着テープＴを外箱部Ｂの正面部２１０から上面を経て背面部２４０側にまで接着させることにより、フラップ部２６０〜２９０が封止される（図１２参照）。
【０１５５】
以上のようにして、商品Ｇを包装箱Ｐに包装したら、商品Ｇを収納した包装箱Ｐを商品Ｇを陳列する場所に搬送する。
【０１５６】
その後、被収納物を陳列する場合には、外箱部Ｂを内箱部Ａから分離する。すなわち、図１３に示すように、外箱部Ｂの側面部２２０の片部２２６を内側に押し込むことにより片部２２４の先端に指を引っかけることができるようにした後に、片部２２４を外側に回動させる。つまり、折れ線Ｃ２２４が回動軸となって片部２２４が上下方向に回動する。
【０１５７】
同様に、外箱部Ｂの側面部２３０の片部２３６を内側に押し込むことにより片部２３４の先端に指を引っかけることができるようにした後に、片部２３４を外側に回動させる。つまり、折れ線Ｃ２３４が回動軸となって片部２３４が上下方向に回動する。なお、片部２２４、２３４が回動する際の回動軸となる折れ線Ｃ２２４、Ｃ２３４の箇所には、罫線を形成しておかなくても片部２２４、２３４を回動させることにより自然と折れ線が形成されるが、予め該折れ線の箇所に罫線を形成しておいてもよい。
【０１５８】
すると、外箱部Ｂの片部２２４を外側に回動させた際に、同時に分離部２４の周囲の切目線２４ａが破れて、分離部２４が内箱部Ａ（具体的には、本体部２２）から分離し、回動させた片部２２４に接着した状態で片部２２４に従動する。同様に、外箱部Ｂの片部２３４を外側に回動させた際に、同時に分離部３４の周囲の切目線３４ａが破れて、分離部３４が内箱部Ａ（具体的には、本体部３２）から分離し、回動させた片部２３４に接着した状態で片部２３４に従動する。
【０１５９】
そして、図１４に示すように、外箱部Ｂを上方に引き上げることにより、被収納物、つまり、商品Ｇを収納した状態で、かつ、分離部２４、３４が分離した状態の内箱部Ａが残る。
【０１６０】
内箱部Ａにおいては、上面部１１０、１３０が左右両側に設けられているので、上側の内箱部Ａの底面部５０を下側の内箱部Ａの上面部１１０、１３０上に載せることにより、内箱部Ａを積み重ねることができる（図１５参照）。その際、下側の内箱部Ａの突状部２０−１を係合穴２０−２に係合させるとともに、下側の内箱部Ａの突状部３０−１を係合穴３０−２に係合させることにより、包装箱を積み重ねた状態を固定することができ、上側の内箱部Ａが下側の内箱部Ａからずり落ちることがない。
【０１６１】
以上のように、本実施例の包装箱Ｐにおいては、商品を梱包する際には、蓋部２７０、２８０を回動させることにより、上面部１１０、１３０が回動して底面部と略平行（つまり、略水平）になるので、別途内箱部Ａを積み重ねるための構成の組立て作業を行なう必要がなく、商品を梱包する際の作業工程が少なくことができる。
【０１６２】
また、積み重ねた状態の内箱部Ａにおいて、最上段の内箱部Ａも左右両側に上面部１１０、１３０が設けられているのみで商品の上方が開口された状態であるので、商品の視認や取出しに支障はなく、最上段の内箱部Ａに収納された商品の視認や取り出しを容易とするために余分な作業が必要ない。
【実施例２】
【０１６３】
次に、本発明に基づく実施例２の包装箱Ｐ’は、図１６〜図２４等に示すように構成され、内箱部Ａと、外箱部Ｂとを有していて、内箱部Ａと外箱部Ｂは、１枚のシート状のブランク（具体的には段ボール（特に、両面段ボール））により形成されており、内箱部Ａにおいては、一部の領域が、後述するように片面段ボールにより形成されていて、片面段ボール以外の領域が両面段ボールにより形成されている。また、外箱部Ｂは、両面段ボールにより形成されている。段ボールにおける中芯の段の方向は、図２１、図２２、図２４に示す円内に示す方向である。つまり、内箱部Ａにおいては、中芯の段の方向は、スリーブ状部５の下辺の方向（正面部１０の下辺の方向、側面部２０、３０の下辺の方向、背面部４０の下辺の方向）に対して直角方向に形成され、外箱部Ｂにおいては、スリーブ状部２０５の下辺の方向（正面部２１０の下辺の方向、側面部２２０、２３０の下辺の方向、背面部２４０の下辺の方向）に対して直角方向に形成されている。
なお、外箱部Ｂは、両面段ボール以外のシート状のブランク（例えば、厚紙、片面段ボール等）により形成されたものとしてもよい。
【０１６４】
内箱部Ａは、内側側面部１２０の下端から内側底面部１５０が連設され、内側側面部１４０の下端から内側底面部１６０が連設され、内側側面部１２０、１４０の一部と内側底面部１５０、１６０が片面段ボールにより形成されている以外は、実施例１の内箱部Ａと同様の構成である。すなわち、内箱部Ａにおける内側側面部１２０、１４０の一部と内側底面部１５０、１６０以外の領域が、中芯１０１４と、中芯１０１４の一方の面に接着されたライナー１０１６と、中芯１０１４の他方の面に接着されたライナー１０１２とからなる両面段ボールにより形成され、内側側面部１２０、１４０の一部と内側底面部１５０、１６０が、中芯１０１４と、中芯１０１４の一方の面に接着されたライナー１０１２とからなる片面段ボールにより形成されている。
【０１６５】
すなわち、内箱部Ａは、全体に上部が開口した容器状を呈し、図１８、図１９等に示すように、スリーブ状部（内側スリーブ状部）５と、底面部５０と、上面部１１０、１３０と、内側側面部１２０、１４０と、内側底面部１５０、１６０とを有している。スリーブ状部５は、組立て状態では、底面部５０の周囲から立設して形成され、正面部（内側正面部）１０と、側面部（内側右側面部）２０と、側面部（内側左側面部）３０と、背面部（内側背面部）４０と、糊代部４９とを有していて、その展開状態は、図２１に示すように形成されている。
【０１６６】
ここで、正面部１０の構成は、実施例１における正面部１０と同一の構成であり、側面部２０の構成は、実施例１における側面部２０と同一の構成であり、側面部３０の構成は、実施例１における側面部３０と同一の構成であり、背面部４０の構成は、実施例１における背面部４０と同一の構成であり、底面部５０の構成は、実施例１における底面部５０と同一の構成であるので、詳しい説明を省略する。
【０１６７】
なお、側面部２０は、本体部（内側右側面部本体部）２２と、分離部（第１分離部）２４とを有し、側面部２０の上端には、突状部２０−１が形成されている。また、側面部３０は、本体部（内側左側面部本体部）３２と、分離部（第２分離部）３４とを有し、側面部３０の上端には、突状部３０−１が形成されている。
【０１６８】
また、底面部５０は、第１片部（底面部第１片部）６０と、第２片部（底面部第２片部）７０と、第３片部（底面部第３片部）８０と、第４片部（底面部第４片部）９０とを有している。第２片部７０と側面部２０の境界位置には、係合穴２０−２が設けられ、第３片部８０と側面部３０の境界位置には、係合穴３０−２が設けられている。
【０１６９】
また、上面部（第１上面部）１１０は、実施例１の上面部１１０と同様の構成であり、上面部（第２上面部）１３０は、実施例１の上面部１３０と同様の構成であるので、詳しい説明を省略する。
【０１７０】
また、内側側面部（第１内側側面部）１２０は、上面部１１０の側面部２０とは反対側の辺部から折れ線を介して連設され、略方形状を呈し、方形状における先端側（上面部１１０とは反対側）で背面側の角部が円弧状に面取りされた外形を有している。つまり、内側側面部１２０の上辺（上面部１１０との境界線）と下辺とは平行に形成されている。内側側面部１２０の上下方向の長さ（つまり、内側側面部１２０の上辺と下辺の間の長さ）は、上面部１１０を側面部２０に対して直角に折り曲げて、上面部１１０が水平になった際に、本体部１２２の下辺が底面部５０に接する長さとなっている。
【０１７１】
この内側側面部１２０においては、内側の面の一部に中芯１０１４が露出して形成されている。つまり、図２１、図２２に示すように、内側側面部１２０の上側の辺部（上面部１１０側の辺部）から連設された上側領域１２０−１が、ライナー１０１６と中芯１０１４とライナー１０１２とにより形成された両面段ボールにより形成され、内側側面部１２０の下側の辺部（内側底面部１５０側の辺部）から連設された下側領域１２０−２が、中芯１０１４とライナー１０１２とにより形成された片面段ボールにより形成され、上側領域１２０−１と下側領域１２０−２とが、内側側面部１２０の上下方向の途中位置（内側側面部１２０の上側の辺部寄りの位置）で隣接している。中芯１０１４の段の方向は、縦方向となっていて、内側側面部１２０の上辺や下辺に対して直角方向となっている。また、上側領域１２０−１と下側領域１２０−２の境界位置（上側領域１２０−１におけるライナー１０１６の下辺）は、内側側面部１２０の上辺や下辺に対して平行に形成されている。以上のように、内側側面部１２０の領域における大部分の領域において、中芯１０１４が露出した構成となっている。
【０１７２】
この内側側面部１２０は、本体部（第１内側側面部本体部）１２２と、分離部（第３分離部）１２４とを有している。分離部１２４は、内側側面部１２０の下端領域に形成された切目線（第３切目線）１２４ａ、１２４ｂと開口部１２４ｃと切込み（切目線）１２４ｄとにより区画された領域であり、切れ目線１２４ａ、１２４ｂと開口部１２４ｃは、実施例１における切れ目線１２４ａ、１２４ｂと開口部１２４ｃと同様の構成である。
【０１７３】
すなわち、切目線１２４ａは、内側側面部１２０の下辺から略上方に向けて直線状に形成され、上方にいくほど背面側となるように内側側面部１２０の下辺に対して傾斜して形成され、切目線１２４ｂは、内側側面部１２０の下辺から略上方に向けて直線状に形成され、上方にいくほど正面側となるように内側側面部１２０の下辺に対して傾斜して形成されている。つまり、分離部１２４は、台形形状を呈し、具体的には、線対称（前後線対称）（つまり、等脚台形形状）に形成されている。本体部１２２は、内側側面部１２０において分離部１２４を除いた領域である。切目線１２４ａ、１２４ｂは、ミシン目状の切目線であり、切断予定線である。
【０１７４】
また、分離部１２４は、側面部２０（具体的には、本体部２２）の内側の面（具体的には、側面部２０の内側の面における分離部２４以外の領域）に接着され、分離部１２４が側面部２０に接着され、切目線１２４ａ、１２４ｂを破断する前の状態では、上面部１１０は側面部２０の上方に立設して形成され（つまり、側面部２０と上面部１１０とは全体に平板状を呈している）、内側側面部１２０は、上面部１１０に対して折り返されて、上面部１１０の内側の面及び側面部２０の内側の面と重なった状態となっている。また、分離部１２４が側面部２０に接着され、切目線１２４ａ、１２４ｂを破断する前の状態では、内側側面部１２０の下辺が底面部５０の上面よりも上方に位置している。
【０１７５】
なお、分離部１２４は、側面部２０の内側の面における分離部２４以外の領域に接着されているので、切目線１２４ａ、１２４ｂの破断に際して支障がない。すなわち、分離部１２４が分離部２４の領域に接着されている場合には、内側側面部１２０を下方に押し込んで切目線１２４ａ、１２４ｂを破断した際に、分離部２４の切目線２４ａも破断してしまうおそれがあるが、そのような支障はない。
【０１７６】
なお、分離部２４を側面部２０の下端領域に設け、分離部２４の領域に分離部１２４を接着する構成としてもよい。
【０１７７】
また、開口部１２４ｃは、切目線１２４ａの延長線上に形成された背面側の辺部と、切目線１２４ｂの延長線上に形成された正面側の辺部と、分離部１２４の上辺と一致する下側辺部と、分離部１２４の上辺と平行な上側辺部とに囲まれて形成されている。開口部１２４ｃにおける上側辺部と下側辺部間の長さは、上面部１１０を側面部２０に対して直角に折り曲げた際に、切目線１２４ａ、１２４ｂが破断して本体部１２２が分離部１２４に対して分離する際に、本体部１２２の分離部１２４からの分離に支障がない長さに形成されている。
【０１７８】
また、切目線１２４ａ、１２４ｂは、下方に向けて幅狭となるテーパ状に形成されているので、本体部１２２を分離部１２４に対して下方に相対移動させた際に切目線１２４ａ、１２４ｂの破断が容易となっている。なお、切目線１２４ａ、１２４ｂは、テーパでなくてもよい（例えば、切目線１２４ａ、１２４ｂが互いに平行で、内側側面部１２０の下辺に対して直角方向に形成したものであってもよい）。
【０１７９】
また、切込み１２４ｄは、切目線１２４ａの下端と切目線１２４ｂの下端の間に直線状に形成され、内側側面部１２０と内側底面部１５０間の折れ線Ｃ１１に沿って（つまり、折れ線Ｃ１１の延長線上に）形成されている。切込み１２４ｄは、切目線１２４ａの下端から切目線１２４ｂの下端にまで連続した切込みであり、分離部１２４と内側底面部１５０とは、切込み１２４ｄを介して分離している。
【０１８０】
以上のように、分離部１２４は、切目線１２４ａと切目線１２４ｂとにより本体部１２２と接続されている。また、分離部１２４は、切目線１２４ａ、１２４ｂと開口部１２４ｃとにより本体部１２２と区画され、分離部１２４は、切込み１２４ｄを介して内側底面部１５０と区画されている。
【０１８１】
なお、切目線１２４ａの下端と切目線１２４ｂの下端の間に切込み１２４ｄ（つまり、切込みとしての切目線）が形成されているとしたが、切目線１２４ａの下端と切目線１２４ｂの下端の間にミシン目状の切目線（つまり、切断予定線としての切目線）を形成してもよい。
【０１８２】
また、分離部１２４は、内側側面部１２０の下端から形成され、切込み１２４ｄは、折れ線Ｃ１１に沿って形成されているとしたが、分離部１２４は、内側側面部１２０の下端から形成された構成でなくてもよく、その場合には、切込み１２４ｄは、折れ線Ｃ１１よりも上方に形成されることになる。
【０１８３】
なお、切目線１２４ａ、１２４ｂを破断する前の状態では、上面部１１０は側面部２０の上方に立設して形成され（つまり、側面部２０と上面部１１０とは全体に平板状を呈している）、内側側面部１２０は、上面部１１０に対して折り返されて、上面部１１０の内側の面及び側面部２０の内側の面と重なった状態となっている。
【０１８４】
また、内側側面部（第２内側側面部）１４０は、上面部１３０の側面部３０とは反対側の辺部から折れ線を介して連設され、略方形状を呈し、方形状における先端側（上面部１３０とは反対側）で正面側の角部が円弧状に面取りされた外形を有している。つまり、内側側面部１４０の上辺（上面部１３０との境界線）と下辺とは平行に形成されている。
【０１８５】
この内側側面部１４０においては、内側側面部１２０と同様に、内側の面の一部に中芯１０１４が露出して形成されている。つまり、図２１、図２２に示すように、内側側面部１４０の上側の辺部（上面部１３０側の辺部）から連設された上側領域１４０−１が、ライナー１０１６と中芯１０１４とライナー１０１２とにより形成された両面段ボールにより形成され、内側側面部１４０の下側の辺部（内側底面部１６０側の辺部）から連設された下側領域１４０−２が、中芯１０１４とライナー１０１２とにより形成された片面段ボールにより形成され、上側領域１４０−１と下側領域１４０−２とが、内側側面部１４０の上下方向の途中位置（内側側面部１４０の上側の辺部寄りの位置）で隣接している。中芯１０１４の段の方向は、縦方向となっていて、内側側面部１４０の上辺や下辺に対して直角方向となっている。また、上側領域１４０−１と下側領域１４０−２の境界位置（上側領域１４０−１におけるライナー１０１６の下辺）は、内側側面部１４０の上辺や下辺に対して平行に形成されている。以上のように、内側側面部１４０の領域における大部分の領域において、中芯１０１４が露出した構成となっている。
【０１８６】
内側側面部１４０は、内側側面部１２０と円弧状の面取り位置が前後逆である以外は、内側側面部１２０と左右対称に形成されている。つまり、内側側面部１４０の上下方向の長さ（つまり、内側側面部１４０の上辺と下辺の間の長さ）は、上面部１３０を側面部３０に対して直角に折り曲げて、上面部１３０が水平になった際に、本体部１４２の下辺が底面部５０に接する長さとなっている。
【０１８７】
この内側側面部１４０は、本体部（第２内側側面部本体部）１４２と、分離部（第４分離部）１４４とを有している。分離部１４４は、内側側面部１４０の下端領域に形成された切目線（第４切目線）１４４ａ、１４４ｂと開口部１４４ｃと切込み１４４ｄとにより区画された領域であり、切れ目線１４４ａ、１４４ｂと開口部１４４ｃは、実施例１における切れ目線１４４ａ、１４４ｂと開口部１４４ｃと同様の構成である。
【０１８８】
すなわち、切目線１４４ａは、内側側面部１４０の下辺から略上方に向けて直線状に形成され、上方にいくほど背面側となるように内側側面部１４０の下辺に対して傾斜して形成され、切目線１４４ｂは、内側側面部１４０の下辺から略上方に向けて直線状に形成され、上方にいくほど正面側となるように内側側面部１４０の下辺に対して傾斜して形成されている。つまり、分離部１４４は、台形形状を呈し、具体的には、線対称（前後線対称）（つまり、等脚台形形状）に形成されている。本体部１４２は、内側側面部１４０において分離部１４４を除いた領域である。切目線１４４ａ、１４４ｂは、ミシン目状の切目線であり、切断予定線である。
【０１８９】
また、分離部１４４は、側面部３０（具体的には、本体部３２）の内側の面に接着され、分離部１４４が側面部３０に接着され、切目線１４４ａ、１４４ｂを破断する前の状態では、上面部１３０は側面部３０の上方に立設して形成され（つまり、側面部３０と上面部１３０とは全体に平板状を呈している）、内側側面部１４０は、上面部１３０に対して折り返されて、上面部１３０の内側の面及び側面部３０の内側の面と重なった状態となっている。また、分離部１４４が側面部３０に接着され、切目線１４４ａ、１４４ｂを破断する前の状態では、内側側面部１４０の下辺が底面部５０の上面よりも上方に位置している。
【０１９０】
なお、分離部１４４は、側面部３０の内側の面における分離部３４以外の領域に接着されているので、切目線１４４ａ、１４４ｂの破断に際して支障がない。すなわち、分離部１４４が分離部３４の領域に接着されている場合には、内側側面部１４０を下方に押し込んで切目線１４４ａ、１４４ｂを破断した際に、分離部３４の切目線３４ａも破断してしまうおそれがあるが、そのような支障はない。
【０１９１】
なお、分離部３４を側面部３０の下端領域に設け、分離部３４の領域に分離部１４４を接着する構成としてもよい。
【０１９２】
また、開口部１４４ｃは、切目線１４４ａの延長線上に形成された背面側の辺部と、切目線１４４ｂの延長線上に形成された正面側の辺部と、分離部１４４の上辺と一致する下側辺部と、分離部１４４の上辺と平行な上側辺部とに囲まれて形成されている。開口部１４４ｃの構成は、開口部１２４ｃの構成と同様であるので、詳しい説明を省略する。つまり、開口部１４４ｃにおける上側辺部と下側辺部間の長さは、上面部１３０を側面部３０に対して直角に折り曲げた際に、切目線１４４ａ、１４４ｂが破断して本体部１４２が分離部１４４に対して分離する際に、本体部１４２の分離部１４４からの分離に支障がない長さに形成されている。また、切目線１４４ａ、１４４ｂは、下方に向けて幅狭となるテーパ状に形成されているので、本体部１４２を分離部１４４に対して下方に相対移動させた際に切目線１４４ａ、１４４ｂの破断が容易となっている。なお、切目線１４４ａ、１４４ｂは、テーパでなくてもよい（例えば、切目線１４４ａ、１４４ｂが互いに平行で、内側側面部１４０の下辺に対して直角方向に形成したものであってもよい）。
【０１９３】
また、切込み１４４ｄは、切目線１４４ａの下端と切目線１４４ｂの下端の間に直線状に形成され、内側側面部１４０と内側底面部１６０間の折れ線Ｃ１２に沿って形成されている。切込み１４４ｄは、切目線１４４ａの下端から切目線１４４ｂの下端にまで連続した切込みであり、分離部１４４と内側底面部１６０とは、切込み１４４ｄを介して分離している。
【０１９４】
以上のように、分離部１４４は、切目線１４４ａと切目線１４４ｂとにより本体部１４２と接続されている。また、分離部１４４は、切目線１４４ａ、１４４ｂと開口部１４４ｃとにより本体部１４２と区画され、分離部１４４は、切込み１４４ｄを介して内側底面部１６０と区画されている。
【０１９５】
なお、切目線１４４ａの下端と切目線１４４ｂの下端の間に切込み１４４ｄ（つまり、切込みとしての切目線）が形成されているとしたが、切目線１４４ａの下端と切目線１４４ｂの下端の間にミシン目状の切目線（つまり、切断予定線としての切目線）を形成してもよい。
【０１９６】
また、分離部１４４は、内側側面部１４０の下端から形成され、切込み１４４ｄは、折れ線Ｃ１２に沿って形成されているとしたが、分離部１４４は、内側側面部１４０の下端から形成された構成でなくてもよく、その場合には、切込み１４４ｄは、折れ線Ｃ１２よりも上方に形成されることになる。
【０１９７】
また、内側底面部１５０は、内側側面部１２０における本体部１２２の下辺から折れ線を介して連設され、本体部１２２の下辺に沿って細長長方形状の本体部１５２と、本体部１５２の内側側面部１２０とは反対側の辺部における背面側の端部領域から内側側面部１２０とは反対側の突出した突状部１５４と、本体部１５２の正面側の辺部から突出した突状部１５６とを有している。突状部１５４は、略半円状を呈し、突状部１５６は、方形状の角部（本体部１５２側とは反対側の２つの角部）を円弧状に欠切した形状を呈している。内側底面部１５０は、第２片部７０の本体部７２よりも小さく形成され、内側底面部１５０と本体部７２を重ねた場合に、内側底面部１５０の輪郭が本体部７２の輪郭からはみ出さないようになっており、内側底面部１５０の内側側面部１２０側の辺部と該辺部の反対側までの長さ（最大長さ）ｈ１１は、少なくとも、本体部７２の側面部２０側の辺部と切欠部７２ａ間の長さ（正面部１０の横方向の長さの半分の長さ、背面部４０の横方向の長さの半分の長さとしてもよい）ｈ１３よりも小さく形成され、内側底面部１５０の前後方向の長さ（最大長さ）ｈ１２は、少なくとも、本体部７２における側面部２０側の辺部と該辺部と反対側の辺部間の長さが長さｈ１１よりも長い領域における前後方向の長さｈ１４よりも短く形成されている。
【０１９８】
この内側底面部１５０においては、内側の面に中芯１０１４が露出して形成されている。つまり、図２１、図２２に示すように、内側底面部１５０が、中芯１０１４とライナー１０１２とにより形成された片面段ボールにより形成されている。内箱部Ａを組み立てた状態において、内側底面部１５０における中芯１０１４が内側に露出した状態となる。また、内側底面部１５０における突状部１５４は、内箱部Ａを組み立てた際に、本体部７２と第４片部９０の間に挟まれた状態となる。また、突状部１５４が設けられているので、内側底面部１５０を本体部７２と第４片部９０間に容易に挟むことができる。
【０１９９】
また、内側底面部１６０は、内側側面部１４０における本体部１４２の下辺から折れ線を介して連設され、本体部１４２の下辺に沿って細長長方形状の本体部１６２と、本体部１６２の内側側面部１４０とは反対側の辺部における正面側の端部領域から内側側面部１４０とは反対側の突出した突状部１５４とを有している。本体部１６２の背面側の角部は円弧状に面取りされ、突状部１５４は、略半円状を呈している。内側底面部１６０は、第３片部８０の本体部８２よりも小さく形成され、内側底面部１６０と本体部８２を重ねた場合に、内側底面部１６０の輪郭が本体部８２の輪郭からはみ出さないようになっており、内側底面部１６０の内側側面部１４０側の辺部と該辺部の反対側までの長さ（最大長さ）ｈ２１は、少なくとも、本体部８２の側面部３０側の辺部と切欠部８２ａ間の長さ（正面部１０の横方向の長さの半分の長さ、背面部４０の横方向の長さの半分の長さとしてもよい）ｈ２３よりも小さく形成され、内側底面部１６０の前後方向の長さ（最大長さ）ｈ２２は、少なくとも、本体部８２における側面部３０側の辺部と該辺部と反対側の辺部間の長さが長さｈ２１よりも長い領域における前後方向の長さｈ２４よりも短く形成されている。
【０２００】
この内側底面部１６０においては、内側の面に中芯１０１４が露出して形成されている。つまり、図２１、図２２に示すように、内側底面部１６０が、中芯１０１４とライナー１０１２とにより形成された片面段ボールにより形成されている。内箱部Ａを組み立てた状態において、内側底面部１６０における中芯１０１４が内側に露出した状態となる。また、内側底面部１６０における突状部１６４は、内箱部Ａを組み立てた際に、本体部８２と第１片部６０の間に挟まれた状態となる。また、突状部１６４が設けられているので、内側底面部１６０を本体部８２と第１片部６０間に容易に挟むことができる。
【０２０１】
なお、上記のように、内箱部Ａにおいては、内側側面部１２０の下側領域１２０−２と、内側側面部１４０の下側領域１４０−２と、内側底面部１５０、１６０とが片面段ボールにより形成されているが、内箱部Ａの製造に際しては、図２３に示すような段ボールシートを用いる。図２３に示す段ボールシートは、両面段ボールからなる領域Ｒ１と、片面段ボールからなる領域Ｒ２を有するが、このような構成の段ボールシートは、出願人が開示した特開２０１３−９９８５３号に記載されている。
【０２０２】
図２３に示す段ボールシート１０１０は、全体に方形状のシート状を呈し、方形状のライナー（第１ライナー）１０１２と、ライナー１０１２の一方の面に接着された方形状の（「方形状の外形を有する」としてもよい）中芯１０１４と、中芯１０１４のライナー１０１２が接着された面とは反対側の面に接着された方形状のライナー（第２ライナー）１０１６とを有している。なお、図２３において、Ｙ１−Ｙ２方向は、Ｘ１−Ｘ２方向に直角な方向である。
【０２０３】
ここで、ライナー１０１２とライナー１０１６とは、紙製の板状のシート材である。また、中芯１０１４は、断面波形形状のシート材であり、紙製の板状のシート材を断面略波形形状に形成したものである。なお、図２３において、中芯１０１４の段の方向（略波形形状における段の方向）（中芯１０１４に形成されている溝部の方向）は、縦方向（Ｙ１−Ｙ２方向）に形成されている。
【０２０４】
ライナー１０１２の平面視における形状及び大きさは、中芯１０１４の平面視における形状及び大きさと同一（略同一としてもよい）であり、ライナー１０１２と中芯１０１４とはともに横方向の長さがａで縦方向の長さｂ１で同一（略同一としてもよい）となっている。また、ライナー１０１２と中芯１０１４とは、ライナー１０１２の各辺部１０１２ａ、１０１２ｂ、１０１２ｃ、１０１２ｄと中芯１０１４における対応する各辺部１０１４ａ、１０１４ｂ、１０１４ｃ、１０１４ｄとが一致（略一致としてもよい）するように接着されている。つまり、平面視において、辺部１０１２ａは辺部１０１４ａと一致し、辺部１０１２ｂは辺部１０１４ｂと一致し、辺部１０１２ｃは辺部１０１４ｃと一致し、辺部１０１２ｄは辺部１０１４ｄと一致している。なお、ライナー１０１２と中芯１０１４とで、片面段ボール１０１１を構成する。
【０２０５】
一方、ライナー１０１６は、横方向の長さはａでライナー１０１２や中芯１０１４の横方向の長さと同一（略同一としてもよい）であるものの、縦方向の長さｂ２は、ライナー１０１２と中芯１０１４の縦方向の長さｂ１よりも短く形成されている。
【０２０６】
また、ライナー１０１６の中芯１０１４の段の方向（Ｙ１−Ｙ２方向）と直角の方向（Ｘ１−Ｘ２方向）の辺部１０１６ａは、中芯１０１４における段の方向（Ｙ１−Ｙ２方向）と直角の方向（Ｘ１−Ｘ２向）の辺部１０１４ａと一致（略一致としてもよい）して形成され、これにより、中芯１０１４においてライナー１０１６が形成されていない領域、つまり、ライナー１０１６の辺部１０１６ｂと中芯１０１４の辺部１０１４ｂ間には、中芯１０１４が露出した状態となっている。なお、ライナー１０１６は、ライナー１０１６における左右両側の２つの辺部１０１６ｃ、１０１６ｄも、中芯１０１４における対応する辺部１０１４ｃ、１０１４ｄと一致（略一致としてもよい）するように中芯１０１４に接着されている。つまり、辺部１０１６ｃは辺部１０１４ｃと一致し、辺部１０１６ｄは辺部１０１４ｄと一致する。また、辺部１０１６ｂの方向は、中芯１０１４の段の方向と直角の方向である。
【０２０７】
つまり、段ボールシート１０１０において、ライナー１０１６が設けられている領域Ｒ１は両面段ボールであり、ライナー１０１６が設けられていない領域Ｒ２は片面段ボールとなっている。以上のように、段ボールシート１０１０においては、両面段ボールにおいて、一方のライナー１０１６の幅が他方のライナー１０１２の幅よりも短く形成され、中芯１０１４における段の方向における一方の側（Ｙ１側）に偏って接着されて、他方の側には中芯１０１４が露出した構成となっている。なお、段ボールシート１０１０の大きさ、中芯１０１４における段の数、中芯１０１４における段の高さや単位長さ当たりの段の数は任意であり、中芯１０１４の段高や段数としては、例えば、Ｅフルート、Ｆフルート、Ｇフルート等のものが挙げられる。
【０２０８】
段ボールシート１０１０を製造するには、帯状に形成されたライナー１０１２用の第１ライナー原紙と、第１ライナー原紙と略同一幅の帯状に形成された中芯１０１４用の原紙を断面略波形形状に形成した中芯原紙とを接着する第１接着工程と、中芯原紙の第１ライナー原紙側とは反対側の面に、第１ライナー原紙よりも短い幅を有し帯状の第２ライナー原紙（ライナー１０１６用のライナー原紙）を接着して段ボールシート素体を形成する第２接着工程で、第２ライナー原紙の一方の端部を中芯原紙の一方の端部に一致させて接着する第２接着工程と、第２接着工程において形成された段ボールシート素体を切断して段ボールシートを形成する切断工程により行なう。
【０２０９】
展開状態の内箱部Ａを製造するに当たっては、段ボールシート１０１０を型抜き加工（トムソン加工）して形成するが、その際、段ボールシート１０１０における両面段ボールと片面段ボールの境界（つまり、ライナー１０１６の辺部１０１６ｂ）が、内側側面部１２０における上側領域１２０−１と下側領域１２０−２間の境界位置や内側側面部１４０における上側領域１４０−１と下側領域１４０−２間の境界位置となるようにする。
【０２１０】
内箱部Ａを箱状に組み立てた状態では、正面部１０と背面部４０とが互いに平行になり、側面部２０と側面部３０とが互いに平行になり、底面部５０を構成する各部材は、正面部１０、側面部２０、３０、背面部４０に対して略直角（直角でもよい）となる。つまり、スリーブ状部５は、底面部５０に対して略直角（直角でもよい）となる。また、スリーブ状部５を構成する各部材（正面部１０、側面部２０、３０、背面部４０）における隣接する部材は互いに直角となっている。
【０２１１】
また、内箱部Ａは、平板状に折り畳むことができ（図２６参照）、内箱部Ａにおいては、正面部１０と側面部３０との角度を小さくし（つまり、直角より小さくする）、背面部４０と側面部２０との角度を小さくさせる（つまり、直角より小さくする）ことにより、四角筒状のスリーブ状部５が扁平になるとともに、底面部５０を構成する各部がスリーブ状部５内に回動して、内箱部Ａが全体に平板状に折り畳むことができる。内箱部Ａを折り畳んだ状態では、底面部５０を構成する各部は、スリーブ状部５内にスリーブ状部５を構成する正面部１０、側面部２０、３０、背面部４０に対して略平行な状態となる。また、内箱部Ａを折り畳んだ状態では、内側底面部１５０は、第２片部７０の本体部７２に沿って本体部７２に接した状態であり、内側底面部１６０は、第３片部８０の本体部８２に沿って本体部８２に接した状態となっている。
【０２１２】
次に、外箱部Ｂは、内箱部Ａを覆う箱体であり、図１６〜図２０、図２４等に示すように、スリーブ状部（外側スリーブ状部）２０５と、フラップ部２６０、２９０と、蓋部２７０、２８０とを有していて、その展開状態は、図２４に示すように形成されている。
【０２１３】
ここで、スリーブ状部２０５は、組み立てた状態では、四角形状の筒状を呈し、正面部（外側正面部）２１０と、側面部（外側右側面部）２２０と、側面部（外側左側面部）２３０と、背面部（外側背面部）２４０と、糊代部２４２とを有している。
【０２１４】
正面部２１０の構成は、実施例１における正面部２１０と同一の構成であり、側面部２２０の構成は、実施例１における側面部２２０と同一の構成であり、側面部２３０の構成は、実施例１における側面部２３０と同一の構成であり、背面部２４０の構成は、実施例１における背面部２４０と同一の構成であるので、詳しい説明を省略する。
【０２１５】
なお、側面部２２０には、片部２２４、２２６が形成され、側面部２３０には、片部２３４、２３６が形成されている。
【０２１６】
また、フラップ部２６０の構成は、実施例１におけるフラップ部２６０と同一の構成であり、フラップ部２９０の構成は、実施例１におけるフラップ部２９０と同一の構成であり、蓋部２７０の構成は、実施例１における蓋部２７０と同一の構成であり、蓋部２８０の構成は、実施例１における蓋部２８０と同一の構成であるので、詳しい説明を省略する。
【０２１７】
なお、実施例２においても、フラップ部２６０の先端部２６４の左右方向の長さ２６０ａは、切目線１２４ａ、１２４ｂが破断して上面部１１０が底面部５０に対して略平行であり、かつ、切目線１４４ａ、１４４ｂが破断して上面部１３０が底面部５０に対して略平行な状態で、フラップ部２６０を正面部２１０に対して回動して閉じた際に上面部１１０、１３０に接触しないように、側面部２２０と側面部２３０間の長さ（「折れ線Ｃ２１と折れ線Ｃ２２間の長さ」、「折れ線Ｃ２３と折れ線Ｃ２４間の長さ」としてもよい）から上面部１１０の幅（側面部２０と内側側面部１２０間の長さ）と上面部１３０の幅（側面部３０と内側側面部１４０間の長さ）とを減じた長さ以下に形成されている。
【０２１８】
また、フラップ部２９０の先端部２９４の左右方向の長さ２９０ａは、切目線１２４ａ、１２４ｂが破断して上面部１１０が底面部５０に対して略平行であり、かつ、切目線１４４ａ、１４４ｂが破断して上面部１３０が底面部５０に対して略平行な状態で、フラップ部２９０を背面部２４０に対して回動して閉じた際に上面部１１０、１３０に接触しないように、側面部２２０と側面部２３０間の長さ（「折れ線Ｃ２１と折れ線Ｃ２２間の長さ」、「折れ線Ｃ２３と折れ線Ｃ２４間の長さ」としてもよい）から上面部１１０の幅（側面部２０と内側側面部１２０の長さ）と上面部１３０の幅（側面部３０と内側側面部１４０間の長さ）とを減じた長さ以下に形成されている。
【０２１９】
また、実施例１の場合と同様に、外箱部Ｂを箱状に組み立てた状態では、正面部２１０と背面部２４０とが互いに平行になり、側面部２２０と側面部２３０とが互いに平行になる。また、スリーブ状部２０５を構成する各部材（正面部２１０、側面部２２０、２３０、背面部２４０）における隣接する部材は互いに直角となっている。
【０２２０】
次に、実施例１の場合と同様に、内箱部Ａと外箱部Ｂとは、分離部２４、３４の箇所で互いに接着されている。つまり、分離部２４の外側の面と側面部２２０（特に、片部２２４）の内側の面とが接着剤その他の接着手段により接着されるとともに、分離部３４の外側の面と側面部２３０（特に、片部２３４）の内側の面とが接着剤その他の接着手段により接着されることにより、包装箱Ｐ’が全体に一体に形成される。つまり、分離部２４の外側の面の全部又は一部の領域と側面部２２０の内側の面の間には接着剤層（図示せず）が設けられていて、同様に、分離部３４の外側の面の全部又は一部の領域と側面部２３０の内側の面の間には接着剤層（図示せず）が設けられている。これにより、外箱部Ｂのスリーブ状部２０５は、内箱部Ａにおけるスリーブ状部５の外側の面に沿って設けられ、例えば、正面部１０の外側の面に沿って正面部２１０が設けられ、側面部２０の外側の面に沿って側面部２２０が設けられ、側面部３０の外側の面に沿って側面部２３０が設けられ、背面部４０の外側の面に沿って背面部２４０が設けられている。該接着剤層の接着力は、外箱部Ｂの片部２２４を外側に回動させた際に、同時に分離部２４の周囲の切目線２４ａが破れて、分離部２４が内箱部Ａから分離し、回動させた片部２２４に接着した状態で片部２２４に従動するように設定されていて、同様に、外箱部Ｂの片部２３４を外側に回動させた際に、同時に分離部３４の周囲の切目線３４ａが破れて、分離部３４が内箱部Ａから分離し、回動させた片部２３４に接着した状態で片部２３４に従動するように設定されている。
【０２２１】
また、実施例１の場合と同様に、内箱部Ａと外箱部Ｂとが接着した状態では、側面部２０の上辺の高さと側面部２２０の上辺の高さとが一致（略一致としてもよい）し、これにより、上面部１１０は、側面部２２０の上辺よりも上方に突出した状態となっている。同様に、内箱部Ａと外箱部Ｂとが接着した状態では、側面部３０の上辺の高さと側面部２３０の上辺の高さとが一致（略一致としてもよい）し、これにより、上面部１３０は、側面部２３０の上辺よりも上方に突出した状態となっている。
【０２２２】
また、内箱部Ａと外箱部Ｂとが接着された状態では、内箱部Ａの下端と外箱部Ｂの下端とが同じ高さになるように形成されている。なお、内箱部Ａと外箱部Ｂとは、分離部２４、３４の箇所以外は互いに接着されていない。
【０２２３】
以上のように、内箱部Ａは外箱部Ｂの内側に収納した状態となっていて、内箱部Ａの底面部５０以外は外箱部Ｂに被覆された状態となっている。つまり、外箱部Ｂの下端の高さ方向の位置は、内箱部Ａの下端の高さ方向の位置と略同一であり、フラップ部２６０〜２９０を封止した状態では内箱部Ａにおいては底面部５０のみが露出している。
【０２２４】
なお、上記構成の包装箱Ｐ’は、内箱部Ａが上記のように折り畳むことができ、また、外箱部Ｂがスリーブ状部２０５を有し、全体に略スリーブ状を呈しているので、包装箱Ｐの状態においても平板状に折り畳むことができ、正面部２１０を側面部２３０に対して略平行になるようにし、かつ、側面部２２０を背面部２４０に対して略平行になるようにすることにより、図２５に示すように平板状に折り畳むことができる。
【０２２５】
なお、上記内箱部Ａ及び外箱部Ｂにおいて、各折れ線の箇所には、予め罫線が形成されている。
【０２２６】
上記構成の包装箱Ｐ’の使用状態について説明する。包装箱Ｐ’を使用しない状況では、上記のように包装箱Ｐは平板状に折り畳むことができるので、折り畳んで保管しておく。
【０２２７】
そして、包装箱Ｐ’を使用する際に、包装箱Ｐ’を組み立てる。すなわち、外箱部Ｂにおける正面部２１０と背面部２４０とが互いに平行になり、側面部２２０と側面部２３０とが互いに平行になるようにするとともに、内箱部Ａにおける正面部１０と背面部４０とが互いに平行になり、側面部２０と側面部３０とが互いに平行になるようにし、底面部５０がスリーブ状部５、２０５に対して直角になるようにすることにより包装箱Ｐが立体状に組み立てられる。
【０２２８】
底面部５０がスリーブ状部５、２０５に対して直角になるように底面部５０が組み立てられた状態では、内側底面部１５０における突状部１５４は、本体部７２と第４片部９０の間に挟まれた状態となり、内側底面部１６０における突状部１６４は、本体部８２と第１片部６０の間に挟まれた状態となる。これにより、内側底面部１５０、１６０が底面部５０と略平行に保たれ、内側底面部１５０、１６０の先端（内側側面部１２０、１４０側とは反対側の端部）が上方に向いた状態とはならないため、商品Ｇを収納する際に、商品Ｇを収納しやすく、また、商品Ｇを内側底面部１５０、１６０の上側に配置することができる。
【０２２９】
なお、この段階では、上面部１１０は側面部２０の上方に立設して形成され、内側側面部１２０は、上面部１１０に対して折り返されて、上面部１１０の内側の面及び側面部２０の内側の面と重なり、上面部１１０は、側面部２２０の上端から突出した状態となっており、上面部１３０は側面部３０の上方に立設して形成され、内側側面部１４０は、上面部１３０に対して折り返されて、上面部１３０の内側の面及び側面部３０の内側の面と重なり、上面部１３０は、側面部２３０の上端から突出した状態となっている。
【０２３０】
そして、図２７に示すように、包装箱Ｐ’の上方から複数の被収納物としての商品Ｇを内箱部Ａ内に収納する。外箱部Ｂにおいて、蓋部２７０、２８０及びフラップ部２６０、２９０は予め上方に立設した状態になっていて、外箱部Ｂの上方が開口した状態になっており、また、内箱部Ａにおいて、内側側面部１２０は、上面部１１０に対して折り返されて、上面部１１０の内側の面及び側面部２０の内側の面と重なり、また、内側側面部１４０は、上面部１３０に対して折り返されて、上面部１３０の内側の面及び側面部３０の内側の面と重なっているので、商品Ｇの収納には支障とならず、商品Ｇはそのまま包装箱Ｐ’の上方から収納すればよい。
【０２３１】
なお、商品Ｇを収納していない状態では、実際には、底面部５０の第１辺部６０〜第４片部９０においては、先端側が斜め上方に傾斜した状態となっていて、第４片部９０の先端側と本体部７２の間には隙間が形成され、第１片部６０の先端側と本体部８２の間には隙間が形成されるため、突状部１５４は、本体部７２と第４片部９０の間に挟まれた状態となっているものの、ほぼ水平状態であり、突状部１６４は、本体部８２と第１片部６０の間に挟まれた状態となっているものの、ほぼ水平状態であるが、商品Ｇを収納した状態では、底面部５０に上側から荷重がかかることにより、第４片部９０と本体部７２とが密着した状態となるため、突状部１５４が下方に引っぱられて内側底面部１５０は斜めに傾斜した状態となり、第１片部６０と本体部８２とが密着した状態となるため、突状部１６４が下方に引っぱられて内側底面部１６０は斜めに傾斜した状態となる。
【０２３２】
次に、蓋部２７０、２８０及びフラップ部２６０、２９０を閉状態にする。すなわち、フラップ部２６０を正面部２１０に対して内側に折り曲げるとともに、フラップ部２９０を背面部２４０に対して内側に折り曲げ、その後、蓋部２７０を側面部２２０に対して内側に折り曲げるとともに、蓋部２８０を側面部２３０に対して内側に折り曲げる。
【０２３３】
すると、蓋部２７０を側面部２２０に対して回動させて折り曲げる際に、上面部１１０が蓋部２７０により押されて、側面部２０に対して折曲し（図２８（ａ）に示す状態から図２８（ｂ）に示す状態となる）、上面部１１０が側面部２０に対して折曲することにより、内側側面部１２０が下方に押されるので、これにより、切目線１２４ａ、１２４ｂが破断し、本体部１２２が分離部１２４と分離する。そして、本体部１２２が、本体部１２２の上端側が内側となるように傾斜しながら下方に移動して、本体部１２２の下端が底面部５０に接する。本体部１２２の下端が底面部５０に接した状態では、本体部１２２の下端は、底面部５０と側面部２０の角部又はその近傍に位置し、側面部２０と上面部１１０と本体部１２２とで直角三角形又は直角三角形に近似した形状を呈することになる（図２８（ｃ）参照）。つまり、図２８（ａ）の状態から蓋部２７０を折り曲げることにより、図２８（ｂ）に示す状態を経て図２８（ｃ）に示す状態となる。本体部１２２の下端が底面部５０に接した状態では、上面部１１０は水平（略水平としてもよい）となる（つまり、底面部５０に対して平行（略平行としてもよい）になる）（図２８（ｃ）参照）。また、本体部１２２の下端が底面部５０に接した状態では、内側底面部１５０は、水平状態となり、本体部７２の上面に沿って本体部７２に接した状態となる。
【０２３４】
つまり、側面部２２０の上辺から上方に立ち上がった状態の蓋部２７０を側面部２２０に対して内側に回動させることにより、上面部１１０が蓋部２７０により押されて側面部２０に対して回動し、上面部１１０が側面部２０に対して回動することにより、内側側面部１２０が下方に押されて切目線１２４ａ、１２４ｂが破断し、本体部１２２が分離部１２４と分離して、本体部１２２の下端が底面部５０の上面に接し、本体部１２２の下端が底面部５０に接するとともに、内側底面部１５０が底面部５０と平行に底面部５０に接した状態で、上面部１１０が底面部５０に対して略平行となる。
【０２３５】
同様に、蓋部２８０を側面部２３０に対して回動させて折り曲げる際に、上面部１３０が蓋部２８０により押されて、側面部３０に対して折曲し（図２８（ａ）に示す状態から図２８（ｂ）に示す状態となる）、上面部１３０が側面部３０に対して折曲することにより、内側側面部１４０が下方に押されるので、これにより、切目線１４４ａ、１４４ｂが破断し、本体部１４２が分離部１４４と分離する。そして、本体部１４２が、本体部１４２の上端側が内側となるように傾斜しながら下方に移動して、本体部１４２の下端が底面部５０に接する。本体部１４２の下端が底面部５０に接した状態では、本体部１４２の下端は、底面部５０と側面部３０の角部又はその近傍に位置し、側面部３０と上面部１３０と本体部１４２とで直角三角形又は直角三角形に近似した形状を呈することになる（図２８（ｃ）参照）。つまり、図２８（ａ）の状態から蓋部２８０を折り曲げることにより、図２８（ｂ）に示す状態を経て図２８（ｃ）に示す状態となる。本体部１４２の下端が底面部５０に接した状態では、上面部１３０は水平（略水平としてもよい）となる（つまり、底面部５０に対して平行（略平行としてもよい）になる）。また、本体部１４２の下端が底面部５０に接した状態では、水平方向となり、内側底面部１６０は、水平状態となり、本体部８２の上面に沿って本体部８２に接した状態となる。
【０２３６】
つまり、側面部２３０の上辺から上方に立ち上がった状態の蓋部２８０を側面部２３０に対して内側に回動させることにより、上面部１３０が蓋部２８０により押されて側面部３０に対して回動し、上面部１３０が側面部３０に対して回動することにより、内側側面部１４０が下方に押されて切目線１４４ａ、１４４ｂが破断し、本体部１４２が分離部１４４と分離して、本体部１４２の下端が底面部５０の上面に接し、本体部１４２の下端が底面部５０に接するとともに、内側底面部１６０が底面部５０と平行に底面部５０に接した状態で、上面部１３０が底面部５０に対して略平行となる。
【０２３７】
以上のようにして、内箱部Ａの左右両側の上端には、上面部１１０、１３０による縁部が形成される。
【０２３８】
蓋部２７０を側面部２２０に対して直角に折り曲げ、蓋部２８０を側面部２３０に対して直角に折り曲げた状態では、蓋部２７０の先端と蓋部２８０の先端が当接して、外箱部Ｂの上面が蓋部２７０、２８０により覆われるので、接着テープＴを外箱部Ｂの正面部２１０から上面を経て背面部２４０側にまで接着させることにより、フラップ部２６０〜２９０が封止される（図２９参照）。
【０２３９】
以上のようにして、商品Ｇを包装箱Ｐ’に包装したら、商品Ｇを収納した包装箱Ｐ’を商品Ｇを陳列する場所に搬送する。
【０２４０】
その後、被収納物を陳列する場合には、外箱部Ｂを内箱部Ａから分離する。すなわち、図３０に示すように、外箱部Ｂの側面部２２０の片部２２６を内側に押し込むことにより片部２２４の先端に指を引っかけることができるようにした後に、片部２２４を外側に回動させる。つまり、折れ線Ｃ２２４が回動軸となって片部２２４が上下方向に回動する。
【０２４１】
同様に、外箱部Ｂの側面部２３０の片部２３６を内側に押し込むことにより片部２３４の先端に指を引っかけることができるようにした後に、片部２３４を外側に回動させる。つまり、折れ線Ｃ２３４が回動軸となって片部２３４が上下方向に回動する。なお、片部２２４、２３４が回動する際の回動軸となる折れ線Ｃ２２４、Ｃ２３４の箇所には、罫線を形成しておかなくても片部２２４、２３４を回動させることにより自然と折れ線が形成されるが、予め該折れ線の箇所に罫線を形成しておいてもよい。
【０２４２】
すると、外箱部Ｂの片部２２４を外側に回動させた際に、同時に分離部２４の周囲の切目線２４ａが破れて、分離部２４が内箱部Ａ（具体的には、本体部２２）から分離し、回動させた片部２２４に接着した状態で片部２２４に従動する。同様に、外箱部Ｂの片部２３４を外側に回動させた際に、同時に分離部３４の周囲の切目線３４ａが破れて、分離部３４が内箱部Ａ（具体的には、本体部３２）から分離し、回動させた片部２３４に接着した状態で片部２３４に従動する。
【０２４３】
そして、図３１に示すように、外箱部Ｂを上方に引き上げることにより、被収納物、つまり、商品Ｇを収納した状態で、かつ、分離部２４、３４が分離した状態の内箱部Ａが残る。
【０２４４】
内箱部Ａにおいては、上面部１１０、１３０が左右両側に設けられているので、上側の内箱部Ａの底面部５０を下側の内箱部Ａの上面部１１０、１３０上に載せることにより、内箱部Ａを積み重ねることができる（図３２参照）。その際、下側の内箱部Ａの突状部２０−１を係合穴２０−２に係合させるとともに、下側の内箱部Ａの突状部３０−１を係合穴３０−２に係合させることにより、包装箱を積み重ねた状態を固定することができ、上側の内箱部Ａが下側の内箱部Ａからずり落ちることがない。
【０２４５】
なお、内側側面部１２０には、上側領域１２０−１が設けられていて、上側領域１２０−１は両面段ボールにより形成されているので、上面部１１０との接続箇所の強度が弱くなることがなく、また、内側底面部１５０が設けられていることにより、下側領域１２０−２が片面段ボールにより形成されていても、内側側面部１２０の立設状態を十分保つことができるので、上面部１１０の上に他の包装箱Ｐ’の内箱部Ａを載置した場合に、下側の内箱部Ａにより上側の内箱部Ａを十分支えることができる。
【０２４６】
同様に、内側側面部１４０には、上側領域１４０−１が設けられていて、上側領域１４０−１は両面段ボールにより形成されているので、上面部１３０のとの接続箇所の強度が弱くなることがなく、また、内側底面部１６０が設けられていることにより、下側領域１４０−２が片面段ボールにより形成されていても、内側側面部１４０の立設状態を十分保つことができるので、上面部１３０の上に他の包装箱Ｐ’の内箱部Ａを載置した場合に、下側の内箱部Ａにより上側の内箱部Ａを十分支えることができる。
【０２４７】
また、内箱部Ａにおいては、内側側面部１２０、１４０の下側領域１２０−２、１４０−２と内側底面部１５０、１６０が片面段ボールにより形成され、片面段ボールにおける中芯１０１４が収納空間の内側に露出して商品Ｇに接するので、中芯１０１４を商品Ｇの滑り止めとして機能させることができ、特に、内側側面部１２０、１４０に設けられた中芯１０１４の段の方向が縦方向であるので、商品Ｇと内側側面部１２０、１４０の中芯１０１４との摩擦力により、商品Ｇが正面側又は背面側に倒れるのを防止することができる。よって、商品Ｇがパウチ製品のように自立が困難な商品であっても、商品Ｇを起立した状態としておき、商品Ｇの陳列状態を損なわないようにすることができる。また、内側底面部１５０、１６０が設けられていて、内側底面部１５０、１６０が底面部５０に平行に底面部５０に接した状態では、中芯１０１４がライナー１０１２の上側（つまり、底面部５０側とは反対側）に配置されるので、商品Ｇが前後方向に不用意にスライドしてしまうのを防止でき、複数の商品Ｇが正面側又は背面側に偏って陳列されるのを防止することができる。
【０２４８】
また、内側底面部１５０、１６０が設けられているので、商品Ｇが内側底面部１５０、１６０に接した状態で収納されることにより、内側側面部１２０の本体部１２２の中芯と内側側面部１４０の本体部１４２の中芯とが商品Ｇに確実に接して本体部１２２、１４２による滑り止め効果を発揮させることができる。つまり、内側底面部１５０、１６０が設けられていないと、商品Ｇに押されることにより内側側面部１２０、１４０は外側に逃げてしまい（つまり、内側側面部１２０は側面部２０側に接近し、内側側面部１４０は側面部３０側に接近する）、商品Ｇと本体部１２２、１４２の中芯との接触度合いが弱いが、内側底面部１５０、１６０の上面に商品Ｇが設けられることにより、内側底面部１５０、１６０の位置が固定されて、内側側面部１２０、１４０が外側に逃げることができず、商品Ｇと本体部１２２、１４２の中芯との接触度合いが強く、本体部１２２、１４２の中芯による滑り止め効果を発揮させることができる。
【０２４９】
以上のように、本実施例の包装箱Ｐにおいては、商品を梱包する際には、蓋部２７０、２８０を回動させることにより、上面部１１０、１３０が回動して底面部と略平行（つまり、略水平）になるので、別途内箱部Ａを積み重ねるための構成の組立て作業を行なう必要がなく、商品を梱包する際の作業工程が少なくことができる。
【０２５０】
また、積み重ねた状態の内箱部Ａにおいて、最上段の内箱部Ａも左右両側に上面部１１０、１３０が設けられているのみで商品の上方が開口された状態であるので、商品の視認や取出しに支障はなく、最上段の内箱部Ａに収納された商品の視認や取り出しを容易とするために余分な作業が必要ない。
【０２５１】
また、内箱部Ａにおいては、内側側面部１２０、１４０の下側領域１２０−２、１４０−２と内側底面部１５０、１６０が片面段ボールにより形成されているので、片面段ボールにおける中芯１０１４が収納空間の内側に露出して商品Ｇに接するので、中芯１０１４を商品Ｇの滑り止めとして機能させることができ、特に、内側側面部１２０、１４０に設けられた中芯１０１４の段の方向が縦方向であるので、商品Ｇが正面側又は背面側に倒れるのを防止することができる。
【０２５２】
なお、上記収納箱Ｐ’において、内側底面部１５０、１６０が設けられない構成としてもよい。すなわち、内側底面部１５０、１６０が設けられない場合でも、内側側面部１２０、１４０の本体部１２２、１４２に接する形状・大きさの商品Ｇを収納することにより、本体部１２２、１４２の中芯による滑り止め効果を得ることができる。
【０２５３】
また、内側側面部１２０、１４０における中芯の方向は、縦方向であるとしたが、縦方向以外の方向としてもよく、例えば、横方向（内側側面部１２０、１４０の上辺や下辺と平行な方向）としてもよい。横方向とした場合でも、縦方向の場合に比べて商品の倒れ防止効果が低くなるものの、商品と中芯の接触面積が、内側側面部１２０、１４０全体が両面段ボールで形成される場合に比べて大きいので、商品の倒れ防止効果を得ることができる。
【０２５４】
また、内側側面部１２０、１４０においては、両面段ボールにより形成された上側領域１２０−１、１４０−１と、片面段ボールにより形成された下側領域１２０−２、１４０−２とを有するとしたが、内側側面部１２０、１４０が片面段ボールのみにより形成された構成としてもよい。その場合には、内側側面部１２０、１４０と上面部１１０、１３０との接続箇所の強度が上記の場合に比べて弱くなるが、上記と同様に商品の倒れ防止効果を得ることができる。
【０２５５】
また、上記実施例１及び実施例２において、内箱部Ａには、突状部２０−１、３０−１と係合穴２０−２、３０−２が設けられるとしたが、これらの構成を省略した構成としてもよい。その場合には、内箱部Ａを積み重ねる際には、上側の内箱部Ａの底面部５０を上面部１１０、１３０上に載置することになる。
【０２５６】
また、上記実施例２における説明においては、内箱部Ａは、内側底面部１５０、１６０を有するものとして説明したが、内側底面部１５０、１６０の構成を省略した構成としてもよい。この場合でも、内側側面部１２０、１４０において片面段ボールの中芯１０１４が露出しているので、中芯１０１４を商品Ｇの滑り止めとして機能させることができる。
【符号の説明】
【０２５７】
Ｐ、Ｐ’  包装箱
Ａ  内箱部
Ｂ  外箱部
５、２０５  スリーブ状部
１０、２１０  正面部
２０、３０、２２０、２３０  側面部
２０−１、３０−１  突状部
２０−２、３０−２  係合穴
２２、３２、１２２、１４２  本体部
２４、３４、１２４、１４４ 分離部
４０、２４０  背面部
４９、２４２  糊代部
５０  底面部
６０  第１片部
７０  第２片部
８０  第３片部
９０  第４片部
１１０、１３０  上面部
１２０、１４０  内側側面部
１５０、１６０  内側底面部
１５２、１６２  本体部
１５４、１５６、１６４  突状部
２２４、２２６、２３４、２３６ 片部
２６０、２９０  フラップ部
２７０、２８０  蓋部
１０１０  段ボールシート
１０１２、１０１６  ライナー
１０１４  中芯
Ｃ１、Ｃ２、Ｃ３、Ｃ４、Ｃ１１、Ｃ１２、Ｃ２１、Ｃ２２、Ｃ２３、Ｃ２４ 折れ線
【図１】
2016074478.tif 000003
【図２】
2016074478.tif 000004
【図３】
2016074478.tif 000005
【図４】
2016074478.tif 000006
【図５】
2016074478.tif 000007
【図６】
2016074478.tif 000008
【図７】
2016074478.tif 000009
【図８】
2016074478.tif 000010
【図９】
2016074478.tif 000011
【図１０】
2016074478.tif 000012
【図１１】
2016074478.tif 000013
【図１２】
2016074478.tif 000014
【図１３】
2016074478.tif 000015
【図１４】
2016074478.tif 000016
【図１５】
2016074478.tif 000017
【図１６】
2016074478.tif 000018
【図１７】
2016074478.tif 000019
【図１８】
2016074478.tif 000020
【図１９】
2016074478.tif 000021
【図２０】
2016074478.tif 000022
【図２１】
2016074478.tif 000023
【図２２】
2016074478.tif 000024
【図２３】
2016074478.tif 000025
【図２４】
2016074478.tif 000026
【図２５】
2016074478.tif 000027
【図２６】
2016074478.tif 000028
【図２７】
2016074478.tif 000029
【図２８】
2016074478.tif 000030
【図２９】
2016074478.tif 000031
【図３０】
2016074478.tif 000032
【図３１】
2016074478.tif 000033
【図３２】
2016074478.tif 000034